(57)【要約】【課題】通信システムでのデータスケジューリングと関連された制御情報を伝送するためのシステム及び方法を提供する。【解決手段】互いに通信する基地局とユーザ装置（ＵＥ）の方法及び装置が提供される。前記ＵＥは、ＦＤＤを利用する少なくとも１つのセルとＴＤＤを利用する少なくとも１つのセルとの同時通信のために前記基地局によって構成される。前記ＵＥからスケジューリングデータの受信またはデータ伝送と関連した制御情報の伝送を可能にするプロセスが提供される。【選択図】図１０
2018207541.tif 000002
【特許請求の範囲】
【請求項１】
無線通信システムで受信確認情報を受信する方法において、
時間分割デュプレキシング（ｔｉｍｅ  ｄｉｖｉｓｉｏｎ  ｄｕｐｌｅｘｉｎｇ、ＴＤＤ）を利用するプライマリーセル（ｐｒｉｍａｒｙ  ｃｅｌｌ、ＰＣｅｌｌ）上で、周波数分割デュプレキシング（ｆｒｅｑｕｅｎｃｙ  ｄｉｖｉｓｉｏｎ  ｄｕｐｌｅｘｉｎｇ、ＦＤＤ）を利用するセカンダリーセル（ｓｅｃｏｎｄａｒｙ  ｃｅｌｌ、ＳＣｅｌｌ）と通信するための設定情報を伝送する段階と、
前記ＳＣｅｌｌのための４ビットのＨＡＲＱプロセス番号情報を含む下向きリンク制御情報を伝送する段階と、
前記ＳＣｅｌｌ上で前記下向きリンク制御情報によってスケジューリングされる下向きリンクデータを伝送する段階と、
前記ＰＣｅｌｌ上で前記下向きリンクデータに関する受信確認情報を受信する段階とを含むことを特徴とする受信確認情報の受信方法。
【発明の詳細な説明】
【技術分野】
【０００１】
本発明は、無線通信に関し、より詳細には、周波数分割デュプレキシング（Ｆｒｅｑｕｅｎｃｙ  Ｄｉｖｉｓｉｏｎ  Ｄｕｐｌｅｘｉｎｇ；ＦＤＤ）を利用するセルと時間分割デュプレキシング（Ｔｉｍｅ  Ｄｉｖｉｓｉｏｎ  Ｄｕｐｌｅｘｉｎｇ；ＴＤＤ）を利用するセルの集成（ａｇｇｒｅｇａｔｉｏｎ）に関する。
【背景技術】
【０００２】
無線通信は、近代史で最も成功的な革新のうち１つである。最近、無線通信サービスの加入者数が５０億名を越えて続いて速く増加している。スマートフォン及びタブレット、“ノートパッド”コンピュータ、ネットブック及びｅブックリーダー器などのようなその他移動性データ装置の消費者と事業者間の増加する人気によって無線データトラフィックに対する要求が速く増加している。モバイルデータトラフィックの速い成長に対応するためには、無線インターフェース効率の向上と新しいスペクトルの割当が他の何よりも重要である。
【発明の概要】
【発明が解決しようとする課題】
【０００３】
本発明の目的は、１つ以上のＴＤＤセルと１つ以上のＦＤＤセルの集成（ａｇｇｒｅｇａｔｉｏｎ）によって通信システムでのデータスケジューリングと関連された制御情報を伝送するためのシステム及び方法を提供することにある。
【課題を解決するための手段】
【０００４】
第１実施例において、次のような方法が提供される。前記方法は、基地局が周波数分割デュプレキシング（ＦＤＤ）または時間分割デュプレキシング（ＴＤＤ）を利用するプライマリーセル（Ｐｒｉｍａｒｙ  Ｃｅｌｌ；ＰＣｅｌｌ）を介してセカンダリーセル（Ｓｅｃｏｎｄａｒｙ  Ｃｅｌｌ；ＳＣｅｌｌ）との通信のための構成情報（ｃｏｎｆｉｇｕｒａｔｉｏｎ  ｉｎｆｏｒｍａｔｉｏｎ）を前記基地局と通信するユーザ装置（Ｕｓｅｒ  ｅｑｕｉｐｍｅｎｔ；ＵＥ）に伝送する段階を含む。前記ＰＣｅｌｌがＦＤＤを使用すれば、前記ＳＣｅｌｌは、ＴＤＤを使用し、前記ＰＣｅｌｌがＴＤＤを使用すれば、前記ＳＣｅｌｌは、ＦＤＤを使用する。また、前記方法は、前記基地局がＴＤＤを使用するセルのためのＴＤＤ上向きリンク−下向きリンク（Ｕｐｌｉｎｋ−Ｄｏｗｎｌｉｎｋ；ＵＬ−ＤＬ）構成（ｃｏｎｆｉｇｕｒａｔｉｏｎ）を示すシグナリングを前記ＵＥに伝送する段階を含む。ＴＤＤ  ＵＬ−ＤＬ構成は、通信方向が基地局からＵＥに設定される下向きリンク伝送時間区間（ＤＬ  ｔｒａｎｓｍｉｓｓｉｏｎ  ｔｉｍｅ  ｉｎｔｅｒｖａｌｓ（ＴＴＩｓ））、通信方向がＵＥから基地局に設定される上向きリンク伝送時間区間（ＵＬ  ＴＴＩｓ）及び通信方向が基地局からＵＥ，ＵＥから基地局の両方に設定され得るスペシャルＴＴＩを含む１０個のＴＴＩに該当する期間にわたって定義される。前記１０個のＴＴＩのうちそれぞれのＴＴＩは、固有の時間ドメインインデックスを有する。また、前記方法は、基地局が１つ以上のＤＣＩフォーマットを伝送する１つ以上の物理的下向きリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）をＵＥに伝送する段階を含む。前記１つ以上のＤＣＩフォーマット各々は、前記ＵＥに対してＰＣｅｌｌでの物理的下向きリンク共有チャネル（Ｐｈｙｓｉｃａｌ  Ｄｏｗｎｌｉｎｋ  Ｓｈａｒｅｄ  Ｃｈａｎｎｅｌ；ＰＤＳＣＨ）の伝送またはＳＰＳ（ｓｅｍｉ−ｐｅｒｓｉｓｔｅｎｔｌｙ  ｓｃｈｅｄｕｌｅｄ）ＰＤＳＣＨリリース（ｒｅｌｅａｓｅ）またはＳＣｅｌｌでのＰＤＳＣＨ伝送をスケジューリングする。前記方法は、また、前記構成情報、前記シグナリング及び前記１つ以上のＤＣＩフォーマットのうち少なくとも１つのＤＣＩフォーマットの受信に応答して前記ＵＥが承認（ａｃｋｎｏｗｌｅｄｇｅｍｅｎｔ）情報の伝送のためにＰＣｅｌｌでのＵＬ  ＴＴＩを決定する段階を含む。前記ＰＣｅｌｌがＦＤＤを使用すれば、前記承認情報は、１つのＴＴＩでＰＣｅｌｌでの１回のＰＤＳＣＨまたはＳＰＳ  ＰＤＳＣＨリリースの受信またはＳＣｅｌｌでの１回のＰＤＳＣＨの受信に応答し、前記１つのＴＴＩがＳＣｅｌｌでのＵＬ  ＴＴＩではない場合、前記承認情報は、ＰＣｅｌｌまたはＳＣｅｌｌでの受信を含まないＰＣｅｌｌでのＰＤＳＣＨまたはＳＰＳ  ＰＤＳＣＨリリースの受信及びＳＣｅｌｌでのＰＤＳＣＨの受信に応答する一方で、前記１つのＴＴＩがＳＣｅｌｌでのＵＬ  ＴＴＩの場合には、前記承認情報がＰＣｅｌｌでのＰＤＳＣＨまたはＳＰＳ  ＰＤＳＣＨリリースの受信にのみ応答する。ＰＣｅｌｌがＴＤＤを利用する場合、前記承認情報は、ＰＣｅｌｌでのＭＴＤＤ  ＴＴＩのうち１��でのＰＤＳＣＨまたはＳＰＳ  ＰＤＳＣＨリリースの受信またはＳＣｅｌｌでのＭＦＤＤ  ＴＴＩのうち１つでのＰＤＳＣＨの受信に応答する。ＭＴＤＤまたはＭＦＤＤはそれぞれＵＬ  ＴＴＩで承認情報が伝送されるＰＣｅｌｌまたはＳＣｅｌｌでのＴＴＩの個数であり、ＭＴＤＤは、ＭＦＤＤと同じかまたは小さい。
【０００５】
第２実施例において、次のような方法が提供される。前記方法は、基地局と通信するＵＥがＴＤＤ  ＵＬ−ＤＬ構成を利用するＰＣｅｌｌを介して基地局からＦＤＤを利用するＳＣｅｌｌとの通信のための構成情報を受信する段階を含む。また、前記方法は、ＵＥに対して１つ以上のＰＤＳＣＨの伝送またはＳＰＳ  ＰＤＳＣＨリリースをスケジューリングする１つ以上のＤＣＩフォーマットを伝送する１つ以上のＰＤＣＣＨを前記基地局が前記ＵＥに伝送する段階を含む。それぞれのＤＣＩフォーマットは、ＤＬ  ＨＡＲＱ（Ｈｙｂｒｉｄ  Ａｃｋｎｏｗｌｅｄｇｅｍｅｎｔ  Ｒｅｐｅａｔｒｅ  ｑｕｅｓｔ）プロセス個数を示す４個の二進要素を含むＤＬ  ＨＡＲＱフィールドを含む。前記ＰＣｅｌｌが表１のＴＤＤ  ＵＬ−ＤＬ構成５を使用する場合、ＳＣｅｌｌのためのＤＬ  ＨＡＲＱプロセスは、最大１７個のＤＬ  ＨＡＲＱプロセスのうち１６個のＤＬ  ＨＡＲＱプロセスのうち１つに制限される。前記方法は、また、ＵＥが前記１つ以上のＤＣＩフォーマットのうち少なくとも１つを検出する段階を含む。前記方法は、ＵＥが少なくとも１つのＰＤＳＣＨまたはＳＰＳ  ＰＤＳＣＨリリースをそれぞれ受信する段階をさらに含む。
【０００６】
第３実施例において、ＦＤＤまたはＴＤＤを利用するＰＣｅｌｌを介してＵＥと通信するように構成される基地局が提供される。前記基地局は、ＳＣｅｌｌとの通信のための構成情報をＵＥに伝送するように構成される伝送装置を含む。前記ＰＣｅｌｌがＦＤＤを使用すれば、前記ＳＣｅｌｌは、ＴＤＤを使用し、前記ＰＣｅｌｌがＴＤＤを使用すれば、前記ＳＣｅｌｌは、ＦＤＤを使用する。また、前記基地局は、ＴＤＤを使用するセルのためのＴＤＤ  ＵＬ−ＤＬ構成を示すシグナリングを前記ＵＥに伝送するように構成される伝送装置を具備する。ＴＤＤ  ＵＬ−ＤＬ構成は、通信方向が基地局からＵＥに設定される下向きリンク伝送時間区間（ＤＬｔｒａｎｓｍｉｓｓｉｏｎ  ｔｉｍｅ  ｉｎｔｅｒｖａｌｓ（ＴＴＩｓ））、通信方向がＵＥから基地局に設定されるＵＬ  ＴＴＩ及び通信方向が基地局からＵＥ，ＵＥから基地局の両方に設定されることができるスペシャルＴＴＩを含む１０個のＴＴＩに該当する期間にわたって定義される。前記１０個のＴＴＩのうちそれぞれのＴＴＩは、固有の時間ドメインインデックスを有する。前記基地局は、１つ以上のＤＣＩフォーマットをそれぞれ伝送する１つ以上のＰＤＣＣＨをＵＥに伝送するように構成される伝送装置をさらに具備する。前記１つ以上のＤＣＩフォーマット各々は、前記ＵＥに対してＰＣｅｌｌでのＰＤＳＣＨ伝送またはＳＰＳ  ＰＤＳＣＨリリース（ｒｅｌｅａｓｅ）またはＳＣｅｌｌでのＰＤＳＣＨ伝送をスケジューリングする。前記基地局は、また、ＵＥからの承認情報の受信のためのＵＬ  ＴＴＩを決定するように構成されるプロセッサを具備する。前記基地局は、ＵＥからＰＣｅｌｌにおけるＵＬ  ＴＴＩでの承認情報を受信するように構成される受信装置をさらに含む。前記ＰＣｅｌｌがＦＤＤを使用すれば、前記承認情報は、１つのＴＴＩでＰＣｅｌｌでの１回のＰＤＳＣＨまたはＳＰＳ  ＰＤＳＣＨリリースの受信またはＳＣｅｌｌでの１回のＰＤＳＣＨの受信に応答し、前記１つのＴＴＩがＳＣｅｌｌでのＵＬ  ＴＴＩではない場合、前記承認情報は、ＰＣｅｌｌまたはＳＣｅｌｌでの受信を含まないＰＣｅｌｌでのＰＤＳＣＨまたはＳＰＳ  ＰＤＳＣＨリリースの受信及びＳＣｅｌｌでのＰＤＳＣＨの受信に応答する一方で、前記１つのＴＴＩがＳＣｅｌｌでのＵＬ  ＴＴＩの場合には、前記承認情報がＰＣｅｌｌでのＰＤＳＣＨまたはＳＰＳ  ＰＤＳＣＨリリースの受信にのみ応答する。ＰＣｅｌｌがＴＤＤを利用する場合、前記承認情報は、ＰＣｅｌｌでのＭＴＤＤ  ＴＴＩのうち１つでのＰＤＳＣＨまたはＳＰＳ  ＰＤＳＣＨリリースの受信またはＳＣｅｌｌでのＭＦＤＤ  ＴＴＩのうち１つでのＰＤＳＣＨの受信に応答する。ＭＴＤＤまたはＭＦＤＤは、それぞれＵＬ  ＴＴＩで承認情報が伝送されるＰＣｅｌｌまたはＳＣｅｌｌでのＴＴＩの個数であり、ＭＴＤＤは、ＭＦＤＤと同じかまたは小さい。
【０００７】
第４実施例において、ＦＤＤまたはＴＤＤを利用するＰＣｅｌｌを介して基地局と通信するように構成されるＵＥが提供される。前記ＵＥは、ＳＣｅｌｌとの通信のための構成情報を基地局から受信するように構成される受信装置を含む。前記ＰＣｅｌｌがＦＤＤを使用すれば、前記ＳＣｅｌｌはＴＤＤを使用し、前記ＰＣｅｌｌがＴＤＤを使用すれば、前記ＳＣｅｌｌはＦＤＤを使用する。また、前記ＵＥは、ＴＤＤを使用するセルのためのＴＤＤ  ＵＬ−ＤＬ構成を示すシグナリングを前記基地局から受信するように構成される受信装置を具備する。ＴＤＤ  ＵＬ−ＤＬ構成は、通信方向が基地局からＵＥに設定される下向きリンク伝送時間区間（ＤＬ  ｔｒａｎｓｍｉｓｓｉｏｎ  ｔｉｍｅ  ｉｎｔｅｒｖａｌｓ（ＴＴＩｓ））、通信方向がＵＥから基地局に設定されるＵＬ  ＴＴＩ及び通信方向が基地局からＵＥ，ＵＥから基地局の両方に設定されることができるスペシャルＴＴＩを含む１０個のＴＴＩに該当する期間にわたって定義される。前記１０個のＴＴＩのうちそれぞれのＴＴＩは、固有の時間ドメインインデックスを有する。前記ＵＥは、１つ以上のＤＣＩフォーマットをそれぞれ伝送する１つ以上のＰＤＣＣＨを前記基地局から受信するように構成される受信装置をさらに含む。前記１つ以上のＤＣＩフォーマット各々は、ＰＣｅｌｌでのＰＤＳＣＨの受信またはＳＰＳ  ＰＤＳＣＨリリースまたはＳＣｅｌｌでのＰＤＳＣＨ受信をスケジューリングする。前記ＵＥは、基地局への承認情報の伝送のためのＵＬ  ＴＴＩを決定するように構成されるプロセッサをさらに含む。前記ＵＥは、前記構成情報、前記シグナリング及び前記１つ以上のＤＣＩフォーマットの受信に応答して承認情報を前記基地局に伝送するように構成される伝送装置をさらに含む。前記ＰＣｅｌｌがＦＤＤを使用すれば、前記承認情報は、１つのＴＴＩでＰＣｅｌｌでの１回のＰＤＳＣＨまたはＳＰＳ  ＰＤＳＣＨリリースの受信またはＳＣｅｌｌでの１回のＰＤＳＣＨの受信に応答し、前記１つのＴＴＩがＳＣｅｌｌでのＵＬ  ＴＴＩではない場合、前記承認情報は、ＰＣｅｌｌまたはＳＣｅｌｌでの受信を含まないＰＣｅｌｌでのＰＤＳＣＨまたはＳＰＳ  ＰＤＳＣＨリリースの受信及びＳＣｅｌｌでのＰＤＳＣＨの受信に応答する一方で、前記１つのＴＴＩがＳＣｅｌｌでのＵＬ  ＴＴＩの場合には、前記承認情報がＰＣｅｌｌでのＰＤＳＣＨまたはＳＰＳ  ＰＤＳＣＨリリースの受信にのみ応答する。ＰＣｅｌｌがＴＤＤを利用する場合、前記承認情報は、ＰＣｅｌｌでのＭＴＤＤ  ＴＴＩのうち１つでのＰＤＳＣＨまたはＳＰＳ  ＰＤＳＣＨリリースの受信またはＳＣｅｌｌでのＭＦＤＤ  ＴＴＩのうち１つでのＰＤＳＣＨの受信に応答する。ＭＴＤＤまたはＭＦＤＤは、それぞれＵＬ  ＴＴＩで承認情報が伝送されるＰＣｅｌｌまたはＳＣｅｌｌでのＴＴＩの個数であり、ＭＴＤＤは、ＭＦＤＤと同じかまたは小さい。
【０００８】
第５実施例において、ＴＤＤ  ＵＬ−ＤＬ構成を使用するＰＣｅｌｌを介してＵＥと通信するように構成される基地局が提供される。前記基地局は、ＦＤＤを使用するＳＣｅｌｌとの通信のための構成情報をＵＥに伝送するように構成される伝送装置を具備する。また、前記基地局は、ＵＥに対して１つ以上のＰＤＳＣＨの伝送またはＳＰＳ  ＰＤＳＣＨリリースをスケジューリングする１つ以上のＤＣＩフォーマットを伝送する１つ以上のＰＤＣＣＨを前記ＵＥに伝送するように構成される伝送装置を具備する。それぞれのＤＣＩフォーマットは、ＤＬ  ＨＡＲＱプロセス個数を示す４個の二進要素を含むＤＬ  ＨＡＲＱフィールドを有する。前記ＰＣｅｌｌが表１のＴＤＤ  ＵＬ−ＤＬ構成５を使用する場合、ＳＣｅｌｌのためのＤＬ  ＨＡＲＱプロセスは、最大１７個のＤＬ  ＨＡＲＱプロセスのうち１６個のＤＬ  ＨＡＲＱプロセスのうち１つに制限される。
【０００９】
第６実施例において、ＴＤＤ  ＵＬ−ＤＬ構成を使用するＰＣｅｌｌを介して基地局と通信するように構成されるＵＥが提供される。前記ＵＥはＦＤＤを使用するＳＣｅｌｌとの通信のための構成情報を前記基地局から受信するように構成される受信装置を具備する。また、前記ＵＥは、１つ以上のＰＤＳＣＨの受信またはＳＰＳ  ＰＤＳＣＨリリースをスケジューリングする１つ以上のＤＣＩフォーマットを伝送する１つ以上のＰＤＣＣＨを前記基地局から受信するように構成される受信装置を具備する。それぞれのＤＣＩフォーマットは、ＤＬ  ＨＡＲＱプロセス個数を示す４個の二進要素を含むＤＬ  ＨＡＲＱフィールドを有する。前記ＰＣｅｌｌが表１のＴＤＤ  ＵＬ−ＤＬ構成５を使用する場合、ＳＣｅｌｌのためのＤＬ  ＨＡＲＱプロセスは、最大１７個のＤＬ  ＨＡＲＱプロセスのうち１６個のＤＬ  ＨＡＲＱプロセスのうち１つに制限される。
【００１０】
本発明及びその効果のより完全な理解のために添付の図面とともに以下の説明を参照するところ、図面で同一の参照符号は同一の構成を示す。
【図面の簡単な説明】
【００１１】
【図１】図１は、本発明による無線通信ネットワークの一例を示す。
【図２】図２は、本発明によるユーザ装置（ＵＥ）の一例を示す。
【図３】図３は、本発明によるｅＮｏｄｅＢ（ｅＮＢ）の一例を示す。
【図４】図４は、本発明による下向きリンク伝送時間区間（ＤＬ  ＴＴＩ）の例示的な構造を示す。
【図５】図５は、本発明によるＴＴＩを介したＰＵＳＣＨ伝送構造の一例を示す。
【図６】図６は、本発明によるＴＴＩの１つのスロットでのＨＡＲＱ−ＡＣＫ伝送のための第１ＰＵＣＣＨフォーマット構造の一例を示す。
【図７】図７は、本発明によるＴＴＩの１つのスロットでのＨＡＲＱ−ＡＣＫ伝送のための第２ＰＵＣＣＨフォーマット構造の一例を示す。
【図８】図８は、本発明による第１方法を利用してＦＤＤ  ＰＣｅｌｌとＴＤＤ  ＳＣｅｌｌのためのＨＡＲＱ−ＡＣＫペイロードを決定する例を示す。
【図９】図９は、本発明による第１方法を利用してＴＤＤ  ＰＣｅｌｌとＦＤＤ  ＳＣｅｌｌのためのＨＡＲＱ−ＡＣＫペイロードを決定する例を示す。
【図１０】図１０は、本発明の第１方法によってそれぞれのＵＥが１つのＴＤＤセルで動作するか、ＦＤＤ  ＰＣｅｌｌとＴＤＤ  ＳＣｅｌｌのＣＡで動作するかによってＵＬ  ＤＣＩフォーマット内のＤＡＩフィールドを使用する例を示す。
【図１１】図１１は、本発明の第２方法によってそれぞれのＵＥが１つのＴＤＤセルで動作するか、ＦＤＤ  ＰＣｅｌｌとＴＤＤ  ＳＣｅｌｌのＣＡで動作するかによってＵＬ  ＤＣＩフォーマット内のＤＡＩフィールドを使用する例を示す。
【図１２】図１２は、本発明の第３方法によってそれぞれのＵＥが１つのＴＤＤセルで動作するか、ＦＤＤ  ＰＣｅｌｌとＴＤＤ  ＳＣｅｌｌのＣＡで動作するかによってＵＬ  ＤＣＩフォーマット内のＤＡＩフィールドを解釈する例を示す。
【図１３】図１３は、本発明によってＰＣｅｌｌがＦＤＤセルであるか、ＴＤＤセルであるかによってＤＬ  ＤＣＩフォーマット内のＤＬ  ＨＡＲＱプロセス個数フィールドのサイズを判断する例示的な方法を示す。
【図１４】図１４は、本発明によってＰＣｅｌｌがＦＤＤセルであるか、ＴＤＤセルであるかによってＤＬ  ＤＣＩフォーマット内のＤＡＩフィールドの存在を判断する例示的な方法は示す。
【図１５】図１５は、本発明によってＰＣｅｌｌがＦＤＤセルであるか、ＴＤＤセルであるかによってＵＬ  ＤＣＩフォーマット内のＤＡＩフィールドの存在を判断する例示的な方法は示す。
【図１６】図１６は、本発明によってＵＥがＦＤＤ  ＳＣｅｌｌでのＰＵＳＣＨ伝送で利用可能なＨＡＲＱ−ＡＣＫ情報をマルチプレキシングするかを判断する例示的な方法を示す。
【図１７】図１７は、本発明によってＦＤＤ  ＳＣｅｌｌでのＰＵＳＣＨ伝送をスケジューリングするＵＬ  ＤＣＩフォーマットでＤＡＩフィールドの利用を判断する例示的な方法を示す。
【図１８】図１８は、本発明によってＦＤＤ  ＳＣｅｌｌでのＰＵＳＣＨ伝送をスケジューリングするＵＬ  ＤＣＩフォーマットでＤＡＩフィールドの利用を判断する例示的な方法を示す。
【図１９】図１９は、本発明によるＴＤＤセルでＰＤＳＣＨをスケジューリングするＤＬ  ＤＣＩフォーマットのためのＴＴＩが前記ＴＤＤセルでＵＬ  ＴＴＩの場合、前記ＴＴＩでのＵＥデコーディング動作の一例を示す。
【図２０】図２０は、本発明によってＴＴＩでＵＥがＴＤＤセルに対するＤＬ  ＤＣＩフォーマットをモニタリングするか否かによって第１セルで伝送されるＰＤＣＣＨに対する前記ＵＥでのデコーディング動作を割当する例を示す。
【図２１】図２１は、本発明によって第１セル及びＴＤＤ第２セルでのスケジューリングのために第１セルで伝送されるＰＤＣＣＨのためのＵＥでのデコーディング動作を割当する例を示す。
【図２２】図２２は、本発明によるＴＤＤ単一セル動作及びクロススケジューリングされたＴＤＤ  ＳＣｅｌｌのための例示的なＰＤＳＣＨスケジューリングを示す。
【図２３】図２３は、本発明によってＴＤＤ  ＰＣｅｌｌで以前ＴＴＩで伝送されるＤＬ  ＤＣＩフォーマットによってＦＤＤ  ＳＣｅｌｌでのＴＴＩでＰＤＳＣＨをスケジューリングし、それぞれのＨＡＲＱ−ＡＣＫ情報ビットを生成するための例示的な方法を示す。
【図２４】図２４は、本発明によるＤＬ  ＴＴＩと１つのスペシャルＴＴＩを有し、ＵＬ  ＴＴＩを有しないＴＤＤ  ＵＬ−ＤＬ構成の一例を示す。
【発明を実施するための形態】
【００１２】
本特許文書で使用される特定単語及び語句の定義を記述することが有利であることができる。“連結”という用語及びその派生語は、２つ以上の要素の物理的な接触可否と関係なく前記２つ以上の要素間の直接的なまたは間接的な通信を意味する。“伝送”、“受信”及び“通信”という用語及びこれらの派生語は、直接通信及び間接通信の両方を含む。“具備する”と“含む”という用語及びその派生語は、制限ない包含を意味する。“または”は、“及び／または”の意味を含む。“〜と関連した”という語句及びその派生語は、“含む”、“〜に含まれる”、“〜と関連される”、“含まれる”、“〜に含まれる”、“〜と連結される”、“〜と結合される”、“〜と通信可能な”、“〜と協力する”、“挿入される”、“併置される”、“〜に近接した”、“〜と密接な関連がある”、“有する”、“〜性質がある”、“〜と関係がある”などを意味する。“コントローラー”という用語は、少なくとも１つの動作を制御する装置、システムまたはその一部を意味する。このようなコントローラーは、ハードウェアまたはハードウェアとソフトウェア及び／またはファームウエアの組合で具現されることができる。特定コントローラーと関連した機能は、地域的または遠隔的に中央集中されるか、または分散することができる。“少なくとも１つ”という語句は、項目のリストとともに使用される場合、１つ以上のリスト項目の異なる組合が使用されることができ、リスト内の１つの項目だけが必要であることを意味する。例えば、“Ａ，Ｂ，Ｃのうち少なくとも１つ”は、Ａ，Ｂ，Ｃ，ＡとＢ，ＡとＣ，ＢとＣ、そしてＡ，Ｂ，Ｃの組合中の１つを含む。
【００１３】
また、以下で説明する多様な機能は、コンピュータで読み取り可能なプログラムコードから形成され、コンピュータで読み取り可能な媒体で具現される１つ以上のコンピュータプログラムによって実行され支援されることができる。“アプリケーション（Ａｐｐｌｉｃａｔｉｏｎ）”及び“プログラム”は、適切なコンピュータで読み取り可能なプログラムコードの具現のために適合化された１つ以上のコンピュータプログラム、ソフトウェア要素、コマンドセット、手続、機能、オブジェクト、等級（Ｃｌａｓｓｅｓ）、インスタンス、関連データまたはその一部を意味する。“コンピュータで読み取り可能なプログラムコード”は、ソースコード、オブジェクトコード及び実行可能なコードを含むコンピュータコードを含む。“コンピュータで読み取り可能な媒体”は、ＲＯＭ，ＲＡＭ、ハードディスクドライブ、コンパクトディスク（Ｃｏｍｐａｃｔ  Ｄｉｓｃ；ＣＤ）、デジタルビデオディスク（Ｄｉｇｉｔａｌ  Ｖｉｄｅｏ  Ｄｉｓｃ；ＤＶＤ）または他の形態のメモリのようなコンピュータで接近可能な媒体を含む。“非一時的（ｎｏｎ−ｔｒａｎｓｉｔｏｒｙ）”コンピュータで読み取り可能な媒体は、一時的な電気信号または他の信号を伝送する有線、無線、光学的またはその他、他の通信リンクを排除する。非一時的コンピュータで読み取り可能な媒体は、再記録可能な光ディスクまたは消去可能なメモリ装置のようなデータを永久的に格納することができる媒体とデータを格納し、以後に上書きすることができる媒体を含む。
【００１４】
他の特定単語及び語句に対する定義が、本特許文書で提供される。通常の技術を有する者は、様々な場合において定義された単語及び語句の以前及び以後の使用にこのような定義が適用されることを理解しなければならない。
【００１５】
以下で記述される図１〜図２４及び本特許文書に記載した本発明の原理を記述するために利用される多様な実施例は、例示的なものであって、本発明の範囲を制限しない。通常の技術者は、本発明の原理が適切に設けられる無線通信システムで具現されることができることを理解することができる。
【００１６】
以下の文書及び標準に対する技術は、本発明に統合されるところ、その文書及び標準に対する技術は、３ＧＰＰ  ＴＳ  ３６．２１１  ｖ１１．１．０、“Ｅ−ＵＴＲＡ，Ｐｈｙｓｉｃａｌ  ｃｈａｎｎｅｌｓ  ａｎｄ  ｍｏｄｕｌａｔｉｏｎ”（ＲＥＦ１）、３ＧＰＰ  ＴＳ  ３６．２１２  ｖ１１．１．０、“Ｅ−ＵＴＲＡ，Ｍｕｌｔｉｐｌｅｘｉｎｇ  ａｎｄ  Ｃｈａｎｎｅｌ  ｃｏｄｉｎｇ”（ＲＥＦ２）、３ＧＰＰ  ＴＳ  ３６．２１３  ｖ１１．１．０、“Ｅ−ＵＴＲＡ，Ｐｈｙｓｉｃａｌ  Ｌａｙｅｒ  Ｐｒｏｃｅｄｕｒｅｓ”（ＲＥＦ３）及び３ＧＰＰ  ＴＳ  ３６．３３１  ｖ１１．１．０、“Ｅ−ＵＴＲＡ，Ｒａｄｉｏ  Ｒｅｓｏｕｒｃｅ  Ｃｏｎｔｒｏｌ（ＲＲＣ）Ｐｒｏｔｏｃｏｌ  Ｓｐｅｃｉｆｉｃａｔｉｏｎ．”（ＲＥＦ４）である。
【００１７】
本発明は、無線通信ネットワークでＦＤＤ（Ｆｒｅｑｕｅｎｃｙ  Ｄｉｖｉｓｉｏｎ  Ｄｕｐｌｅｘｉｎｇ）を利用するセルとＴＤＤ（Ｔｉｍｅ  Ｄｉｖｉｓｉｏｎ  Ｄｕｐｌｅｘｉｎｇ）を利用するセルの集成（ａｇｇｒｅｇａｔｉｏｎ）に関する。無線通信ネットワークは、（基地局またはｅＮｏｄｅＢのような）伝送ポイント（Ｔｒａｎｓｍｉｓｓｉｏｎ  ｐｏｉｎｔ）からユーザ装置（ＵＥ）に信号を伝送する下向きリンク（ＤＬ）を含む。また、無線通信ネットワークはＵＥからｅＮｏｄｅＢのような受信ポイントに信号を伝送する上向きリンク（ＵＬ）を含む。
【００１８】
図１は、本発明による例示的な無線ネットワーク１００を示す。図１に示された無線ネットワーク１００の実施例は、例示に過ぎず、本発明の範囲を逸脱することなく、無線ネットワーク１００の他の実施例が利用されることができる。
【００１９】
図１に示されたように、無線ネットワーク１００は、ｅＮｏｄｅＢ（ｅＮＢ）１０１，ｅＮＢ  １０２及びｅＮＢ  １０３を具備する。ｅＮＢ  １０１は、ｅＮＢ  １０２及びｅＮＢ  １０３と通信する。ｅＮＢ  １０１は、また、インターネット、独占ＩＰ（ＩｎｔｅｒｎｅｔＰｒｏｔｏｃｏｌ）ネットワークまたは他のデータネットワークのような少なくとも１つのＩＰネットワーク１３０と通信する。
【００２０】
ネットワーク形態によって“ｅＮｏｄｅＢ”または“ｅＮＢ”の代わりに、“基地局（Ｂａｓｅ  ｓｔａｔｉｏｎ）”または“アクセスポイント（Ａｃｃｅｓｓ  ｐｏｉｎｔ）”のような他の公知の用語が使用されてもよい。便宜上、本特許文書では、“ｅＮｏｄｅＢ”と“ｅＮＢ”が使用され、これは、遠くある端末機への無線アクセスを提供するネットワークインフラ要素を指称する。また、ネットワーク形態によって、“ユーザ装置（Ｕｓｅｒ  Ｅｑｕｉｐｍｅｎｔ）”または“ＵＥ”の代わりに、“移動局（ｍｏｂｉｌｅ  ｓｔａｔｉｏｎ）”、“加入者居（ｓｕｂｓｃｒｉｂｅｒ  ｓｔａｔｉｏｎ）”、“リモート端末（ｒｅｍｏｔｅ  ｔｅｒｍｉｎａｌ）”、“無線端末（ｗｉｒｅｌｅｓｓ  ｔｅｒｍｉｎａｌ）”または“ユーザ装置（ｕｓｅｒ  ｄｅｖｉｃｅ）”のような他の公知の用語が使用されてもよい。便宜上、本特許文書では“ユーザ装置”及び“ＵＥ”が使用され、これは、ＵＥが（移動電話またはスマートフォンのような）移動装置であるか（デスクトップコンピュータまたは自動販売機のような）、固定装置として見なされるか否かによってｅＮＢを無線でアクセスするリモート無線装置を意味する。
【００２１】
ｅＮＢ  １０２は、自分のカバレージ領域１２０内の多数の第１ＵＥのためのネットワーク１３０への無線広帯域アクセスを提供する。多数の第１ＵＥは、小規模事業場（ＳＢ）に位置することができるＵＥ  １１１、大規模事業場（Ｅ）に位置することができるＵＥ  １１２，ＷｉＦｉホットスポット（Ｈｏｔ  ｓｐｏｔ；ＨＳ）に位置することができるＵＥ  １１３、第１居住地（Ｒ）に位置することができるＵＥ  １１４、第２居住地（Ｒ）に位置することができるＵＥ  １１５及び携帯電話、無線ラップトップ、無線ＰＤＡなどの移動装置（Ｍ）であることがあるＵＥ  １１６を含む。ｅＮＢ  １０３は、自分のカバレージ領域１２５内の多数の第２ＵＥのためのネットワーク１３０への無線広帯域アクセスを提供する。多数の第２ＵＥは、ＵＥ  １１５とＵＥ  １１６を含む。いくつかの実施例において、１つ以上のｅＮＢ  １０１−１０３は、５Ｇ，ＬＴＥ，ＬＴＥ−Ａ，ＷｉＭＡＸまたは他の向上した無線通信技術を利用して互いに通信してもよく、ＵＥ  １１１−１１６と通信してもよい。
【００２２】
点線は、カバレージ領域１２０，１２５の概略的な範囲を示し、このような範囲は、例示及び説明のために概略的な円で示した。カバレージ領域１２０，１２５のようなｅＮＢと関連したカバレージ領域は、ｅＮＢの構成と自然及び人工障害物と関連した無線環境の変化によって不規則な形態を含む他の形態を有することができる。
【００２３】
以下に、さらに詳細に説明されるように、ネットワーク１００（ｅＮＢ  １０１−１０３及び／またはＵＥ  １１１−１１６）の多様な実施例は、ネットワーク１００によるＦＤＤセルとＴＤＤセルの集成を支援する。
【００２４】
図１は、無線ネットワーク１００の一例を示しているが、多様な変更が可能である。例えば、無線ネットワーク１００は、適切な配置でｅＮＢ及びＵＥをいくつでも含むことができる。また、ｅＮＢ  １０１は、複数のＵＥと直接通信することができ、当該ＵＥにネットワーク１３０への無線広帯域アクセスを提供することができる。これと同様に、それぞれのｅＮＢ  １０２，１０３は、ネットワーク１３０と直接通信し、ＵＥにネットワーク１３０への直接的な無線広帯域アクセスを提供することができる。また、ｅＮＢ  １０１，１０２及び／または１０３は、他のまたは追加的な外部ネットワーク、例えば外部電話ネットワークまたは他の形態のデータネットワークへのアクセスを提供することができる。
【００２５】
図２は、本発明による例示的なＵＥ  １１４を示す。図２に示されたＵＥ  １１４の実施例は、例示のためのものであって、図１の他のＵＥは、同一または類似の構成を有することができる。しかし、ＵＥは、多様な構成を有することができ、図２は、本発明の範囲を特定するように具現されたＵＥに制限しない。
【００２６】
図２に示されたように、ＵＥ  １１４は、アンテナ２０５、無線周波数（ＲＦ）送受信機２１０、送信（ＴＸ）処理回路２１５、マイク２２０及び受信（ＲＸ）処理回路２２５を具備する。また、ＵＥ  １１４は、スピーカー２３０、メインプロセッサ２４０、入出力（Ｉ／Ｏ）インターフェース２４５、キーパッド２５０、ディスプレイ２５５及びメモリ２６０を具備する。メモリ２６０は、基本運営体系（ＯＳ）プログラム２６１と１つ以上のアプリケーション２６２を含む。
【００２７】
ＲＦ送受信機２１０は、ｅＮＢまたは他のＵＥが送信した入力（ｉｎｃｏｍｉｎｇ）ＲＦ信号をアンテナ２０５から受信する。ＲＦ送受信機２１０は、前記入力ＲＦ信号を下向き変換して中間周波数（ＩＦ）または基底帯域信号を生成する。前記ＩＦまたは基底帯域信号は、ＲＸ処理回路２２５に伝送され、ＲＸ処理回路２２５は、前記ＩＦまたは基底帯域信号をフィルタリング、デコーディング及び／またはデジタル化して処理された基底帯域信号を生成する。ＲＸ処理回路２２５は、前記処理された基底帯域信号をスピーカー２３０（例えば、音声データのために）または追加処理のために（例えばウェブブラウジングデータのために）メインプロセッサ２４０に伝送する。
【００２８】
前記ＴＸ処理回路２１５は、マイク２２０からのアナログまたはデジタル音声データまたはメインプロセッサ２４０からの発信（ｏｕｔｇｏｉｎｇ）基底帯域データ（例えば、ウェブデータ、電子メールまたはインタラクティブビデオゲームデータ）を受信する。ＴＸ処理回路２１５は、前記発信基底帯域信号をエンコーディング、マルチプレキシング及び／またはデジタル化して処理された基底帯域またはＩＦ信号を生成する。前記ＲＦ送受信機２１０は、ＴＸ処理回路２１５から前記処理された基底帯域またはＩＦ信号を受信してＲＦ信号に上向き変換し、このＲＦ信号は、アンテナ２０５を介して伝送される。
【００２９】
前記メインプロセッサ２４０は、１つ以上のプロセッサまたは他のプロセッシング装置を含み、ＵＥ  １１４の全般的な動作を制御するためにメモリ２６０に格納された基本ＯＳプログラム２６１を行うことができる。例えば、メインプロセッサ２４０は、公知の原理によるＲＦ送受信機２１０，ＲＸ処理回路２２５及びＴＸ処理回路２１５による順方向チャネル信号の受信及び逆方向チャネル信号の送信を制御することができる。いくつかの実施例において、メインプロセッサ２４０は、少なくとも１つのマイクロプロセッサーまたはマイクロコントローラーを含む。
【００３０】
また、メインプロセッサ２４０は、ＦＤＤセルとＴＤＤセルの集成による通信を支援する動作のような他のプロセス及びメモリ２６０に格納されたプログラムを実行することができる。メインプロセッサ２４０は、実行するプロセスの要求によってデータをメモリ２６０に伝送するか、メモリ２６０から読み出すことができる。いくつかの実施例において、メインプロセッサ２４０は、ＯＳプログラム２６１に基づいてまたはｅＮＢ、他のＵＥまたはオペレーターから受信された信号に応答してアプリケーション２６２を実行するように構成される。また、メインプロセッサ２４０は、ＵＥ１１４にラップトップコンピュータ及び携帯用コンピュータのような他の装置との連結能力を提供するＩ／Ｏインターフェース２４５と連結される。Ｉ／Ｏインターフェース２４５は、このような附属品とメインプロセッサ２４０間の通信通路である。
【００３１】
また、メインプロセッサ２４０は、キーパッド２５０とディスプレイ２５５と連結される。ＵＥ  １１４の運営者は、キーパッド２５０を使用してデータをＵＥ  １１４に入力することができる。ディスプレイ２５５は、テキスト及び／またはウェブサイトからのグラフィックのような少なくとも制限したグラフィックを提供することができる液晶表示装置または他のディスプレイであることができる。ディスプレイ２５５は、タッチスクリーンを代表することができる。
【００３２】
メモリ２６０は、メインプロセッサ２４０に連結される。メモリ２６０の一部は、ＲＡＭを含み、他の一部は、フラッシュメモリまたは他のＲＯＭを含むことができる。
【００３３】
以下にさらに詳しく説明するように、ＵＥ  １１４（ＲＦ送受信機２１０，ＴＸ処理回路２１５及び／またはＲＸ処理回路２２５を利用して具現される）の送信及び受信経路は、ＦＤＤセルとＴＤＤセルの集成を利用した通信を支援する。
【００３４】
図２がＵＥ  １１４の一例を示しているが、多様な変更が可能である。例えば、図２に示された多様な要素は結合されるか、分割されるか、省略されてもよく、付加的な要素が特定の要求によって追加されることができる。特別な例として、メインプロセッサ２４０は、多数のプロセッサ、例えば１つ以上の中央処理処置（ＣＰＵ）及び１つ以上のグラフィック処理装置（ＧＰＵ）に分割されることができる。また、図２は、移動電話またはスマートフォンで構成されたＵＥ  １１４を示しているが、ＵＥは、他の形態の移動装置または固定装置として動作するように構成されることができる。また、図２に示された多様な要素は、例えば異なるＲＦ構成要素がｅＮＢ  １０１−１０３及び他のＵＥと通信するのに利用される場合、複製されることができる。
【００３５】
図３は、本発明によるｅＮＢ  １０２の一例を示す。図３に示されたｅＮＢ  １０２の実施例は、例示に過ぎず、図１に示された他のｅＮＢｓは、同一または類似の構成を有することができる。しかし、ｅＮＢは、多様な構成を有することができ、図３は、本発明の範囲を特別に具現されるｅＮＢに制限しない。
【００３６】
図３に示されたように、ｅＮＢ  １０２は、多数のアンテナ３０５ａ−３０５ｎ、多数のＲＦ送受信機３１０ａ−３１０ｎ、送信（ＴＸ）処理回路３１５及び受信（ＲＸ）処理回路３２０を具備する。また、ｅＮＢ  １０２は、コントローラー／プロセッサ３２５、メモリ３３０及びバックホール（ｂａｃｋｈａｕｌ）またはネットワークインターフェース３３５を具備する。
【００３７】
ＲＦ送受信機３１０ａ−３１０ｎは、ＵＥまたは他のＵＥに送信する信号のような入力ＲＦ信号をアンテナ３０５ａ−３０５ｎから受信する。ＲＦ送受信機３１０ａ−３１０ｎは、前記入力ＲＦ信号を下向き変換してＩＦまたは基底帯域信号を生成する。ＩＦまたは基底帯域信号は、ＲＸ処理回路３２０に伝送され、ＲＸ処理回路３２０は、前記基底帯域またはＩＦ信号をフィルタリング、デコーディング及び／またはデジタル化して処理された基底帯域信号を生成する。ＲＸ処理回路３２０は、前記処理された基底帯域信号を追加的な処理のためにコントローラー／プロセッサ３２５に伝送する。
【００３８】
前記ＴＸ処理回路３１５は、コントローラー／プロセッサ３２５からアナログまたはデジタルデータ（例えば音声データ、ウェブデータ、電子メールまたはインタラクティブビデオゲームデータ）を受信する。ＴＸ処理回路３１５は、発信基底帯域データをエンコーディング、マルチプレキシング及び／またはデジタル化することによって処理された基底帯域またはＩＦ信号を生成する。前記ＲＦ送受信機３１０ａ−３１０ｎは、前記ＴＸ処理回路３１５から発信処理された基底帯域またはＩＦ信号を受信してＲＦ信号に上向き変換し、このＲＦ信号は、アンテナ３０５ａ−３０５ｎを介して伝送される。
【００３９】
前記コントローラー／プロセッサ３２５は、ｅＮＢ  １０２の全般的な動作を制御する１つ以上のプロセッサまたは他のプロセッシング装置を含むことができる。例えば、コントローラー／プロセッサ３２５は、公知の原理によるＲＦ送受信機３１０ａ−３１０ｎ，ＲＸ処理回路３２０及びＴＸ処理回路３１５による順方向チャネル信号の受信及び逆方向チャネル信号の送信を制御することができる。コントローラー／プロセッサ３２５は、向上した無線通信機能のような追加的な機能を支援することができる。例えばコントローラー／プロセッサ３２５は、多数のアンテナ３０５ａ−３０５ｎからの発信信号が異なるように加重され、前記発信信号の方向が所望の方向に効果的に操縦されるようにするビームフォーミングまたは方向性ルーティング動作を支援することができる。多様な他の機能が前記コントローラー／プロセッサ３２５によってｅＮＢ  １０２で支援されることができる。いくつかの実施例において、コントローラー／プロセッサ３２５は、少なくとも１つのマイクロプロセッサーまたはマイクロコントローラーを含む。
【００４０】
また、前記コントローラー／プロセッサ３２５は、基本ＯＳのようなメモリ３３に格納されたプログラム及び他のプロセスを実行することができる。コントローラー／プロセッサ３２５は、実行するプロセスの要求によってメモリ３３０にデータを移すか、メモリ３３からデータを読み出すことができる。
【００４１】
また、前記コントローラー／プロセッサ３２５は、バックホールまたはネットワークインターフェース３３５に連結される。バックホールまたはネットワークインターフェース３３５は、ｅＮＢ  １０２がバックホール連結またはネットワークを介して他の装置またはシステムと通信するようにする。前記インターフェース３３５は、適切な有線または無線連結を介した通信を支援することができる。例えば、ｅＮＢ  １０２がセルラ通信システム（例えば５Ｇ，ＬＴＥまたはＬＴＥ−Ａを支援するセルラ通信システム）の一部として具現される場合、前記インターフェース３３５は、ｅＮＢ  １０２が有線または無線バックホール連結を介して他のｅＮＢと通信するようにすることができる。ｅＮＢ  １０２がアクセスポイントとして具現される場合、前記インターフェース３３５は、ｅＮＢ  １０２が有線または無線近距離通信網または大規模ネットワーク（例えば、インターネット）との有線または無線連結を介して通信するようにすることができる。インターフェース３３５は、イザーネッまたはＲＦ送受信機のような有線または無線連結を介した通信を支援する適切な構造を含む。
【００４２】
メモリ３３０は、前記コントローラー／プロセッサ３２５に連結される。メモリ３３０の一部は、ＲＡＭを含むことができ、他の一部は、フラッシュメモリまたは他のＲＯＭを含むことができる。
【００４３】
以下でさらに詳しく説明するように、（ＲＦ送受信機３１０ａ−３１０ｎ，ＴＸ処理回路３１５及び／またはＲＸ処理回路３２０を利用して具現される）ｅＮＢ  １０２の送信及び受信経路は、ＦＤＤセルとＴＤＤセルの集成を利用した通信を支援する。
【００４４】
図３は、ｅＮＢ  １０２の一例を示しているが、多様な変更が可能である。例えば、ｅＮＢ  １０２は、図３に示されたそれぞれの構成要素をいくつでも具備することができる。特別な例として、アクセスポイントは、多数個のインターフェース３３５を具備することができ、コントローラー／プロセッサ３２５は、異なるネットワークアドレスの間でデータをルーティングするためのルーティング機能を支援することができる。また、他の特別な例として、１つのＴＸ処理回路３１５と１つのＲＸ処理回路３２０を含むものと図示されているが、ｅＮＢ  １０２は、多数個のＴＸ処理回路３１５とＲＸ処理回路３２０を具備することができる（例えば、１つのＲＦ送受信機当たり１つずつ）。
【００４５】
いくつかの無線ネットワークにおいて、ＤＬ信号は、情報内容を伝達するデータ信号、ＤＬ制御情報（ＤＣＩ）を伝達する制御信号、そしてパイロット信号としても知られている参照信号（ＲＳ）を含む。ｅＮＢ  １０２のようなｅＮＢは、それぞれのＰＤＳＣＨまたはＰＤＣＣＨを介してデータ情報またはＤＣＩを伝送することができる。また、ｅＮＢ  １０２は、多数の制御チャネル要素（ＣＣＥ）を介してＰＤＣＣＨを伝送する。向上した（ｅｎｈａｎｃｅｄ）ＰＤＣＣＨ（ＥＰＤＣＣＨ）が使用されることができ（ＲＥＦ３参照）、説明を簡潔にするために、以下では明白に他の言及がなければ、“ＰＤＣＣＨ”は、ＰＤＣＣＨまたはＥＰＤＣＣＨは意味することができる。
【００４６】
ｅＮＢ  １０２のようなｅＮＢは、ＣＲＳ（ＵＥ−Ｃｏｍｍｏｎ  ＲＳ）、ＣＳＩ−ＲＳ（Ｃｈａｎｎｅｌ  Ｓｔａｔｅ  Ｉｎｆｏｒｍａｔｉｏｎ  ＲＳ）及びＤＭＲＳ（Ｄｅｍｏｄｕｌａｔｉｏｎ  ＲＳ）を含む１つ以上の様々な形態のＲＳを伝送することができる。ＣＲＳは、ＤＬシステム帯域幅（ＢＷ）を介して伝送されることができ、ＵＥ  １１４のようなＵＥがＣＲＳを使用してデータまたは制御信号を復調するか、測定を行うことができる。ＣＲＳオーバーヘッドを減少させるために、ｅＮＢ  １０２は、時間または周波数ドメインでＣＲＳより小さい密度のＣＳＩ−ＲＳを伝送することができる。チャネル測定のために、ゼロではない（ｎｏｎ−ｚｅｒｏ）パワーＣＳＩ−ＲＳ（ＮＺＰＣＳＩ−ＲＳ）資源が使用されることができる。干渉測定のために、ＵＥ  １１４は、上位階層シグナリング（ＲＥＦ３参照）を利用してサービングｅＮＢ  １０２がＵＥ  １１４に対して構成するゼロパワーＣＳＩ−ＲＳ（ＺＰＣＳＩ−ＲＳ）と関連したＣＳＩ干渉測定（ＣＳＩ−ＩＭ）資源を利用することができる。ＤＭＲＳは、それぞれのＰＤＳＣＨまたはＰＤＣＣＨの帯域幅のみで伝送され、ＵＥ  １１４は、ＤＭＲＳを利用してＰＤＳＣＨまたはＰＤＣＣＨで情報を復調することができる。
【００４７】
図４は、本発明によるＤＬ  ＴＴＩ（Ｔｒａｎｓｍｉｓｓｉｏｎ  Ｔｉｍｅ  Ｉｎｔｅｒｖａｌ）構造の一例を示す。図４に示されたＤＬ  ＴＴＩ構造４００の実施例は、例示的なものであって、本発明の範囲を逸脱することなく、他の実施例が利用されることができる。
【００４８】
図４に示されたように、例えばｅＮＢ  １０２からのＤＬシグナリングは、直交周波数分割マルチプレキシング（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；ＯＦＤＭ）を使用し、ＤＬ  ＴＴＩは、時間ドメインでＮ＝１４個のＯＦＤＭシンボルと周波数ドメインでＫ個の資源ブロック（Ｒｅｓｏｕｒｃｅ  Ｂｌｏｃｋｓ；ＲＢｓ）を含む。１つのＴＴＩは、１つのサブフレーム（ＳＦ）に相当する。第１タイプの制御チャネル（ＣＣＨ）は、Ｎ１個の第１ＯＦＤＭシンボル４１０（伝送なし（ｎｏ  ｔｒａｎｓｍｉｓｓｉｏｎ）を含む。Ｎ１＝０）でｅＮＢ  １０２によってＵＥ  １１４のようなＵＥに伝送される。残り（Ｎ−Ｎ１）個のＯＦＤＭシンボルは、主にＰＤＳＣＨ  ４２０の伝送のために使用され、ＴＴＩの一部ＲＢｓで第２タイプの向上した（ｅｎｈａｎｃｅｄ）ＣＣＥ（ＥＣＣＥ）４３０を伝送するために使用される。
【００４９】
いくつかの無線ネットワークにおいて、例えばＵＥ  １１４からのＵＬ信号は、情報内容を伝達するデータ信号、ＵＬ制御信号（ＵＣＩ）を伝達する制御信号及びＲＳを含むことができる。
【００５０】
ＵＥ  １１４は、それぞれのＰＵＳＣＨ（Ｐｈｙｓｉｃａｌ  ＵＬ  Ｓｈａｒｅｄ  ＣＨａｎｎｅｌ）またはＰＵＣＣＨ（Ｐｈｙｓｉｃａｌ  ＵＬ  Ｃｏｎｔｒｏｌ  ＣＨａｎｎｅｌ）を介してデータ情報またはＵＣＩを伝送することができる。ＵＥ  １１４がデータ情報とＤＣＩを同時に伝送する場合、ＵＥ  １１４は、ＰＵＳＣＨでデータ情報とＵＣＩをすべてマルチプレキシングすることができる。ＵＣＩは、ＰＤＳＣＨでのデータ伝送ブロック（ｔｒａｎｓｐｏｒｔ  ｂｌｏｃｋ；ＴＢ）の正しいまたは誤った検出を示すＨＡＲＱ−ＡＣＫ（Ｈｙｂｒｉｄ  Ａｕｔｏｍａｔｉｃ  Ｒｅｐｅａｔ  ｒｅＱｕｅｓｔ  ＡＣＫｎｏｗｌｅｄｇｅｍｅｎｔ）情報と、ＵＥ  １１４が自分のバッファーにデータを持っているかを示すＳＲ（Ｓｃｈｅｄｕｌｉｎｇ  Ｒｅｑｕｅｓｔ）情報と、ｅＮＢ  １０２がＵＥ  １１４へのＰＤＳＣＨ伝送のための適切なパラメータを選択するようにするＣＳＩ（Ｃｈａｎｎｅｌ  Ｓｔａｔｅ  Ｉｎｆｏｒｍａｔｉｏｎ）を含むことができる。ＨＡＲＱ−ＡＣＫ情報は、正しいＰＤＣＣＨまたはデータＴＢ検出に対応するポジチブＡＣＫ（ＡＣＫｎｏｗｌｅｄｇｅｍｅｎｔ）と、誤ったデータＴＢ検出に対応するネガティブＡＣＫ（ＮＡＣＫ）と、暗示的または明示的なＰＤＣＣＨ検出（ＤＴＸ）の不在を含むことができる。ＤＴＸは、ＵＥ  １１４がＨＡＲＱ−ＡＣＫ信号を伝送しない場合には、暗示的なことがある。ＵＥ  １１４が損失されたＰＤＣＣＨを他の方式で識別することができれば、ＤＴＸは明示的なことがある（同一のＮＡＣＫ／ＤＴＸ状態でＮＡＣＫとＤＴＸを示すことも可能である）。
【００５１】
ＣＳＩは、あらかじめ定義されたターゲットブロックエラー率（Ｂｌｏｃｋ  ｅｒｒｏｒ  ｒａｔｅ；ＢＬＥＲ）でＵＥが受信することができる伝送ブロックサイズ（ＴＢＳ）をｅＮＢ  １０２に通知するチャネル品質指示子（ｃｈａｎｎｅｌ  ｑｕａｌｉｔｙ  ｉｎｄｉｃａｔｏｒ；ＣＱＩ）と、ＭＩＭＯ（Ｍｕｌｔｉｐｌｅ  Ｉｎｐｕｔ  Ｍｕｌｔｉｐｌｅ  Ｏｕｔｐｕｔ）伝送原理によって多数の伝送アンテナからの信号をどのように組み合わせるかをｅＮＢ  １０２に通知するプレコーディングマトリックス指示子（Ｐｒｅｃｏｄｉｎｇ  Ｍａｔｒｉｘ  Ｉｎｄｉｃａｔｏｒ；ＰＭＩ）と、ＰＤＳＣＨのための伝送ランクを示すランク指示子（Ｒａｎｋ  ｉｎｄｉｃａｔｏｒ；ＲＩ）を含むことができる。例えば、ＵＥ  １１４は、構成されたＰＤＳＣＨ伝送モード（Ｔｒａｎｓｍｉｓｓｉｏｎ  ｍｏｄｅ；ＴＭ）とＵＥの受信機特性を考慮しながら信号対雑音及び干渉（ＳＩＮＲ）の測定からＣＱＩを決定することができる。したがって、ＵＥ  １１４からのＣＱＩレポートは、ＵＥ  １１４へのＤＬ信号伝送を経験したＳＩＮＲ条件の推定値をサービングｅＮＢ  １０２に提供することができる。
【００５２】
ＵＬＲＳは、ＤＭＲＳとＳＲＳ（Ｓｏｕｎｄｉｎｇ  ＲＳ）を含むことができる。ＤＭＲＳは、それぞれのＰＵＳＣＨまたはＰＵＣＣＨのＢＷのみで伝送されることができ、ｅＮＢ  １０２は、ＰＵＳＣＨまたはＰＵＣＣＨで情報を復調するのにＤＭＲＳを利用することができる。ＳＲＳは、ｅＮＢ  １０２にＵＬ  ＣＳＩを提供するためにＵＥ  １１４によって伝送されることができる。ＵＥ  １１４からのＳＲＳ伝送は、無線資源制御（ＲＲＣ）シグナリング（ＲＥＦ４参照）のような上位階層シグナリングによってＵＥ  １１４に対して構成される伝送パラメータを有する所定のＴＴＩで周期的（Ｐ−ＳＲＳまたはタイプ０ＳＲＳ）であることができる。ＵＥ  １１４からのＳＲＳ伝送は、ＰＵＳＣＨまたはＰＤＳＣＨをスケジューリングするＰＤＣＣＨによって伝達され、サービングｅＮＢ  １０２がＵＥ  １１４のためにあらかじめ構成するＡ−ＳＲＳ伝送パラメータセット中のＡ−ＳＲＳ伝送パラメータを示すＤＣＩフォーマットに含まれるＳＲＳ要請フィールドによってトリガリングされるときは、非周期的（Ａ−ＳＲＳまたはタイプ１ＳＲＳ）であることができる（ＲＥＦ２及びＲＥＦ３参照）。初期アクセスまたは以後の同期化のために、ＵＥ  １１４は、ＰＲＡＣＨ（Ｐｈｙｓｉｃａｌ  Ｒａｎｄｏｍ  Ａｃｃｅｓｓ  Ｃｈａｎｎｅｌ）を伝送するようにｅＮＢ  １０２によって構成されることができる（ＲＥＦ１及びＲＥＦ３参照）。
【００５３】
図５は、本発明によるＴＴＩを介したＰＵＳＣＨ伝送構造の一例を示す。図５に示されたＴＴＩを介したＰＵＳＣＨ伝送構造５００の実施例は、例示的なものであって、本発明の範囲を逸脱することなく、他の実施例を利用することができる。
【００５４】
図５に示されたように、ＴＴＩは、２つのスロットを具備した１つのサブフレーム４５０である。それぞれのスロット５２０は、データ情報、ＵＣＩまたはＲＳを伝送するための
【００５５】
【数１】
2018207541.tif 000003
【００５６】
個のシンボル５３０を含む。それぞれのスロット内の一部ＰＵＳＣＨシンボルは、ＤＭＲＳ  ５４０を伝送するのに使用される。伝送ＢＷは、資源ブロック（ＲＢ）という周波数資源単位を含む。それぞれのＲＢは、
【００５７】
【数２】
2018207541.tif 000004
【００５８】
個のサブキャリア、または資源要素（ＲＥ）を含み、ＰＵＳＣＨ伝送ＢＷのために全体
【００５９】
【数３】
2018207541.tif 000005
【００６０】
個のＲＥに対して
【００６１】
【数４】
2018207541.tif 000006
【００６２】
個のＲＢ  ５５０がＵＥ  １１４に割当される。最後のＴＴＩシンボルは、１つ以上のＵＥからのＳＲＳ伝送５６０をマルチプレキシングするのに利用されることができる。データ／ＵＣＩ／ＤＭＲＳ伝送に利用可能なＴＴＩシンボルの個数は、
【００６３】
【数５】
2018207541.tif 000007
【００６４】
であり、ここで、最後のＴＴＩシンボルがＳＲＳを伝送するのに利用されれば、
【００６５】
【数６】
2018207541.tif 000008
【００６６】
であり、そうではなければ、
【００６７】
【数７】
2018207541.tif 000009
【００６８】
である。
【００６９】
図６は、本発明によるＴＴＩの１つのスロットでのＨＡＲＱ−ＡＣＫ伝送のための第１ＰＵＣＣＨフォーマット構造の一例を示す。図６に示されたＰＵＣＣＨフォーマット構造の例は、例示的なものであり、本発明の範囲を逸脱することなく、他の実施例を利用してもよい。
【００７０】
図６に示されたように、ＴＴＩは、２つのスロットを含み、それぞれのスロット６１０は、ＲＢでＨＡＲＱ−ＡＣＫ信号６２０またはＲＳ  ６３０を伝送するための
【００７１】
【数８】
2018207541.tif 000010
【００７２】
個のシンボルを含む。ＨＡＲＱ−ＡＣＫビットｂ６４０は、ＢＰＳＫ（Ｂｉｎａｒｙ  Ｐｈａｓｅ  Ｓｈｉｆｔ  Ｋｅｙｉｎｇ）またはＱＰＳＫ（Ｑｕａｔｅｒｎａｒｙ  Ｐｈａｓｅ  Ｓｈｉｆｔ  Ｋｅｙｉｎｇ）変調を利用して
【００７３】
【数９】
2018207541.tif 000011
【００７４】
の長さを有するＺＣ（Ｚａｄｏｆｆ−Ｃｈｕ）シーケンス６６０を変調する（６５０）。１つのＨＡＲＱ−ＡＣＫビットは、データＴＢの正しい検出のためにポジチブＡＣＫを伝送する場合には、−１の値を有することができ、データＴＢの正しい検出のためにネガティブＡＣＫ（ＮＡＣＫ）を伝送する場合には、１の値を有することができる。変調されたＺＣシーケンスは、ＩＦＦＴ（Ｉｎｖｅｒｓｅ  Ｆａｓｔ  Ｆｒｅｑｕｅｎｃｙ  Ｔｒａｎｓｆｏｒｍ）６７０が行われた後に伝送される。ＲＳは、変調されないＺＣシーケンスを介して伝送される。
【００７５】
前記ＰＵＣＣＨフォーマット構造６００のような構造を有する第１ＰＵＣＣＨフォーマットは、ただ１つまたは２つのＨＡＲＱ−ＡＣＫビットの伝送を支援することができる。ＨＡＲＱ−ＡＣＫ信号伝送のために、多数のＰＵＣＣＨ資源がＵＥ  １１４のために存在する場合、ＰＵＣＣＨ資源選択と第１ＰＵＣＣＨフォーマット構造６００の使用の組合が最大４個のＨＡＲＱ−ＡＣＫビットの伝送を支援することができる（ＲＥＦ３参照）。特定の実施例において、第２ＰＵＣＣＨフォーマットが例えば最大２２ビットのような多数のＨＡＲＱ−ＡＣＫビットを伝送するのに利用されることができる。
【００７６】
図７は、本発明によるＴＴＩの１つのスロットでのＨＡＲＱ−ＡＣＫ伝送のための第２ＰＵＣＣＨフォーマット構造の一例を示す。図７に示された伝送装置７００の実施例は、例示的なものであって、本発明の範囲を逸脱することなく、他の実施例を利用することができる。
【００７７】
図７に示されたように、ＴＴＩは、２つのスロットを含み、それぞれのスロット７１０は、ＲＢでＨＡＲＱ−ＡＣＫ信号またはＲＳを伝送するための
【００７８】
【数１０】
2018207541.tif 000012
【００７９】
個のシンボルを含む。ＨＡＲＱ−ＡＣＫ信号の伝送は、ＤＦＴ−Ｓ−ＯＦＤＭを利用する。ブロックコードとＱＰＳＫをそれぞれ利用するエンコーディング及び変調後に、同一のＨＡＲＱ−ＡＣＫビット７２０のセットは、ＯＣＣ（Ｏｒｔｈｏｇｏｎａｌ  Ｃｏｖｅｒｉｎｇ  Ｃｏｄｅ）７２５の要素によってマルチプレキシングされた後（７３０）、ＤＦＴプレコーディングされる（７４０）。例えばＨＡＲＱ−ＡＣＫ信号の伝送のためのスロット当たり５個のＤＦＴ−Ｓ−ＯＦＤＭシンボルに対して長さ５のＯＣＣが使用される。出力は、ＩＦＦＴ  ７５０を通過した後、ＤＦＴ−Ｓ−ＯＦＤＭシンボル７６０にマッピングされる。前記動作は、線形的なのでその相対的な手順は変わってもよい。同一または異なるＨＡＲＱ−ＡＣＫビットがＴＴＩの第２スロットで伝送されることができる。ＲＳは、それぞれのスロットで伝送され、ＨＡＲＱ−ＡＣＫ信号の一貫性ある復調を可能にする。ＲＳは、ＩＦＦＴ  ７８０を通過し、さらに他のＤＦＴ−Ｓ−ＯＦＤＭシンボル７９０にマッピングされる長さ
【００８０】
【数１１】
2018207541.tif 000013
【００８１】
のＺＣシーケンス７７０から構成される。
【００８２】
ＵＥ  １１４へのＰＤＳＣＨ伝送またはＵＥ  １１４からのＰＵＳＣＨ伝送は、動的にスケジューリングされるか、半永続的に（ｓｅｍｉ−ｐｅｒｓｉｓｔｅｎｔｌｙ）スケジューリング（ＳＰＳ）されることができる。動的伝送は、ＰＤＣＣＨによって伝達され、ＰＤＳＣＨまたはＰＵＳＣＨ伝送パラメータを提供するフィールドを含むＤＣＩフォーマットによってトリガリングされ、ＳＰＳ伝送パラメータは、上位階層シグナリング、例えばＲＲＣシグナリングを介してｅＮＢ  １０２からＵＥ  １１４に対して構成される。ＰＤＳＣＨ伝送をスケジューリングするＤＣＩフォーマットは、ＤＬ  ＤＣＩフォーマットであると言い、ＰＵＳＣＨ伝送をスケジューリングするＤＣＩフォーマットは、ＵＬ  ＤＣＩフォーマットであると言う。
【００８３】
ＴＤＤ通信システムにおいて、一部のＴＴＩにおける通信方向はＤＬであり、他のＴＴＩにおける通信方向はＵＬである。表１は、フレーム期間（ｆｒａｍｅ  ｐｅｒｉｏｄ）とも言う１０個のＴＴＩ（１つのＴＴＩは、１ｍｓｅｃの持続期間を有する）に該当する期間のＵＬ−ＤＬ構成を示す。表１で“Ｄ”は、ＤＬ  ＴＴＩを示し、“Ｕ”は、ＵＬ  ＴＴＩを示し、“Ｓ”は、ＤｗＰＴＳと言うＤＬ伝送フィールドと、ａ  ＧＰ（Ｇｕａｒｄ  Ｐｅｒｉｏｄ）と、ＵｐＰＴＳと言うＵＬ伝送フィールドを含むスペシャル（ｓｐｅｃｉａｌ）ＴＴＩを示す。全体持続期間が１つのＴＴＩに該当する条件の下でスペシャルＴＴＩでのそれぞれのフィールドの持続期間に複数個の組合が存在する。
【００８４】
【表１】
2018207541.tif 000014
【００８５】
ＴＤＤ  ＵＬ−ＤＬ構成
【００８６】
ＴＤＤシステムにおいて、多数のＤＬ  ＴＴＩでのＰＤＳＣＨ受信に対応するＵＥ  １１４からのＨＡＲＱ−ＡＣＫ信号の伝送は、同一のＵＬ  ＴＴＩで行われることができる。ＵＥ  １１４からのＰＤＳＣＨまたはＳＰＳ  ＰＤＳＣＨリリースの関連された受信に対するＨＡＲＱ−ＡＣＫ信号伝送が行われるＭ個のＤＬ  ＴＴＩをＭのサイズを有するバンドリングウィンドウ（Ｂｕｎｄｌｉｎｇ  Ｗｉｎｄｏｗ）と言う。ＴＤＤ動作の１つの結果は、同一のＴＴＩで異なる周波数を使用してＤＬシグナリングとＵＬシグナリングがすべて支援されることができるＦＤＤの場合には、データＴＢ受信に対応するＵＥ  １１４またはｅＮＢ  １０２からのＨＡＲＱ−ＡＣＫ信号伝送が早期に起きないことがあることを示す。表２は、ＤＬ  ＴＴＩ  ｎ−ｋを示す。ここで、
【００８７】
【数１２】
2018207541.tif 000015
【００８８】
であり、ＨＡＲＱ−ＡＣＫ信号伝送は、ＵＬ  ＴＴＩ   ｎ  よりなる（ＲＥＦ３参照）。例えば、ＴＤＤ動作とＵＬ−ＤＬ構成５に対して、ＴＴＩ番号９でのデータＴＢ受信に対応するＵＥ  １１４からのＨＡＲＱ−ＡＣＫ信号伝送が１３個のＴＴＩ以後に起きるのに対し、ＦＤＤ動作に対しては、ＴＴＩでのデータＴＢ受信に対応するＵＥ  １１４からのＨＡＲＱ−ＡＣＫ信号伝送が常に４個のＴＴＩ以後に起きる。表２からバンドリングウィンドウサイズは、ＨＡＲＱ−ＡＣＫ信号伝送が起きるＵＬ  ＴＴＩに依存し、ＴＤＤ  ＵＬ−ＤＬ構成０に対してバンドリングウィンドウサイズは、０（例えば、ＴＴＩ＃３及びＴＴＩ＃８に対して）であることができることが分かる。
【００８９】
【表２】
2018207541.tif 000016
【００９０】
下向きリンク連携セットインデックス
【００９１】
【数１３】
2018207541.tif 000017
【００９２】
ＴＤＤシステムのための追加的なＨＡＲＱレイテンシーを収容するために、ＨＡＲＱプロセスの最大個数は、ＦＤＤシステムのためのＨＡＲＱプロセスの最大個数より大きくなければならない。ＤＬ動作及びＴＤＤ  ＵＬ−ＤＬ構成２，３，４，５の場合、８個以上のＨＡＲＱプロセスが必要であり、それぞれのＤＣＩフォーマットでのそれぞれのＤＬ  ＨＡＲＱプロセス個数フィールドは、４ビットを含む一方で、ＤＬ  ＨＡＲＱプロセスの最大個数が８個であるＦＤＤシステムの場合には３ビットを含む。
【００９３】
ＤＬ  ＤＣＩフォーマットは、２ビットのＤＬ割当インデックス（ＤＡＩ）フィールドを含む。ＤＬ  ＤＣＩフォーマット内のＤＡＩは、ｅＮＢ  １０２がバンドリングウィンドウのＤＬ  ＴＴＩでＵＥ  １１４に伝送するＤＬ  ＤＣＩフォーマットに対する番号を示すカウンターである（ＲＥＦ２及びＲＥＦ３参照）。ＤＡＩフィールドの値を使用することによって、ＵＥ  １１４は、以前ＤＬ  ＴＴＩでＤＣＩフォーマットの検出の失敗可否を判断し、それぞれのバンドリングウィンドウに対してＨＡＲＱ−ＡＣＫ信号伝送にこのようなイベントを含ませることができる（ＲＥＦ３参照）。付加的に、ＵＬ  ＤＣＩフォーマットは、関連されたバンドリングウィンドウのそれぞれのＴＴＩでＵＥ  １１４に伝送されるＤＬ  ＤＣＩフォーマット（ＰＤＳＣＨまたはＳＰＳ  ＰＤＳＣＨリリース）の総個数をＵＥ  １１４に通知するＤＡＩフィールドを含む（ＲＥＦ２及びＲＥＦ３参照）。ＵＬ  ＤＣＩフォーマット内のＤＡＩフィールドの値を利用してＵＥ  １１４は、ＰＤＳＣＨ受信のために構成されたＴＭによってそれぞれのバンドリングウィンドウで多数のＤＣＩフォーマットのためのそれぞれのＰＵＳＣＨでＨＡＲＱ−ＡＣＫ情報を提供する。例えば、特定条件によって（ＲＥＦ３参照）、ＵＬ  ＤＣＩフォーマットは、ＰＤＳＣＨまたはＳＰＳ  ＰＤＳＣＨリリースのそれぞれの伝送をスケジューリングする１，２，３及び０または４個のＤＬ  ＤＣＩフォーマットに該当するＨＡＲＱ−ＡＣＫ情報のＰＵＳＣＨでの伝送を示す数値である
【００９４】
【数１４】
2018207541.tif 000018
【００９５】
にマッピングされる‘００’、‘０１’、‘１０’、‘１１’の値を有する２ビットのＤＡＩフィールドを含むことができる。（ＵＥ  １１４は、ＰＤＳＣＨまたはＳＰＳ  ＰＤＳＣＨリリースをスケジューリングする少なくとも１つのＤＬ  ＤＣＩフォーマットを検出する場合、４を選択し、そうではなければ、０を選択する（ＲＥＦ３参照））。また、少なくともＤＬ  ＴＴＩよりＵＬ  ＴＴＩの個数が多いＴＤＤ  ＵＬ−ＤＬ構成０に対して、ＵＬ  ＤＣＩフォーマットは、ＰＵＳＣＨスケジューリングが第１ＵＬ  ＴＴＩに適用されるか、第２ＵＬ  ＴＴＩに適用されるか、第１及び第２ＵＬ  ＴＴＩに共に適用されるかを示すＵＬインデックスフィールドを含む（ＲＥＦ２参照）。
【００９６】
付加的に、ＴＤＤセルに対して表２に示されたように、Ｍ＞１個のＤＬ  ＴＴＩ中にＵＥからのＨＡＲＱ−ＡＣＫ伝送は、同一のＵＬ  ＴＴＩで行われることができる。それぞれのＰＵＣＣＨ資源拡張を避けるために、ＰＵＣＣＨ資源は、Ｍ＞１個のＤＬ  ＴＴＩ各々に対して別に決定されなければならないので、ＤＬ  ＤＣＩフォーマットは、ＡＲＯ（Ａｃｋｎｏｗｌｅｄｇｅｍｅｎｔ  Ｒｅｓｏｕｒｃｅ  Ｏｆｆｓｅｔ）フィールドを含むことができる（ＲＥＦ２参照）。このようなＤＬ  ＤＣＩフォーマットは、ＥＰＤＣＣＨで伝送されることができる。ＡＲＯフィールドは、例えば２ビットを含むことができ、異なるＤＬ  ＴＴＩに該当するＰＵＣＣＨ資源を圧縮し、ＵＥ間のＰＵＣＣＨ資源衝突を避けるために、それぞれのＤＬ  ＴＴＩ中に（ＲＥＦ３参照）、ＵＥ  １１４が決定するＰＵＣＣＨ資源を相殺させるのに使用されることができる。インデックスｍ＝０によって表現されるバンドリングウィンドウ内の第１ＤＬ  ＴＴＩ中に、ＡＲＯフィールドのマッピングは、ＦＤＤと同一であり、同一のＤＬ  ＴＴＩに該当するＰＵＣＣＨ資源の圧縮を助ける。インデックス０＜ｍ＜Ｍで表現される残りそれぞれのＤＬ  ＴＴＩ中に、ＡＲＯフィールドのマッピングは、異なるＤＬ  ＴＴＩに該当するＰＵＣＣＨ資源の圧縮を助けることができる。表３は、ＤＬ  ＴＴＩでＵＥ  １１４が受信するＤＬ  ＤＣＩフォーマット内のＡＲＯフィールドの値をＵＥ  １１４がそれぞれのＰＵＣＣＨ資源を決定するのに適用するオフセットにマッピングすることを示す。
【００９７】
【数１５】
2018207541.tif 000019
【００９８】
は、ＤＬ  ＴＴＩ  ｎ−ｋｉ１でのＵＥへのＥＰＤＣＣＨ伝送のために構成されるＤＬ資源セットｑにおけるＣＣＥの個数を示す（ＲＥＦ３参照）。
【００９９】
【表３】
2018207541.tif 000020
【０１００】
ＴＤＤでのＤＬ  ＤＣＩフォーマット内のＡＲＯフィールドの
【０１０１】
【数１６】
2018207541.tif 000021
【０１０２】
値へのマッピング
【０１０３】
小さい帯域幅を有するキャリアの利用率を向上させるか、異なるキャリア周波数を介した通信を容易にするために、通信システムは、異なるセルに該当するキャリアの集成を含むことができる。例えば、１つのキャリアは、１０ＭＨｚのＢＷを有することができ、他のキャリアは、１．４ＭＨｚのＤＬ  ＢＷを有することができる。または、１つのキャリアが９００ＭＨｚの周波数で動作し、他のキャリアが３．５ＧＨｚの周波数で動作してもよい。したがって、ＰＤＣＣＨ伝送のスペクトル効率が小さいＤＬ  ＢＷで一般的に低いので、１０ＭＨｚのＤＬ  ＢＷを有するキャリアから１．４ＭＨｚのＤＬ  ＢＷを有するキャリアでＰＤＳＣＨをスケジューリングすることが好ましいことがある（クロスキャリアスケジューリング）。また、キャリア周波数に対して経路損失がさらに大きくて、制御情報がデータ情報よりさらに高い検出信頼性を必要とし、再伝送からの利益を得ることができないので、ＰＤＳＣＨを９００ＭＨｚキャリアから３．５ＧＨｚのキャリアでスケジューリングすることが好ましいことがある。
【０１０４】
キャリア集成（Ｃａｒｒｉｅｒ  Ａｇｇｒｅｇａｔｉｏｎ（ＣＡ））において、それぞれのキャリアは、セルを示す。ＵＥ  １１４は、ＰＤＳＣＨ受信（ＤＬ  ＣＡ）またはＰＵＳＣＨ伝送（ＵＬ  ＣＡ）のために１つ以上のセルに対して上位階層シグナリングを介してＥＮＢ  １０２によって構成されることができる。ＤＬ  ＣＡまたはＵＬ  ＣＡで構成されたＵＥ  １１４に対して、それぞれのＰＤＣＣＨにおけるＵＥ−共通（ＵＥ−ｃｏｍｍｏｎ）制御情報とそれぞれのＰＵＣＣＨにおけるＳＰＳ  ＰＤＳＣＨまたはＵＣＩがプライマリーセル（ＰＣｅｌｌ）と言う単一セルの下向きリンクと上向きリンクでそれぞれ伝送される。他のセルは、セカンダリーセル（ＳＣｅｌｌ）と言う。
【０１０５】
ＣＡにおいて、ｅＮＢ  １０２は、第１セルでＤＣＩフォーマットを伝送するＰＤＣＣＨを伝送することによって、第２セルでＵＥ  １１４をスケジューリングすることができる。このような機能をクロスキャリアスケジューリングであると言い、ＤＣＩフォーマットは、それぞれのセルに該当する値を有するキャリア指示子フィールド（Ｃａｒｒｉｅｒ  Ｉｎｄｉｃａｔｏｒ  Ｆｉｅｌｄ；ＣＩＦ）を含む。例えば、３ビットで構成されたＣＩＦと５個のセルで構成されたＵＥ  １１４の場合、それぞれの二進ＣＩＦ値は、‘０００’、‘００１’、‘０１０’、‘０１１’及び‘１００’になって、５個のセルをそれぞれ示すことができる。ＵＥ  １１４が２個のセルのＣＡとクロスキャリアスケジューリングで構成される場合、すべてのＰＤＣＣＨは、ＰＣｅｌｌで伝送される。ＦＤＤキャリア（セル）とＴＤＤキャリア（セル）の間のＣＡは、ＴＤＤ及びＦＤＤスペクトル利用の柔軟性を増加させ、モード間のハンドオーバーなしに負荷均衡（ｌｏａｄ  ｂａｌａｎｃｉｎｇ）を向上させ、無視することができる遅延とのバックホール連結に対してＴＤＤ動作と関連されたＵＣＩ報告レイテンシー（ＵＣＩ  ｒｅｐｏｒｔｉｎｇ  ｌａｔｅｎｃｙ）を防止する。
【０１０６】
ＦＤＤ  ＰＣｅｌｌとＴＤＤ  ＳＣｅｌｌ間のＣＡを支援するために、複数の付加的な様相が存在する。このような付加的な様相は、ＦＤＤセルとＴＤＤセルでのＰＤＳＣＨ受信に対応するＨＡＲＱ−ＡＣＫ情報のためのペイロードの決定と、単一セルＴＤＤ動作に特定化されたＤＣＩフォーマット情報フィールドがＦＤＤセルとＴＤＤセルガンのＣＡの場合に維持されなければならないかに対する判断、及びＦＤＤセルからＴＤＤセルへのクロスキャリアスケジューリングの支援を含む。ＦＤＤとＴＤＤ単一セル動作に対して異なるＤＣＩフォーマット情報フィールドは、ＴＤＤ動作の場合にさらに大きいＤＬ  ＨＡＲＱプロセス個数フィールドのサイズと、ＤＬ  ＤＣＩフォーマット内のＤＡＩフィールドの存在、ＵＬ  ＤＣＩフォーマット内のＤＡＩフィールドの存在、少なくともＴＤＤ  ＵＬ−ＤＬ構成０に対するＵＬインデックスフィールドの存在、及びＡＲＯフィールドに対する値のマッピングを含む。また、ＦＤＤ  ＰＣｅｌｌは、ＵＥ（例えばＵＥ  １１４）がすべてのＴＴＩでＵＬ信号を伝送するようにし、多くの典型的な動作シナリオでＤＬトラフィックがＵＬトラフィックより実質的に大きいため、ＴＤＤ  ＳＣｅｌｌで多数のＵＬ  ＴＴＩを低減するか、または除去することが有利であることができる。
【０１０７】
ＴＤＤ  ＰＣｅｌｌとＦＤＤ  ＳＣｅｌｌ間のＣＡを支援するための複数の追加的な側面が存在する。そのうち１つは、ＦＤＤ  ＳＣｅｌｌのためのＤＬ  ＤＣＩフォーマットの伝送に対応するＨＡＲＱ−ＡＣＫ情報のＴＤＤ  ＰＣｅｌｌでの伝送のためのＵＬ  ＴＴＩを決定することと、ＴＤＤ  ＰＣｅｌｌとＦＤＤ  ＳＣｅｌｌ両方のためのＤＬ  ＤＣＩフォーマットの伝送に対応するＨＡＲＱ−ＡＣＫ情報のために組合されたペイロードを決定するものである。さらに他の側面は、ＤＬ  ＨＡＲＱプロセス個数フィールドとＤＡＩフィールドを含むＦＤＤ  ＳＣｅｌｌのためのＤＣＩフォーマット内の多様なフィールドの存在と寸法化を決定することと、ＤＬ  ＤＣＩフォーマット内のＡＲＯフィールドと、ＵＬ  ＤＣＩフォーマット内のＤＡＩフィールドまたはＵＬインデックスフィールドの値をマッピングするものである。さらに他の側面は、ＴＤＤ  ＰＣｅｌｌまたはＦＤＤ  ＳＣｅｌｌでＵＥ  １１４からのＨＡＲＱ−ＡＣＫ情報の伝送を支援するものである。さらに他の側面は、ＴＤＤ  ＰＣｅｌｌでＦＤＤ  ＳＣｅｌｌへのクロスキャリアスケジューリングを支援するものである。
【０１０８】
本発明の特定実施例は、ＦＤＤ  ＰＣｅｌｌまたはＴＤＤ  ＰＣｅｌｌでＦＤＤセルとＴＤＤセルの集成のためのＨＡＲＱ−ＡＣＫ情報ペイロードを決定するメカニズムを提供する。また、本発明の特定実施例は、ＦＤＤ  ＰＣｅｌｌまたはＴＤＤ  ＰＣｅｌｌでＳＣｅｌｌからＵＥへのＰＤＳＣＨ伝送（ＤＬ  ＤＣＩフォーマット）をスケジューリングするＤＣＩフォーマット内のＤＡＩフィールドまたはＡＲＯフィールドのＤＬ  ＨＡＲＱプロセス個数フィールドの存在、サイズまたは機能を決定するか、ＳＣｅｌｌでＵＥからのＰＵＳＣＨ伝送をスケジューリングするＤＣＩフォーマット内のＤＡＩフィールドまたはＵＬインデックスフィールドの存在、サイズまたは機能を決定するメカニズムを提供する。本発明の特定実施例は、ＦＤＤスケジューリングセルからＴＤＤスケジューリングされるセルへのクロスキャリアスケジューリングまたはＴＤＤスケジューリングセルからＦＤＤスケジューリングされるセルへのクロスキャリアスケジューリングを支援するメカニズムを提供する。また、本発明の特定実施例は、ＦＤＤセルとＴＤＤセルの集成で構成されたＵＥのための新しいＴＤＤ  ＵＬ−ＤＬ構成を定義する。
【０１０９】
ＦＤＤ−ＴＤＤ  ＣＡ及びＦＤＤＦＣｅｌｌのためのＨＡＲＱ−ＡＣＫペイロード決定
【０１１０】
特定実施例において、ＦＤＤ  ＰＣｅｌｌに対してＨＡＲＱ−ＡＣＫ信号の伝送がすべてのＵＬ  ＴＴＩで行われることができる。ＴＴＩ  ｎ＋ｋでのＵＥ  １１４からのＨＡＲＱ−ＡＣＫ信号の伝送は、ＴＴＩ  ｎでのＰＤＳＣＨ受信に対応して行われる。ＦＤＤ  ＰＣｅｌｌに対してｋ＝４である。ＴＤＤセルが（１つ以上が場合に）同一のＴＤＤ  ＵＬ−ＤＬ構成を利用するＦＤＤセルとＴＤＤセルを含むＣＡ動作において、ＵＥ  １１４から伝送されるＨＡＲＱ−ＡＣＫ信号のペイロードは、ＴＤＤ  ＳＣｅｌｌのためのそれぞれのＴＴＩがＵＬ  ＴＴＩであるか否かに依存することができる。ＴＤＤ  ＳＣｅｌｌでのＴＴＩがＵＬ  ＴＴＩではない場合、ＨＡＲＱ−ＡＣＫペイロードは、ＵＥ  １１４に対して構成されるすべてのＴＤＤ  ＳＣｅｌｌを含むことによって決定し、そうではなければ、ＦＤＤセルのみが含まれる。ＴＤＤ  ＳＣｅｌｌのためのＴＤＤ  ＵＬ−ＤＬ構成が物理階層シグナリング、例えばＰＤＣＣＨによって伝送されるＤＣＩフォーマットによってＵＥ  １１４のために適応的に構成される場合、上位階層シグナリング、例えばＲＲＣシグナリングによってＵＥ  １１４に対して構成される参照ＴＤＤ  ＵＬ−ＤＬ構成がＨＡＲＱ−ＡＣＫ情報を生成し、それぞれのペイロードを決定するのに使用される。
【０１１１】
第１方法によれば、ＵＥ  １１４が
【０１１２】
【数１７】
2018207541.tif 000022
【０１１３】
セルと、
【０１１４】
【数１８】
2018207541.tif 000023
【０１１５】
セルで２個のデータＴＢを支援するＰＤＳＣＨ  ＴＭで構成され、
【０１１６】
【数１９】
2018207541.tif 000024
【０１１７】
セルと、
【０１１８】
【数２０】
2018207541.tif 000025
【０１１９】
セルで２個のデータＴＢを支援するＰＤＳＣＨ  ＴＭで構成されれば、ＵＥ  １１４は、ＴＤＤ  ＳＣｅｌｌでのそれぞれのＴＴＩがＵＬ  ＴＴＩではなければ、
【０１２０】
【数２１】
2018207541.tif 000026
【０１２１】
個の情報ビットのＨＡＲＱ−ＡＣＫペイロードを決定し、ＴＤＤ  ＳＣｅｌｌでのそれぞれのＴＴＩがＵＬ  ＴＴＩなら
【０１２２】
【数２２】
2018207541.tif 000027
【０１２３】
個の情報ビットのＨＡＲＱ−ＡＣＫペイロードを決定する。
【０１２４】
図８は、本発明の第１方法を利用してＦＤＤ  ＰＣｅｌｌとＴＤＤ  ＳＣｅｌｌのためのＨＡＲＱ−ＡＣＫペイロードを決定する例を示す。図８に示されたＦＤＤ  ＰＣｅｌｌとＴＤＤ  ＳＣｅｌｌのためのＨＡＲＱ−ＡＣＫペイロードを決定する実施例は、例示的なものであって、本発明の範囲を逸脱することなく、他の実施例を利用してもよい。
【０１２５】
図８に図示された例において、ＵＥ  １１４は、ＵＥ  １１４に対してＰＣｅｌｌである第１ＦＤＤセル８１０と、第２ＦＤＤセル８２０、第１ＴＤＤセル８３０及び第２ＴＤＤセル８４０で構成される。ＵＥ  １１４からのＨＡＲＱ−ＡＣＫ信号の伝送は、ＦＤＤ  ＰＣｅｌｌで行われる。説明を簡単にするために、図８に図示された例は、ＵＥ  １１４が２個のデータＴＢを伝送するＰＤＳＣＨ  ＴＭで構成されるものと仮定する。また、ＵＥ  １１４がそれぞれのＴＴＩでＰＤＳＣＨを受信しないセルに対してＨＡＲＱ−ＡＣＫ情報ビットを伝送する場合、ＵＥ  １１４は、それぞれのＨＡＲＱ−ＡＣＫ情報ビットに対する値をＮＡＣＫに設定する。これによって、データＴＢ受信の不在（ＤＴＸ）と誤ったデータＴＢの検出（ＮＡＣＫ）が同一のＨＡＲＱ−ＡＣＫビット値（ＮＡＣＫ／ＤＴＸ状態）で表現される。ＴＴＩ＃０で、ＵＥ  １１４は、第１ＦＤＤセル８５０と第１ＴＤＤセル８５２でＰＤＳＣＨを受信し、図８に示されたような第２ＰＵＣＣＨフォーマット８５４を使用してＴＴＩ＃４でそれぞれのＰＤＳＣＨ受信に対する
【０１２６】
【数２３】
2018207541.tif 000028
【０１２７】
個のＨＡＲＱ−ＡＣＫ情報ビットを伝送する（またはＵＥ  １１４がＴＴＩ＃４でＰＵＳＣＨ伝送を行い、ＰＵＳＣＨとＰＵＣＣＨの同時伝送のために構成されない場合には、ＰＵＳＣＨで伝送する）。ＴＴＩ＃２で、ＵＥ  １１４は、第２ＦＤＤセル８６０でＰＤＳＣＨのみを受信し、ＴＴＩ＃２がＴＤＤセルのためのＵＬ  ＴＴＩであり、ＰＤＳＣＨを伝送することができないので、第２ＰＵＣＣＨフォーマット８６４を利用してＴＴＩ＃６で
【０１２８】
【数２４】
2018207541.tif 000029
【０１２９】
個のＨＡＲＱ−ＡＣＫ情報ビットを伝送する。ＴＴＩ＃３で、ＵＥ  １１４は、第２ＴＤＤセル８７０でＰＤＳＣＨのみを受信し、第２ＰＵＣＣＨフォーマット８７４を利用してＴＴＩ＃７で
【０１３０】
【数２５】
2018207541.tif 000030
【０１３１】
個のＨＡＲＱ−ＡＣＫ情報ビットを伝送する。最終的に、ＴＴＩ＃５でＵＥ  １１４は、ＦＤＤ  ＰＣｅｌｌ  ８８０でＰＤＳＣＨのみを受信し、例えば図６に示されたような第１ＰＵＣＣＨフォーマット８８４を利用してＴＴＩ＃９で
【０１３２】
【数２６】
2018207541.tif 000031
【０１３３】
個のＨＡＲＱ−ＡＣＫ情報ビットを伝送する。ｅＮＢ  １０２は、第２ＰＵＣＣＨフォーマットに対するＨＡＲＱ−ＡＣＫ信号伝送の不在（または第１ＰＵＣＣＨフォーマットに対するＨＡＲＱ−ＡＣＫ信号伝送の存在）を検出することによって、ＦＤＤ  ＰＣｅｌｌでのＰＤＳＣＨを除いたどんなＰＤＳＣＨも受信しないことを類推することができる。また、ＵＥ  １１４がＴＴＩでどんなＰＤＳＣＨ（またはＳＰＳ  ＰＤＳＣＨリリース）も受信しない場合、ＵＥ  １１４は、ＨＡＲＱ−ＡＣＫ信号を伝送しない。
【０１３４】
ＦＤＤ−ＴＤＤＣＡ及びＴＤＤ  ＰＣｅｌｌのためのＨＡＲＱ−ＡＣＫ伝送のためのペイロード及びＵＬ  ＴＴＩ決定
【０１３５】
特定実施例において、ＴＤＤ  ＰＣｅｌｌの場合、ＨＡＲＱ−ＡＣＫ信号の伝送は、ＵＬ  ＴＴＩのみで起きることができる。ＴＴＩ  ｎでＵＥ  １１４からのＨＡＲＱ−ＡＣＫ信号の伝送は、ＴＴＩ  ｎ−ｋでＵＥ  １１４によるＰＤＳＣＨ受信に応答して行われる。ここで、ＴＤＤ  ＰＣｅｌｌに対して、表２に示されたように、ｋ∈Ｋである（ＲＥＦ３参照）。ＦＤＤ  ＳＣｅｌｌとＴＤＤ  ＰＣｅｌｌ間のＣＡに対して、ＨＡＲＱ−ＡＣＫペイロードは、以後に説明されるように、ＴＤＤ  ＰＣｅｌｌのバンドリングウィンドウサイズ
【０１３６】
【数２７】
2018207541.tif 000032
【０１３７】
とＦＤＤ  ＳＣｅｌｌに対するＤＬ連携セットインデックス
【０１３８】
【数２８】
2018207541.tif 000033
【０１３９】
に依存する。ＴＤＤ  ＰＣｅｌｌでのそれぞれのＴＴＩがＵＬ  ＴＴＩであるＦＤＤセルでＴＴＩを収容するために、バンドリングウィンドウサイズ
【０１４０】
【数２９】
2018207541.tif 000034
【０１４１】
は、ＦＤＤ  ＳＣｅｌｌのために定義されることができる。
【０１４２】
ＦＤＤ  ＳＣｅｌｌのためのＤＬ連携セットインテックス
【０１４３】
【数３０】
2018207541.tif 000035
【０１４４】
を決定する第１方法は、ＵＥ  １１４がＰＤＳＣＨを受信し、データＴＢをデコーディングするＤＬ  ＴＴＩとＵＥ  １１４がそれぞれのＨＡＲＱ−ＡＣＫ情報を伝送するＵＬ  ＴＴＩ間のレイテンシーを最小化することを考慮する。表４は、ＤＬ  ＴＴＩ  ｎ−ｋを示す。ここで、
【０１４５】
【数３１】
2018207541.tif 000036
【０１４６】
であり、ＤＬ  ＴＴＩ  ｎ−ｋ中にＦＤＤ  ＳＣｅｌｌでデータＴＢを伝送するＰＤＳＣＨの受信に対応するＨＡＲＱ−ＡＣＫ情報の伝送はＴＤＤ  ＰＣｅｌｌでのＵＬ  ＴＴＩ  ｎで行われる。
【０１４７】
【表４】
2018207541.tif 000037
【０１４８】
下向きリンク連携セットインデックス
【０１４９】
【数３２】
2018207541.tif 000038
【０１５０】
表４のＤＬ連携セットインデックス
【０１５１】
【数３３】
2018207541.tif 000039
【０１５２】
がＵＥ  １１４がＰＤＳＣＨを受信し、それぞれのデータＴＢをデコーディングするＤＬ  ＴＴＩとＵＥ  １１４がそれぞれのＨＡＲＱ−ＡＣＫ情報を伝送するＵＬ  ＴＴＩ間のレイトンスを最小化するが、このようなレイトンスはそれぞれのＵＬ  ＴＴＩで伝送されるＨＡＲＱ−ＡＣＫ情報ペイロードの不均衡をもたらす。例えば、ＴＤＤ  ＵＬ−ＤＬ構成１の場合、最大４個のＤＬ  ＴＴＩ中のデータＴＢの検出に相当するＨＡＲＱ−ＡＣＫ情報がＵＬ  ＴＴＩ＃２で伝送される一方で、最大１つのＤＬ  ＴＴＩ中のデータＴＢの検出に相当するＨＡＲＱ−ＡＣＫ情報がＴＴＩ＃３で伝送される。このような不均衡は、異なるＵＬ  ＴＴＩで伝送されるＨＡＲＱ−ＡＣＫ情報に関する不均等な受信信頼性と不均等なカバレージをもたらす。
【０１５３】
ＦＤＤ  ＳＣｅｌｌのためのＤＬ連携セットインデックス
【０１５４】
【数３４】
2018207541.tif 000040
【０１５５】
を決定する第２方法は、表２のＤＬ連携セットインデックスＫがＴＤＤ  ＰＣｅｌｌのために使用されると仮定しながら、ＴＤＤ  ＰＣｅｌｌとＦＤＤ  ＳＣｅｌｌ両方のためのＨＡＲＱ−ＡＣＫ情報ペイロードの均衡を考慮する。表５は、ＤＬ  ＴＴＩ  ｎ−ｋを示す。ここで、
【０１５６】
【数３５】
2018207541.tif 000041
【０１５７】
であり、ＤＬ  ＴＴＩ  ｎ−ｋ中にＦＤＤ  ＳＣｅｌｌでのデータＴＢの受信に対応するＨＡＲＱ−ＡＣＫ情報の伝送がＴＤＤ  ＰＣｅｌｌでのＵＬ  ＴＴＩ  ｎで行われる。
【０１５８】
【表５】
2018207541.tif 000042
【０１５９】
下向きリンク連携セットインデックス
【０１６０】
【数３６】
2018207541.tif 000043
【０１６１】
第２方法は、ＴＤＤ  ＰＣｅｌｌとＴＤＤ  ＳＣｅｌｌ間で拡張されることができる。ＴＤＤ  ＰＣｅｌｌに対するＤＬ連携セットインデックスＫは、表２に示された通りであり、ＴＤＤ  ＳＣｅｌｌに対するＤＬ連携セットインデックスＫは、表６に示された通りである。
【０１６２】
【表６】
2018207541.tif 000044
【０１６３】
ＴＤＤ  ＳＣｅｌｌに対する下向きリンク連携セットインデックス
【０１６４】
【数３７】
2018207541.tif 000045
【０１６５】
ＦＤＤ  ＳＣｅｌｌに対するＤＬ連携セットインデックス
【０１６６】
【数３８】
2018207541.tif 000046
【０１６７】
を決定するための第１方法または第２方法は、ＨＡＲＱ−ＡＣＫ情報に対する報告レイテンシー（ｒｅｐｏｒｔｉｎｇ  ｌａｔｅｎｃｙ）を最小化するもののように性能メトリックを最適化するか、異なるＵＬ  ＴＴＩでＨＡＲＱ−ＡＣＫ情報ペイロードの均衡を向上させることを目標とする。しかし、２つの方法は、いずれも単一ＴＤＤセルに対するＤＬ連携セットインデックスＫの決定に関する重要な変化を示す。結果的に、関連したセルがＴＤＤ  ＰＣｅｌｌ（または単一ＴＤＤセル）であるか、ＦＤＤ  ＳＣｅｌｌであるかによって、スケジューリングのためのＨＡＲＱ−ＡＣＫ情報の他の方式の処理がｅＮＢ  １０２で必要であり、他の方式のＨＡＲＱ−ＡＣＫ情報の生成がＵＥ  １１４で必要である。
【０１６８】
ＦＤＤ  ＳＣｅｌｌのためのＤＬ連携セットインデックス
【０１６９】
【数３９】
2018207541.tif 000047
【０１７０】
を決定するための第３方法は、ＴＤＤ  ＰＣｅｌｌに対するＨＡＲＱ−ＡＣＫ情報に関してＦＤＤ  ＳＣｅｌｌに対するｅＮＢ  １０２のプロセッシングまたはＵＥ  １１４のＨＡＲＱ−ＡＣＫ情報の生成及び報告の変更を最小化することを考慮する。表７は、ＤＬ  ＴＴＩ  ｎ−ｋを示す。ここで、
【０１７１】
【数４０】
2018207541.tif 000048
【０１７２】
であり、ＤＬ  ＴＴＩｎ−ｋ中にＦＤＤ  ＳＣｅｌｌでのデータＴＢの受信に対応するＨＡＲＱ−ＡＣＫ情報の伝送がＴＤＤ  ＰＣｅｌｌでのＵＬ  ＴＴＩ  ｎで行われる。
【０１７３】
【表７】
2018207541.tif 000049
【０１７４】
下向きリンク連携セットインデックス
【０１７５】
【数４１】
2018207541.tif 000050
【０１７６】
ＦＤＤ  ＳＣｅｌｌに対するＤＬ連携セットインデックス
【０１７７】
【数４２】
2018207541.tif 000051
【０１７８】
（一部ＴＤＤ  ＵＬ−ＤＬ構成に対しては、第２方法と第３方法で同一である）を決定するための前記方法の組合は、ＴＤＤ  ＵＬ−ＤＬ構成に依存するものと見なされることができる。例えば、ＴＤＤ  ＵＬ−ＤＬ構成０に対して表５を考慮することができる一方で、ＴＤＤ  ＵＬ−ＤＬ構成３に対しては、表７を考慮することができる。また、ＴＤＤセルに対するそれぞれのＨＡＲＱ−ＡＣＫ情報を報告するための表２のＤＬ  ＴＴＩの配置とは異なって、ＦＤＤ  ＳＣｅｌｌに対するそれぞれのＨＡＲＱ−ＡＣＫ情報を報告するためのＤＬ  ＴＴＩの配置は、ＤＬ  ＴＴＩの手順による。これは、ＴＤＤセルにおける特別な（ｓｐｅｃｉａｌ）ＤＬ  ＴＴＩに対して、同一のインデックスのＤＬ  ＴＴＩがＦＤＤ  ＳＣｅｌｌでの一般的なＤＬ  ＴＴＩだからである。
【０１７９】
ＴＤＤ  ＰＣｅｌｌとＦＤＤ  ＳＣｅｌｌで構成されたＵＥ  １１４のためのＵＬ  ＴＴＩでのＨＡＲＱ−ＡＣＫ情報のペイロードは、ＦＤＤ  ＳＣｅｌｌに対するＤＬ連携セットインデックス
【０１８０】
【数４３】
2018207541.tif 000052
【０１８１】
から決定することができる。例えば、（表５と表７で同一のＤＬ連携セットインデックス
【０１８２】
【数４４】
2018207541.tif 000053
【０１８３】
を有する）ＴＤＤ  ＵＬ−ＤＬ構成２，４，５または６の場合、ＨＡＲＱ−ＡＣＫ情報のペイロードは、
【０１８４】
【数４５】
2018207541.tif 000054
【０１８５】
になる。残りＴＤＤ  ＵＬ−ＤＬ構成の場合、ＨＡＲＱ−ＡＣＫ情報のペイロードは、ＦＤＤ  ＳＣｅｌｌのために使用されるＤＬ連携セットインデックス
【０１８６】
【数４６】
2018207541.tif 000055
【０１８７】
によって
【０１８８】
【数４７】
2018207541.tif 000056
【０１８９】
になり得る。
【０１９０】
第１方法において、ＴＤＤ  ＰＣｅｌｌとＦＤＤ  ＳＣｅｌｌで構成されたＵＥ  １１４は、セルがＴＤＤセルであるかＦＤＤセルであるかに関係なく、
【０１９１】
【数４８】
2018207541.tif 000057
【０１９２】
のバンドリングウィンドウサイズを仮定することによって、ＨＡＲＱ−ＡＣＫ情報のペイロードを決定する。もし
【０１９３】
【数４９】
2018207541.tif 000058
【０１９４】
なら、ＴＤＤ  ＰＣｅｌｌに対してＵＥ  １１４は、
【０１９５】
【数５０】
2018207541.tif 000059
【０１９６】
に相当するＤＬ  ＴＴＩのバンドリングウィンドウでインデックス
【０１９７】
【数５１】
2018207541.tif 000060
【０１９８】
であるＤＬ  ＴＴＩに該当するＨＡＲＱ−ＡＣＫ情報ビットをＤＴＸに設定することができる。
【０１９９】
図９は、本発明による第１方法を利用してＴＤＤ  ＰＣｅｌｌとＦＤＤ  ＳＣｅｌｌのためのＨＡＲＱ−ＡＣＫペイロードを決定する例を示す。図９に示されたＴＤＤ  ＰＣｅｌｌとＦＤＤ  ＳＣｅｌｌのためのＨＡＲＱ−ＡＣＫペイロードの実施例は、例示的なものであって、本発明の範囲を逸脱することなく、他の実施例が利用されることができる。
【０２００】
図９に図示された例において、ＵＥ  １１４は、ＴＤＤ  ＰＣｅｌｌ  ９１０とＦＤＤ  ＳＣｅｌｌ  ９２０で構成される。ＵＬ  ＴＴＩ＃１２  ９３０で、ＵＥ  １１４は、ＴＤＤ  ＰＣｅｌｌでＨＡＲＱ−ＡＣＫ情報を伝送する。ＴＤＤ  ＰＣｅｌｌに対して、ＵＥ  １１４は、ＴＴＩ＃４  ９４０、ＴＴＩ＃５  ９４２、ＴＴＩ＃６  ９４４及びＴＴＩ＃８  ９４６を含む１つ以上のＤＬ  ＴＴＩでの１つ以上のＰＤＳＣＨの受信に対応してＵＬ  ＴＴＩ＃２でＨＡＲＱ−ＡＣＫ情報を伝送する。したがって、
【０２０１】
【数５２】
2018207541.tif 000061
【０２０２】
になる。ＦＤＤ  ＳＣｅｌｌの場合、ＵＥ  １１４は、ＴＴＩ＃４  ９５０、ＴＴＩ＃５  ９５２、ＴＴＩ＃６  ９５４、ＴＴＩ＃７  ９５６及びＴＴＩ＃８  ９５８を含む１つ以上のＤＬ  ＴＴＩでの１つ以上のＰＤＳＣＨ受信に対応してＵＬ  ＴＴＩ＃２でＨＡＲＱ−ＡＣＫ情報を伝送する。従って、
【０２０３】
【数５３】
2018207541.tif 000062
【０２０４】
になる。
【０２０５】
【数５４】
2018207541.tif 000063
【０２０６】
なので、ＴＤＤ  ＰＣｅｌｌとＦＤＤ  ＳＣｅｌｌの両方に対して
【０２０７】
【数５５】
2018207541.tif 000064
【０２０８】
に相当するＤＬ  ＴＴＩの同一のバンドリングウィンドウサイズに対してＵＥ  １１４は、ＴＤＤ  ＰＣｅｌｌのための最後の（仮想の）
【０２０９】
【数５６】
2018207541.tif 000065
【０２１０】
のＤＬ  ＴＴＩｓに該当するＨＡＲＱ−ＡＣＫ情報をＤＴＸ（またはＮＡＣＫ）に設定することができる。
【０２１１】
結果的に、ＴＤＤ  ＵＬ−ＤＬ構成２と４の場合のように、ＴＤＤ  ＰＣｅｌｌが
【０２１２】
【数５７】
2018207541.tif 000066
【０２１３】
のバンドリングウィンドウサイズを有するとき、ＦＤＤ  ＳＣｅｌｌは、
【０２１４】
【数５８】
2018207541.tif 000067
【０２１５】
のバンドリングウィンドウサイズを有する。４より大きいバンドリングウィンドウサイズは、チャネル選択によるＰＵＣＣＨフォーマット１ｂを利用したＨＡＲＱ−ＡＣＫマルチプレキシングと（ＲＥＦ３参照）図３に図示された例のような伝送構造の使用を不可能にする。これは、ＴＤＤ  ＰＣｅｌｌが
【０２１６】
【数５９】
2018207541.tif 000068
【０２１７】
のサイズを有するとき、ＦＤＤ  ＳＣｅｌｌの１つの動作モード（チャネル選択によるＰＵＣＣＨフォーマット１ｂを利用したＨＡＲＱ−ＡＣＫマルチプレキシング）であることができる。
【０２１８】
チャネル選択によるＰＵＣＣＨフォーマット１ｂを利用したＨＡＲＱ−ＡＣＫ使用を可能にする第１代案において、
【０２１９】
【数６０】
2018207541.tif 000069
【０２２０】
である場合、有効バンドリングウィンドウサイズ
【０２２１】
【数６１】
2018207541.tif 000070
【０２２２】
は、
【０２２３】
【数６２】
2018207541.tif 000071
【０２２４】
として定義されることができる。有効バンドリングウィンドウサイズ
【０２２５】
【数６３】
2018207541.tif 000072
【０２２６】
が意味することは、バンドリングウィンドウサイズ
【０２２７】
【数６４】
2018207541.tif 000073
【０２２８】
が存在しても、ＵＥ  １１４は、ＦＤＤ  ＳＣｅｌｌで
【０２２９】
【数６５】
2018207541.tif 000074
【０２３０】
に相当するＴＴＩではなく、
【０２３１】
【数６６】
2018207541.tif 000075
【０２３２】
に相当するＴＴＩのみでスケジューリングされるものと期待することができるということである。ＵＥ  １１４は、ＦＤＤ  ＳＣｅｌｌのＴＴＩでのＰＤＳＣＨ受信をスケジューリングするＤＬ  ＤＣＩフォーマットに含まれたＤＡＩフィールドに基づいて前記ＴＴＩをそれぞれのＨＡＲＱ−ＡＣＫ情報と関連させることができる。ＰＤＳＣＨが同一のバンドリングウィンドウでＵＥ  １１４に伝送される
【０２３３】
【数６７】
2018207541.tif 000076
【０２３４】
ＰＤＳＣＨであることを示すＤＡＩ値を有するＤＬ  ＤＣＩフォーマットをＵＥ  １１４が検出すれば、ＵＥ  １１４は、同一のバンドリングウィンドウの次のＴＴＩでＤＬ  ＤＣＩフォーマットの検出を無視することができる。例えば図９を参照すれば、ＵＥ  １１４がＴＴＩ＃４  ９５０、ＴＴＩ＃５  ９５２、ＴＴＩ＃６  ９５４及びＴＴＩ＃７  ９５６でＦＤＤ  ＳＣｅｌｌに対するＤＬ  ＤＣＩフォーマットを検出する場合、ＵＥ  １１４は、ＴＴＩ＃８  ９５８でＤＬ  ＤＣＩフォーマットの検出を無視する。ＵＥ  １１４がＴＴＩ＃４  ９５０、ＴＴＩ＃５  ９５２、ＴＴＩ＃６  ９５４及びＴＴＩ＃７  ９５６のうち１つ以上でＦＤＤ  ＳＣｅｌｌに対するＤＬ  ＤＣＩフォーマットを検出しなければ、ＵＥ  １１４は、ＴＴＩ＃８  ９５８でＤＬ  ＤＣＩフォーマットの検出を考慮する。ＦＤＤ  ＳＣｅｌｌでの動作のためのそれぞれのＤＬ  ＤＣＩフォーマット内のＤＡＩフィールドの導入は、以後に説明する。
【０２３５】
チャネル選択によるＰＵＣＣＨフォーマット１ｂを利用したＨＡＲＱ−ＡＣＫマルチプレキシングの使用を可能にするための第２代案において、
【０２３６】
【数６８】
2018207541.tif 000077
【０２３７】
との間の値を示すＤＡＩフィールドを有するバンドリングウィンドウ内のＴＴＩでのＤＬ  ＤＣＩフォーマットに該当するＨＡＲＱ−ＡＣＫ情報のためにバンドリングを使用することができる。このような時間ドメインバンドリングによって、排他的（ｅｘｃｌｕｓｉｖｅ）ＯＲ（ＸＯＲ）演算を連続的に利用して
【０２３８】
【数６９】
2018207541.tif 000078
【０２３９】
との間のインデックスを有するバンドリングウィンドウのそれぞれのＴＴＩでのＰＤＳＣＨ受信のための単一ＨＡＲＱ−ＡＣＫ情報を生成する。ＸＯＲ演算はＸＯＲ（０，０）＝０，ＸＯＲ（０，１）＝１，ＸＯＲ（１，０）＝１，ＸＯＲ（１，１）＝０として定義される。例えば、ＴＤＤ  ＵＬ−ＤＬ構成２または４及び表５または表７に示されたようなＦＤＤ  ＳＣｅｌｌのためのＤＬ連携セットインデックス
【０２４０】
【数７０】
2018207541.tif 000079
【０２４１】
に対して、
【０２４２】
【数７１】
2018207541.tif 000080
【０２４３】
になる。ＵＥ  １１４がバンドリングウィンドウのすべてのＴＴＩでＤＬ  ＤＣＩフォーマットを検出すれば、最後の２つのＤＬ  ＤＣＩフォーマット内のＤＡＩ値は、それぞれ３と４を有し、ＵＥ  １１４は、ＦＤＤ  ＳＣｅｌｌのためのバンドリングウィンドウ内の最後の２つのＴＴＩに対する単一ＨＡＲＱ−ＡＣＫ情報を生成するためにＨＡＲＱ−ＡＣＫ情報に対するバンドリングを行う。
【０２４４】
前記例で、ＵＥ  １１４が前記２つのＴＴＩ各々に対するＤＬ  ＤＣＩフォーマットを検出せず、２つのＤＬ  ＤＣＩフォーマットそれぞれのＤＡＩフィールドの値が３と４ではなければ、ＵＥ  １１４は、最後の２つのＴＴＩでＨＡＲＱ−ＡＣＫ情報のバンドリングを行わない。また、ＵＥ  １１４は、前述したＨＡＲＱ−ＡＣＫ情報のバンドリングをＦＤＤ  ＳＣｅｌｌにのみ適用する。この際、ＴＤＤ  ＰＣｅｌｌの場合、ＨＡＲＱ−ＡＣＫ情報のペイロードは、
【０２４５】
【数７２】
2018207541.tif 000081
【０２４６】
であり、ＨＡＲＱ−ＡＣＫ情報のバンドリングは不要である。例えば図９を参照すれば、ＵＥ  １１４は、ＴＤＤ  ＰＣｅｌｌに対するＤＬ  ＤＣＩフォーマットの検出に該当するＨＡＲＱ−ＡＣＫ情報はバンドリングしない一方で、前記２つのＤＬ  ＤＣＩフォーマットそれぞれのＤＡＩフィールドの値がそれぞれ３と４の場合にのみ、すなわちＵＥ  １１４が
【０２４７】
【数７３】
2018207541.tif 000082
【０２４８】
に相当するＴＴＩを含むバンドリングウィンドウのそれぞれのＴＴＩのためのＤＬ  ＤＣＩフォーマットを検出した場合にのみ、ＴＴＩ＃７  ９５６とＴＴＩ＃８  ９５８中にＦＤＤ  ＳＣｅｌｌに対する２つのＤＬ  ＤＣＩフォーマットの検出に該当するＨＡＲＱ−ＡＣＫ情報のバンドリングを行う。
【０２４９】
第２代案において、ＴＤＤ  ＰＣｅｌｌとＦＤＤ  ＳＣｅｌｌで構成されたＵＥ  １１４は、バンドリングウィンドウサイズ
【０２５０】
【数７４】
2018207541.tif 000083
【０２５１】
を仮定することによって、ＨＡＲＱ−ＡＣＫ情報のペイロードを決定する。例えば、第２代案は、ＵＥ  １１４がＰＵＣＣＨフォーマット３（ＲＥＦ１参照）を使用してＨＡＲＱ−ＡＣＫ情報を伝送する場合に適用されることができる。ＵＥ  １１４は、セルインデックスによってＴＤＤ  ＰＣｅｌｌは一番目、ＦＤＤ  ＳＣｅｌｌは二番目のように、ＨＡＲＱ−ＡＣＫ情報ビットを配列することができる。引き続いて、ＵＥ  １１４は、組合されたペイロードが１１ビットを超える場合（ＲＥＦ２参照）、デュアルＲＭコードでエンコーディングする前に、前記ＨＡＲＱ−ＡＣＫ情報ビットをインターリビングする。ＵＥ  １１４は、全体
【０２５２】
【数７５】
2018207541.tif 000084
【０２５３】
ビットのペイロードに対してＴＤＤ  ＰＣｅｌｌのための
【０２５４】
【数７６】
2018207541.tif 000085
【０２５５】
個のＨＡＲＱ−ＡＣＫ情報ビットとＦＤＤ  ＳＣｅｌｌのための
【０２５６】
【数７７】
2018207541.tif 000086
【０２５７】
個のＨＡＲＱ−ＡＣＫ情報ビットを生成する。ここで、
【０２５８】
【数７８】
2018207541.tif 000087
【０２５９】
は、ＵＥ  １１４がＴＤＤ  ＰＣｅｌｌに対して構成されるＰＤＳＣＨ  ＴＭのためのＨＡＲＱ−ＡＣＫ情報ビットの個数であり、
【０２６０】
【数７９】
2018207541.tif 000088
【０２６１】
は、ＦＤＤ  ＳＣｅｌｌに対してＵＥ  １１４が構成されるＰＤＳＣＨ  ＴＭのためのＨＡＲＱ−ＡＣＫ情報ビットの個数である。
【０２６２】
図９を参照すれば、ＴＤＤ  ＰＣｅｌｌで最大２つのデータＴＢを伝送し、ＦＤＤ  ＳＣｅｌｌで１つのデータＴＢを伝送するＰＤＳＣＨ  ＴＭでＵＥ  １１４が構成されることを意味する
【０２６３】
【数８０】
2018207541.tif 000089
【０２６４】
を仮定すれば、ＵＥ  １１４は、ＴＤＤ  ＰＣｅｌｌ  ９１０に対する少なくとも１つのＤＬ  ＤＣＩフォーマットとＦＤＤ  ＳＣｅｌｌ  ９２０に対する少なくとも１つのＤＬ  ＤＣＩフォーマットを検出し、ＵＬ  ＴＴＩ＃１２  ９３０での伝送のためにＴＤＤ  ＰＣｅｌｌのバンドリングウィンドウのＴＴＩ  ９４０，９４２，９４４，９４６のための８個のＨＡＲＱ−ＡＣＫ情報ビットとＦＤＤ  ＳＣｅｌｌのバンドリングウィンドウのＴＴＩ  ９５０，９５２，９５４，９５６，９５８のための５個のＨＡＲＱ−ＡＣＫ情報ビットを生成する。ＵＥ  １１４がＤＬ  ＤＣＩフォーマットを検出しないＤＬ  ＴＴＩで、それぞれのＨＡＲＱ−ＡＣＫビットは、ＮＡＣＫ／ＤＴＸに設定されることができる。
【０２６５】
（ＴＤＤ  ＰＣｅｌｌ上でＵＬ  ＴＴＩに該当するＴＴＩを除くことによって、ＴＤＤ  ＰＣｅｌｌとＦＤＤ  ＳＣｅｌｌ両方に対して最大バンドリングウィンドウサイズ
【０２６６】
【数８１】
2018207541.tif 000090
【０２６７】
を仮定しない）第２代案の長所は、全体ペイロードが固定されたＨＡＲＱ−ＡＣＫ情報ビット（各々はＮＡＣＫ／ＤＴＸ値に設定される）を含むことによって、不要に増加しないので（全体ＨＡＲＱ−ＡＣＫ情報のペイロードが１１のような第１値を超過する場合）、単一ＲＭコードの代わりに、デュアルＲＭコードが使用される確率を低めるか、全体ＨＡＲＱ−ＡＣＫ情報ペイロードを２３のような第２値以下に減少させるために、同一のＰＤＳＣＨによって伝送される２個のデータＴＢに該当するＨＡＲＱ−ＡＣＫ情報ビットのバンドリングが使用される確率を低めるものである。
【０２６８】
ＦＤＤ  ＰＣｅｌｌの場合、ＴＤＤ  ＳＣｅｌｌでのスケジューリングのためのＤＬ  ＤＣＩフォーマット内のＤＬ  ＨＡＲＱプロセス個数フィールド、ＤＡＩフィールド及びＡＲＯフィールドとＵＬ  ＤＣＩフォーマット内のＤＡＩフィールド及びＵＬインデックスフィールド
【０２６９】
特定実施例において、ＦＤＤ  ＰＣｅｌｌを有するＴＤＤ  ＳＣｅｌｌでＰＤＳＣＨをスケジューリングするＤＣＩフォーマット内のＤＬ  ＨＡＲＱプロセス個数フィールドに対して、ＨＡＲＱ−ＡＣＫ伝送は、（ＦＤＤ  ＰＣｅｌｌでは、ＰＵＣＣＨを介してまたはＦＤＤ  ＰＣｅｌｌまたはＴＤＤ  ＳＣｅｌｌではＰＵＳＣＨを介して）すべてのＴＴＩで起きることができる。結果的に、ＴＤＤのみを利用しむた動作のように、ＵＥ  １１４からのＨＡＲＱ−ＡＣＫ報告のための追加的なレイテンシーが不要になるので、ＦＤＤ  ＰＣｅｌｌに比べてＴＤＤ  ＳＣｅｌｌでのＰＤＳＣＨ伝送のためのさらに多い数のＤＬ  ＨＡＲＱプロセスを支援する必要がなくなる。
【０２７０】
したがって、ＦＤＤ  ＰＣｅｌｌとＴＤＤ  ＳＣｅｌｌの間のＣＡの場合、ＴＤＤ  ＳＣｅｌｌでのＰＤＳＣＨスケジューリングのためのさらに多いＨＡＲＱプロセスを行う必要がないし、ＦＤＤ  ＰＣｅｌｌまたはＴＤＤ  ＳＣｅｌｌでのＰＤＳＣＨスケジューリングのためのＤＬ  ＤＣＩフォーマットはＤＬ  ＨＡＲＱプロセスフィールドのための同一のビット数、例えば、最大８個のＨＡＲＱプロセスを支援するための３ビットを有する。
【０２７１】
ＤＬ  ＨＡＲＱプロセス個数フィールドと同様に、ＵＥ  １１４からのＨＡＲＱ−ＡＣＫ情報の伝送は、すべてのＴＴＩで起きることができるので、ＴＤＤ  ＳＣｅｌｌのためのバンドリングウィンドウサイズは、常に１つのＴＴＩと同一である。したがって、ＦＤＤ  ＰＣｅｌｌとＴＤＤ  ＳＣｅｌｌとの間のＣＡの場合、ＴＤＤ  ＳＣｅｌｌでのＰＤＳＣＨスケジューリングのためのＤＬ  ＤＣＩフォーマットは、単一セルＴＤＤ動作の場合、バンドリングウィンドウでＤＬ  ＤＣＩフォーマットのカウンターとして機能するＤＡＩフィールドを含まない。ＦＤＤ  ＰＣｅｌｌまたはＴＤＤ  ＳＣｅｌｌでのＰＤＳＣＨをスケジューリングするＤＬ  ＤＣＩフォーマット内のＤＬ  ＨＡＲＱプロセス個数フィールドが同一のサイズを有し、ＦＤＤ  ＰＣｅｌｌとＴＤＤ  ＳＣｅｌｌでＤＬ  ＤＣＩフォーマットにＤＡＩフィールドが存在しなければ、ＰＤＳＣＨがＦＤＤ  ＰＣｅｌｌでスケジューリングされるか、ＴＤＤ  ＳＣｅｌｌでスケジューリングされるかに関係なく、ＤＬ  ＤＣＩフォーマットは、同一のサイズを有するようになる。
【０２７２】
付加的に、ＵＥ  １１４からのＨＡＲＱ−ＡＣＫ情報の伝送がすべてのＴＴＩで起きることができるので、ＴＤＤ  ＳＣｅｌｌのためのＤＬ  ＤＣＩフォーマット内のＡＲＯフィールドのマッピングは、ＦＤＤ  ＰＣｅｌｌと同じ方式に行われることができ、これは、時間ドメインでのＰＵＣＣＨ資源圧縮が不要であるからである。したがって、単一セルＴＤＤ動作とは異なって、本発明の特定実施例は、ＤＬ  ＤＣＩフォーマット内のＡＲＯフィールドのマッピングがＴＤＤ  ＳＣｅｌｌのすべてのＤＬ  ＴＴＩで表３のｍ＝0の場合のようなものとして見做す。
【０２７３】
ＦＤＤ  ＰＣｅｌｌからのＴＤＤ  ＳＣｅｌｌのクロスキャリアスケジューリングの場合、すべてのＴＴＩでＦＤＤ  ＰＣｅｌｌ上でＤＬ  ＤＣＩフォーマットが伝送されることができる。この場合、１つのフレームでＴＤＤ  ＵＬ−ＤＬ構成がさらに多くのＤＬ  ＴＴＩを有するか、さらに多くのＵＬ  ＴＴＩを有するかに関係なく、ＵＥ  １１４にＰＵＳＣＨ伝送のためのＴＴＩの個数を示すためのＵＬ  ＤＣＩフォーマット内のＵＬインデックスフィールドが不要である（ＴＤＤ  ＵＬ−ＤＬ構成０の場合）。ＴＤＤ  ＳＣｅｌｌの場合、ＴＤＤ  ＳＣｅｌｌのＴＴＩ  ｎでのＰＵＳＣＨ伝送をスケジューリングするＤＣＩフォーマットがＦＤＤ  ＳＣｅｌｌのＴＴＩ  ｎ−４で伝送されることによって、これは、新しいＨＡＲＱタイミングを示唆する。ＴＤＤ  ＳＣｅｌｌに対するＨＡＲＱタイミングが従来の単一セル動作のように維持されたら、ＴＤＤ  ＳＣｅｌｌでのＰＵＳＣＨスケジューリングのためのＦＤＤ  ＰＣｅｌｌでのＵＬ  ＤＣＩフォーマットが単一セルＴＤＤ動作のように、同一のＴＴＩで伝送されるので、ＵＬインデックスフィールドもＴＤＤ  ＳＣｅｌｌ（ＴＤＤ  ＵＬ−ＤＬ構成０）でのＰＵＳＣＨ伝送をスケジューリングするＵＬ  ＤＣＩフォーマット内で維持される。
【０２７４】
ＦＤＤ  ＰＣｅｌｌの場合、ＨＡＲＱ−ＡＣＫ信号の伝送は、すべてのＴＴＩで起きることができる。ＴＴＩ  ｎ＋４でＵＥ  １１４からのＨＡＲＱ−ＡＣＫ信号の伝送は、ＴＴＩ  ｎでのＰＤＳＣＨ受信に対応して行われる。ここで、ＦＤＤ  ＰＣｅｌｌに対してｋ＝４である。結果的に、ＦＤＤ  ＰＣｅｌｌでのＨＡＲＱ−ＡＣＫ信号伝送は、ＴＤＤ  ＳＣｅｌｌのためのＨＡＲＱ−ＡＣＫ情報ビットを含まないか（それぞれのＴＴＩがＵＬ  ＴＴＩの場合）、ＴＤＤ  ＳＣｅｌｌでの単一ＰＤＳＣＨ受信に対応するＨＡＲＱ−ＡＣＫビットを含む。したがって、ＴＤＤ  ＳＣｅｌｌのための最大４個のＴＴＩ（４個のＤＬ  ＤＣＩフォーマット）のためのＰＵＳＣＨにＨＡＲＱ−ＡＣＫ情報ビットが含まれることを示すことができる２ビットのＤＡＩフィールドが不要であり、ＴＤＤセルのためのＵＬ  ＤＣＩフォーマットでのシグナリングオーバーヘッドを防止することができる。
【０２７５】
第１方法において、ＰＵＳＣＨをスケジューリングするＵＬ  ＤＣＩフォーマットにＤＡＩフィールドが含まれない。したがって、ＵＥ  １１４がＦＤＤ  ＰＣｅｌｌでのＰＤＳＣＨ受信またはＴＤＤ  ＳＣｅｌｌでのＰＤＳＣＨ受信に対応して（ＰＵＳＣＨで）ＨＡＲＱ−ＡＣＫ情報ビットをマルチプレキシングすれば、ＵＥ  １１４がそれぞれのＴＴＩでＰＤＳＣＨを受信しないセルに該当するＨＡＲＱ−ＡＣＫ情報ビットをＮＡＣＫ／ＤＸＴ値に設定することによって、ＵＥ  １１４は、すべてのセルに対するＨＡＲＱ−ＡＣＫ情報ビットを含むようになる。セルフ−キャリアスケジューリング及びＴＤＤ  ＵＬ−ＤＬ構成０を除いた表１のすべてのＴＤＤ  ＵＬ−ＤＬ構成の場合、前記第１方法によれば、それぞれのＰＵＳＣＨがＦＤＤセルでスケジューリングされるか、ＴＤＤセルでスケジューリングされるかに関係なく、ＵＬ  ＤＣＩフォーマットが同一のサイズを有するようになる。
【０２７６】
ＦＤＤ  ＰＣｅｌｌからＴＤＤ  ＳＣｅｌｌでのＰＵＳＣＨ伝送のためのクロスキャリアスケジューリングの場合、前記の結論は、以前に記述したように、異なるＨＡＲＱタイミングが適用され、ＵＬインデックスフィールドがＵＬ  ＤＣＩフォーマットから省略される場合、ＴＤＤ  ＵＬ−ＤＬ構成０にも適用される。
【０２７７】
図１０は、本発明の第１方法によってそれぞれのＵＥが単一ＴＤＤセルで動作するか、ＦＤＤ  ＰＣｅｌｌとＴＤＤ  ＳＣｅｌｌのＣＡで動作するか否かによってＵＬ  ＤＣＩフォーマット内のＤＡＩフィールドを使用する例を示す。図１０の流れ図が一連の順次な段階を示しているが、明白に言及しない限り、特定の実行手順に関するシーケンス、その段階または部分の同時的やオーバーラップされない順次な実行、または介在される段階や中間段階なしに排他的に示された段階の実行を類推しない。図示された例のプロセスは、例えば移動局の伝送装置チェーンによって具現される。
【０２７８】
図１０に示されたように、ＴＤＤセルでのＰＵＳＣＨスケジューリングのためのＵＬ  ＤＣＩフォーマットの検出において、ＵＥ  １１４は、それぞれの動作がＴＤＤ単一セル（ＴＤＤ  ＰＣｅｌｌを含む）のためのものであるか、ＦＤＤ  ＰＣｅｌｌとＴＤＤ  ＳＣｅｌｌのためのものであるかを考慮する（１０１０）。ＵＥ  １１４が（ＴＤＤ  ＵＬ−ＤＬ構成０を除いたＴＤＤ  ＵＬ−ＤＬ構成を有する）ＴＤＤ単一セルで動作する場合、ＵＥ  １１４は、ＤＡＩフィールドを含むものと推定し、ＵＬ  ＤＣＩフォーマットをデコーディングする（１０２０）。ＵＥ  １１４が少なくとも１つのＦＤＤ  ＰＣｅｌｌと少なくとも１つのＴＤＤ  ＳＣｅｌｌの間のＣＡによって動作する場合、ＵＥ  １１４は、ＤＡＩフィールドが存在しないものと推定し、ＵＬ  ＤＣＩフォーマットをデコーディングする（１０３０）。
【０２７９】
第２方法において、１ビットのＤＡＩフィールドをＵＬ  ＤＣＩフォーマットに含ませて、ＵＥ  １１４が実際にＰＤＳＣＨを受信するか否すと関係なく、ＵＥ  １１４が（ＰＵＳＣＨで）ＨＡＲＱ−ＡＣＫ情報ビットをマルチプレキシングしなければならないことを示す。第１オプションによれば、ＤＡＩフィールドは、ＳＣｅｌｌにのみ適用されることができる。第１オプションによれば、ＤＡＩフィールドは、すべてのセルに適用されることができる。どんなオプションを使用するかは、システム動作によって定義するか、システム情報によってシグナリングする。例えば、ＦＤＤ  ＰＣｅｌｌ及びＴＤＤ  ＳＣｅｌｌに関して、‘０’の値を有するＤＡＩフィールドは、それぞれのＰＵＳＣＨでＨＡＲＱ−ＡＣＫマルチプレキシングが行われないことを示し、‘１’の値を有するＤＡＩフィールドは、ＴＤＤ  ＳＣｅｌｌ（第１オプション）またはＦＤＤ  ＰＣｅｌｌとＴＤＤ  ＳＣｅｌｌ（第２オプション）に該当するＨＡＲＱ−ＡＣＫマルチプレキシングを示す。ＰＤＳＣＨ（このＰＤＳＣＨに対してそれぞれのＨＡＲＱ−ＡＣＫビットがＰＵＳＣＨに含まれなければならない）をスケジューリングするＤＬ  ＤＣＩフォーマットがＴＤＤ  ＳＣｅｌｌで伝送されることができ、ＰＵＳＣＨをスケジューリングするＵＬ  ＤＣＩフォーマットがＦＤＤセルで伝送されることができるので、ＤＡＩフィールドは、ＵＬ  ＤＣＩフォーマットに含まれる。それでは、ＵＥ  １１４が異なる動作条件を経験することができる異なるセルで２つのＤＣＩフォーマットが伝送されるので、ＵＥ  １１４は、ＵＬ  ＤＣＩフォーマットを検出し、ＤＬ  ＤＣＩフォーマットを逃すことができ、ＤＡＩフィールドがなければ、ＵＥ  １１４は、ＴＤＤ  ＳＣｅｌｌのためのＨＡＲＱ−ＡＣＫ情報をＰＵＳＣＨに含ませるか否かを知ることができない。
【０２８０】
図１１は、本発明の第２方法によってそれぞれのＵＥが単一ＴＤＤセルで動作するか、ＦＤＤ  ＰＣｅｌｌとＴＤＤ  ＳＣｅｌｌのＣＡで動作するかによってＵＬ  ＤＣＩフォーマットのＤＣＩフィールドを使用する例を示す。図１１の流れ図が一連の順次な段階を示しているが、明白に言及しない限り、特定の実行手順に関するシーケンス、その段階または部分の同時的やオーバーラップされない順次な実行、または介在される段階や中間段階なしに排他的に示された段階の実行を類推しない。図図示された例のプロセスは、例えば移動局の伝送装置チェーンによって具現される。
【０２８１】
図１１に示されたように、、ＴＤＤセルでのＰＵＳＣＨスケジューリングのためのＵＬ  ＤＣＩフォーマットの検出において、ＵＥ  １１４は、それぞれの動作がＴＤＤ単一セルのためのものであるか、ＦＤＤ  ＰＣｅｌｌとＴＤＤ  ＳＣｅｌｌのためのものであるかを考慮する（１１１０）。ＵＥ  １１４がＴＤＤ単一セルで動作する場合、ＵＥ  １１４は２ビットのＤＡＩフィールドを含むものと推定し、ＵＬ  ＤＣＩフォーマットをデコーディングする（１１２０）。ＵＥ  １１４が少なくとも１つのＦＤＤセルと少なくとも１つのＴＤＤセル間のＣＡ（ここで、ＦＤＤセルはＰＣｅｌｌである）によって動作する場合、ＵＥ  １１４は、１ビットのＤＡＩフィールドが含まれるものと推定し、ＵＬ  ＤＣＩフォーマットをデコーディングする（１１３０）。
【０２８２】
第３方法において、２ビットのＤＡＩフィールドがＵＬ  ＤＣＩフォーマットに含まれるが、その解釈は、単一セルＴＤＤ動作のためのＤＡＩフィールドに関して修正される。２ビットのＤＡＩフィールドは、例えば‘００’値を利用してＵＥ  １１４が（ＰＵＳＣＨで）ＨＡＲＱ−ＡＣＫビットをマルチプレキシングしなければならないか否か、例えば‘０１’値を利用してＵＥ  １１４が第１セットのセルのためのＨＡＲＱ−ＡＣＫビットをマルチプレキシングしなければならないか否か、例えば‘１０’値を利用してＵＥ  １１４が第２セットのセルのためのＨＡＲＱ−ＡＣＫビットをマルチプレキシングしなければならないか否か、そして例えば‘１１’値を利用してＵＥ  １１４がすべてのセルのためのＨＡＲＱ−ＡＣＫビットをマルチプレキシングしなければならないか否かを示すことができる。第１セットのセルと第２セットのセルは、上位階層シグナリングを介してあらかじめＵＥ  １１４に対して構成されることができる。例えば、２個のセルのＣＡの場合、第１セットのセルは、ＰＣｅｌｌのみを含むことができ、第２セットのセルはＴＤＤ  ＳＣｅｌｌのみを含むことができる。
【０２８３】
図１２は、本発明の第３方法によってそれぞれのＵＥが単一ＴＤＤセルで動作するか、ＦＤＤ  ＰＣｅｌｌとＴＤＤ  ＳＣｅｌｌのＣＡで動作するかによってＵＬ  ＤＣＩフォーマットのＤＡＩフィールドを解釈する例を示す。図１２の流れ図が一連の順次な段階を示しているが、明白に言及しない限り、特定の実行手順に関するシーケンス、その段階または部分の同時的やオーバーラップされない順次な実行、または介在される段階や中間段階なしに排他的に示された段階の実行を類推しない。図示された例のプロセスは、例えば移動局の伝送装置チェーンによって具現される。
【０２８４】
図１２に示されたように、ＵＥ  １１４は、ＴＤＤセルでのＰＵＳＣＨスケジューリングのためのＵＬ  ＤＣＩフォーマットを検出する。前記ＵＬ  ＤＣＩフォーマットは、２ビットのＤＡＩフィールドを含む。ＵＥ  １１４は、それぞれの動作がＴＤＤ単一セルのためのものであるか、ＴＤＤ  ＳＣｅｌｌとＦＤＤ  ＰＣｅｌｌのためのものであるかを考慮する（１２１０）。ＵＥ  １１４がＴＤＤ単一セルで動作する場合、ＵＥ  １１４は、前記ＤＡＩフィールドがＵＥ  １１４がＰＵＳＣＨでＨＡＲＱ−ＡＣＫ情報を含むバンドリングウィンドウにおけるＴＴＩの個数を示すものと解釈する（１２２０）。ＵＥ  １１４が少なくとも１つのＦＤＤセルと少なくとも１つのＴＤＤセルの間のＣＡで動作する場合（ここでＦＤＤセルはＦＤＤ  ＰＣｅｌｌ）、ＵＥ  １１４は、前記ＤＡＩフィールドがＰＵＳＣＨでＨＡＲＱ−ＡＣＫ情報を含まなければならないセルのセットを示すものと解釈する（１２３０）。
【０２８５】
ＴＤＤ  ＳＣｅｌｌでのＵＥ  １１４のためのＰＵＳＣＨスケジューリングのためのＵＬ  ＤＣＩフォーマットのＤＡＩフィールドを除去することと、ＴＤＤ  ＳＣｅｌｌでのＵＥ  １１４のためのＰＤＳＣＨスケジューリングのためのＤＬ  ＤＣＩフォーマットでＤＡＩフィールドを除去すること及びＤＬ  ＨＡＲＱプロセス個数フィールドを４ビットから３ビットに低減することと、ＴＤＤ  ＳＣｅｌｌでのＵＥ  １１４のためのＰＤＳＣＨスケジューリングのためのＤＬ  ＤＣＩフォーマットのＡＲＯ値を再マッピングすることは、ＦＤＤ  ＰＣｅｌｌでのＵＥからのＨＡＲＱ−ＡＣＫ情報の伝送と関連する。ＵＥ  １１４がＴＤＤ  ＳＣｅｌｌでＨＡＲＱ−ＡＣＫを伝送する場合、以前フィールドは、変化せずに維持され（すなわち同一に維持され）、単一セルＴＤＤ動作のように、ＤＣＩフォーマット内に存在する。
【０２８６】
ＴＤＤ  ＰＣｅｌｌの場合、ＦＤＤ  ＳＣｅｌｌでのスケジューリングのためのＤＬ  ＤＣＩフォーマット内のＤＬ  ＨＡＲＱプロセス個数フィールド、ＤＡＩフィールド及びＡＲＯフィールドとＵＬ  ＤＣＩフォーマット内のＤＡＩフィールド及びＵＬインデックスフィールド
【０２８７】
特定実施例において、ＴＤＤ  ＰＣｅｌｌとＦＤＤ  ＳＣｅｌｌで構成されたＵＥ  １１４の場合、ＵＥ  １１４がＴＤＤ  ＰＣｅｌｌのみでＰＵＣＣＨを伝送すれば、ＦＤＤ  ＳＣｅｌｌのための１つ以上のＤＬ  ＤＣＩフォーマットの検出に対応するＨＡＲＱ−ＡＣＫ情報の伝送タイミングは、ＴＤＤ  ＰＣｅｌｌでのＵＬ  ＴＴＩの利用可能性によって決定され、従来のＦＤＤ動作とは異なって、ＨＡＲＱ−ＡＣＫ情報の伝送がＴＤＤ  ＰＣｅｌｌのすべてのＴＴＩで行われることができない。し       たがって、１つ以上のＤＬ  ＤＣＩフォーマットの検出に対応するＨＡＲＱ−ＡＣＫ情報の伝送のためのバンドリングウィンドウサイズは１より大きいことができる。一般的に、バンドリングウィンドウのサイズが１より大きいとき、ＤＡＩフィールドは、ＵＬ  ＤＣＩフォーマットに含まれる。
【０２８８】
ＵＥ  １１４がＦＤＤ  ＳＣｅｌｌでのそれぞれのＰＤＳＣＨをスケジューリングする１つ以上のＤＬ  ＤＣＩフォーマットの検出に対応するＴＤＤ  ＰＣｅｌｌでのＨＡＲＱ−ＡＣＫ情報を報告するのに必要な追加的なレイテンシーによって、ＦＤＤ  ＰＣｅｌｌの場合に比べてＦＤＤ  ＳＣｅｌｌでのＰＤＳＣＨ伝送のためにさらに多い数のＤＬ  ＨＡＲＱプロセスが支援されなければならない。例えば、ｅＮＢ  １０２からのＰＤＳＣＨ伝送が終わった時点とＵＥ  １１４でのＨＡＲＱ−ＡＣＫ情報の利用の間の３個のＴＴＩに該当する遅延（またはｅＮＢ  １０２からのＰＤＳＣＨ伝送の開始時点とＵＥ  １１４でのＨＡＲＱ−ＡＣＫ情報の利用の間の４個のＴＴＩに該当する遅延）と、ＵＥ  １１４でのＨＡＲＱ−ＡＣＫ伝送が終わった時点とｅＮＢでの同一のＨＡＲＱプロセスのためのスケジューリング決定の間の３個のＴＴＩに該当する遅延（またはＵＥ  １１４でのＨＡＲＱ−ＡＣＫ伝送の開始時点とスケジューリング決定の間の４個のＴＴＩに該当する遅延）と、ＴＤＤ  ＰＣｅｌｌが（表４または表５に示されたような）ＴＤＤ  ＵＬ−ＤＬ構成５を利用する場合、ＨＡＲＱ−ＡＣＫ情報を報告するための１３個のＴＴＩに該当する遅延を考慮すれば、最大１７個のＴＴＩに該当する遅延が起きることができ、これによって、最大１７個のＨＡＲＱプロセスが必要になる。
【０２８９】
結果的に、ＴＤＤ  ＰＣｅｌｌとＦＤＤ  ＳＣｅｌｌの間のＣＡに対して、ＦＤＤ  ＳＣｅｌｌのためのＤＬ  ＤＣＩフォーマットのＤＬ  ＨＡＲＱプロセス個数フィールドは（単一セルＦＤＤ動作を含む）、ＦＤＤ  ＰＣｅｌｌの場合に比べてさらに多い数のビットを含む。このようなＤＬ  ＨＡＲＱプロセス個数フィールドのビット数はＴＤＤ  ＰＣｅｌｌに対するＤＬ  ＤＣＩフォーマットのＤＬ  ＨＡＲＱプロセス個数フィールドのビット数と同一であることができる。例えば、ＴＤＤ  ＰＣｅｌｌとＦＤＤ  ＳＣｅｌｌの場合、ＤＬ  ＤＣＩフォーマットがＴＤＤ  ＰＣｅｌｌのためのものであるか、ＦＤＤ  ＳＣｅｌｌのためのものであるかに関係なく、ＤＬ  ＤＣＩフォーマットのＤＬ  ＨＡＲＱプロセス個数フィールドは、４ビットを含むことができ、ＦＤＤ  ＰＣｅｌｌの場合には、ＤＬ  ＤＣＩフォーマットがＦＤＤ  ＰＣｅｌｌのためのものであるか、ＦＤＤ  ＳＣｅｌｌのためのものであるか、ＴＤＤ  ＳＣｅｌｌのためのものであるかに関係なく、ＤＬ  ＤＣＩフォーマットのＤＬ  ＨＡＲＱプロセス個数フィールドは、３ビットを含むことができる。ＴＤＤ  ＳＣｅｌｌがＴＤＤ  ＵＬ−ＤＬ構成５を利用する場合、ＦＤＤ  ＳＣｅｌｌのためのＨＡＲＱプロセスの数は、最大１７ではない最大１６に制限される。しかし、これは、重要ではない制限事項であり、ＦＤＤ  ＳＣｅｌｌでＰＤＳＣＨをスケジューリングするＤＬ  ＤＣＩフォーマットのＤＬ  ＨＡＲＱプロセス個数フィールドのための追加的なビットの使用を防止する。
【０２９０】
図１３は、本発明によるＰＣｅｌｌがＦＤＤセルであるか、ＴＤＤセルであるかによってＤＬ  ＤＣＩフォーマットのＤＬ  ＨＡＲＱプロセス個数フィールドのサイズを決定する例示的な方法を示す。図１３の流れ図が一連の順次な段階を示しているが、明白に言及しない限り、特定の実行手順に関するシーケンス、その段階または部分の同時的やオーバーラップされない順次な実行、または介在される段階や中間段階なしに排他的に示された段階の実行を類推しない。図示された例のプロセスは例えば移動局の伝送装置チェーンによって具現される。
【０２９１】
図１３に示されたように、ＦＤＤセルまたはＴＤＤセルのためのＤＬ  ＤＣＩフォーマットの検出において、ｅＮＢ  １０２とＵＥ  １１４は、それぞれの動作がＦＤＤ  ＰＣｅｌｌに対するＴＤＤ  ＰＣｅｌｌに関するものであるかを考慮する（１３１０）。ＵＥ  １１４がＦＤＤ  ＰＣｅｌｌで動作する場合、ＵＥ  １１４のためのＤＬ  ＤＣＩフォーマットのＤＬ  ＨＡＲＱプロセス個数フィールドは、３ビットを含む（１３２０）。ＵＥ  １１４がＴＤＤ  ＰＣｅｌｌで動作する場合、ＵＥ  １１４のためのＤＬ  ＤＣＩフォーマットのＤＬ  ＨＡＲＱプロセス個数フィールドは、４ビットを含む（１３３０）。
【０２９２】
ＤＬ  ＨＡＲＱプロセス個数フィールドと同様に、ＴＤＤ  ＰＣｅｌｌの場合、ＵＥからのＨＡＲＱ−ＡＣＫ情報の伝送が連続的なＴＴＩで起きることができないので、ＦＤＤ  ＳＣｅｌｌのためのバンドリングウィンドウサイズは、１個のＴＴＩより大きいことができる。したがって、ＴＤＤ  ＰＣｅｌｌとＦＤＤ  ＳＣｅｌｌとの間のＣＡの場合、ＴＤＤ  ＰＣｅｌｌのためのＤＬ  ＤＣＩフォーマットのＤＡＩフィールドと同様に、ＦＤＤ  ＳＣｅｌｌのためのＤＬ  ＤＣＩフォーマットは、バンドリングウィンドウ内のＤＬ  ＤＣＩフォーマットのカウンターとして機能するＤＡＩフィールドを含まなければならない。ＴＤＤ  ＰＣｅｌｌ及びＦＤＤ  ＳＣｅｌｌのためのＤＬ  ＤＣＩフォーマット内のＤＬ  ＨＡＲＱプロセス個数フィールドのサイズが同一であり、ＴＤＤ  ＰＣｅｌｌでＤＬ  ＤＣＩフォーマットにＤＡＩフィールドが存在すれば、ＴＤＤ  ＰＣｅｌｌのためのものであるか、ＦＤＤ  ＳＣｅｌｌのためのものであるかに関係なく、ＤＬ  ＤＣＩフォーマットは、同一のサイズを有するようになる。ＦＤＤ  ＰＣｅｌｌの場合、ＴＤＤ  ＳＣｅｌｌのためのＤＬ  ＤＣＩフォーマットでＤＡＩフィールドを省略することができる。
【０２９３】
【数８２】
2018207541.tif 000091
【０２９４】
が４より大きいとしても、ＦＤＤ  ＳＣｅｌｌ（及びＴＤＤ  ＰＣｅｌｌ）のためのＤＡＩフィールドは、２ビットを含むことができ、ＵＥ  １１４は、バンドリングウィンドウ内で最後に検出されたＤＬ  ＤＣＩフォーマットのインデックスに基づいて同一のバンドリングウィンドウ内のそれぞれのＤＬ  ＤＣＩフォーマットに対するインデックスを決定することができる。例えば、ＤＡＩフィールド二進値‘００’は、同一のバンドリングウィンドウ内で１または５（適用可能したら）または９（適用可能したら）のＤＬ  ＤＣＩフォーマットインデックスにマッピングされることができ、ＵＥ  １１４は、二進値‘０１’、‘１０’または‘１１’を有するＤＡＩフィールドを含む単一ＤＬ  ＤＣＩフォーマットを以前に検出した場合には５として決定することができる。同様に、ＤＡＩフィールド二進値‘０１’は、同一のバンドリングウィンドウ内で２または６（適用可能したら）または１０（適用可能したら）のＤＬ  ＤＣＩフォーマットインデックスにマッピングされることができ、ＵＥ  １１４は、二進値‘１０’または‘１１’を有するＤＡＩフィールドを含む単一ＤＬ  ＤＣＩフォーマットを以前に検出した場合には６として決定することができる。
【０２９５】
図１４は、本発明によるＰＣｅｌｌがＦＤＤセルであるか、ＴＤＤセルであるかによってＤＬ  ＤＣＩフォーマットのＤＡＩフィールドの存在を判断する例示的な方法を示す。図１４の流れ図が一連の順次な段階を示しているが、明白に言及しない限り、特定の実行手順に関するシーケンス、その段階または部分の同時的やオーバーラップされない順次な実行、または介在される段階や中間段階なしに排他的に示された段階の実行を類推しない。図示された例のプロセスは、例えば移動局の伝送装置チェーンによって具現される。
【０２９６】
図１４に示されたように、、ＦＤＤセルまたはＴＤＤセルのためのＤＬ  ＤＣＩフォーマットの検出において、ＵＥ  １１４は、それぞれの動作がＦＤＤ  ＰＣｅｌｌに対するＴＤＤ  ＰＣｅｌｌに関するものであるかを考慮する（１４１０）。ＵＥ  １１４がＦＤＤ  ＰＣｅｌｌで動作する場合、ＤＡＩフィールドは、ＵＥ  １１４のためのＤＬ  ＤＣＩフォーマットに含まれない（１４２０）。ＵＥ  １１４がＴＤＤ  ＰＣｅｌｌで動作する場合、ＤＡＩフィールドは、ＵＥ  １１４のためのＤＬ  ＤＣＩフォーマットに含まれる（１４３０）。
【０２９７】
前述したように、ＵＥ  １１４からのＨＡＲＱ−ＡＣＫ情報の伝送は、連続されたＴＴＩで行われることができず、ＦＤＤ  ＳＣｅｌｌのためのバンドリングウィンドウサイズは、１個のＴＴＩより大きいことができる。したがって、ＴＤＤ  ＰＣｅｌｌとＦＤＤ  ＳＣｅｌｌの場合、時間ドメインで圧縮が必要であるから、ＦＤＤ  ＳＣｅｌｌでのＰＤＳＣＨスケジューリングのためのＤＬ  ＤＣＩフォーマットのＡＲＯフィールドのマッピングは、ＴＤＤ  ＰＣｅｌｌと同じであることができる。したがって、ＦＤＤ  ＳＣｅｌｌに対するバンドリングウィンドウサイズ
【０２９８】
【数８３】
2018207541.tif 000092
【０２９９】
に関して、バンドリングウィンドウ内でＵＥ  １１４がインデックスｍであるＤＬ  ＴＴＩで受信するＤＬ  ＤＣＩフォーマットのＡＲＯフィールドのマッピングは、
【０３００】
【数８４】
2018207541.tif 000093
【０３０１】
がＭに交替された表３のように行われることができる。
【０３０２】
ＦＤＤセルでの通常的な動作において、ＰＵＳＣＨ伝送においてＵＥ  １１４のＨＡＲＱ−ＡＣＫ情報マルチプレキシングを示すＵＬ  ＤＣＩフォーマットのＤＡＩフィールドは、ＵＬ  ＤＣＩフィールドに含まれる必要がない。これは、同一のＴＴＩ（及び同一のセル）でＰＵＳＣＨ伝送をスケジューリングするＵＬ  ＤＣＩフォーマットとして伝送されるＤＬ  ＤＣＩフォーマットに応答してＨＡＲＱ−ＡＣＫ情報が生成され、ＵＥ  １１４が２つのＤＣＩフォーマットをすべて検出するか、すべて逃す可能性が高くて、以前ＴＴＩでのＤＬ  ＤＣＩフォーマット検出に対応するＨＡＲＱ−ＡＣＫ情報が以前ＰＵＳＣＨまたはＰＵＣＣＨで既に伝送されるからである。これは、ＤＬ  ＴＴＩ（及びスペシャルＴＴＩ）よりＵＬ  ＴＴＩをさらに多く含むＴＤＤ  ＵＬ−ＤＬ構成０を利用する単一セルＴＤＤ動作にも適用される。したがって、ＰＵＳＣＨ伝送でＨＡＲＱ−ＡＣＫ情報をマルチプレキシングするようにＵＬ  ＤＣＩフォーマットのＤＡＩフィールドを利用してＵＥ  １１４に追加的に指示するのが必ず必要なことではない。
【０３０３】
ＦＤＤ  ＳＣｅｌｌとＴＤＤ  ＰＣｅｌｌの場合、ＤＡＩフィールドは、ＦＤＤ  ＳＣｅｌｌでＰＵＳＣＨ伝送をスケジューリングするＵＬ  ＤＣＩフォーマットに含まれなければならない。表５のＴＤＤ  ＵＬ−ＤＬ構成０の場合、ＴＴＩ＃３とＴＴＩ＃８は、ＦＤＤ  ＳＣｅｌｌでのＰＤＳＣＨ受信に対するＨＡＲＱ−ＡＣＫ情報のみを伝送するのに使用される。ｅＮＢ  １０２がＵＥ  １１４に対してＴＤＤ  ＰＣｅｌｌでのＰＵＳＣＨ伝送をスケジューリングし、ＴＴＩ＃３でＦＤＤ  ＳＣｅｌｌでのＰＵＳＣＨ伝送をスケジューリングしたら、ＴＤＤ  ＰＣｅｌｌでのＰＵＳＣＨ伝送をスケジューリングするＵＬ  ＤＣＩフォーマットがＤＡＩフィールドを含まず、ＴＤＤ  ＰＣｅｌｌでのＰＵＳＣＨ伝送時にＨＡＲＱ−ＡＣＫマルチプレキシングを示さないとしても、ＦＤＤ  ＳＣｅｌｌでのＰＵＳＣＨ伝送をスケジューリングするＵＬ  ＤＣＩフォーマットのＤＡＩフィールドの値は、ＴＤＤ  ＰＣｅｌｌでのＰＵＳＣＨ伝送時にＨＡＲＱ−ＡＣＫ情報のマルチプレキシングを示すことができる。この場合、ＨＡＲＱ−ＡＣＫマルチプレキシングは、ＦＤＤ  ＳＣｅｌｌでのＰＵＳＣＨ伝送時に行われる。
【０３０４】
ＴＤＤ  ＰＣｅｌｌによる動作において、以前ＴＴＩでＦＤＤ  ＳＣｅｌｌに対するＤＬ  ＤＣＩフォーマットの検出に対応するＨＡＲＱ−ＡＣＫ情報は、ＵＥ  １１４がＦＤＤ  ＳＣｅｌｌでＰＵＳＣＨを伝送するどんなＴＴＩでも伝送されない。その理由は、ＵＥ  １１４がＨＡＲＱ−ＡＣＫ情報を伝送するようにするために、それぞれのＵＬ  ＴＴＩがＴＤＤ  ＰＣｅｌｌでのＴＤＤ  ＵＬ−ＤＬ構成のために存在しないか、ＨＡＲＱ−ＡＣＫ伝送タイミングによって表５に示されたように、ＵＬ  ＴＴＩがＵＥ  １１４がＨＡＲＱ−ＡＣＫ情報を伝送するＴＴＩではないことがあるからである。ＦＤＤ  ＰＣｅｌｌの場合、前述したように、ＴＤＤ  ＳＣｅｌｌのためのＵＬ  ＤＣＩフォーマットでＤＡＩフィールドが省略されることができる。
【０３０５】
図１５は、本発明によるＰＣｅｌｌがＦＤＤセルであるか、ＴＤＤセルであるかによってＵＬ  ＤＣＩフォーマット内のＤＡＩフィールドの存在を判断する例示的な方法を示す。図１５の流れ図が一連の順次な段階を示しているが、明白に言及しない限り、特定の実行手順に関するシーケンス、その段階または部分の同時的やオーバーラップされない順次な実行、または介在される段階や中間段階なしに排他的に示された段階の実行を類推しない。図示された例のプロセスは、例えば移動局の伝送装置チェーンによって具現される。
【０３０６】
図１５に示されたように、ＦＤＤセルに対するＰＵＳＣＨをスケジューリングするＵＬ  ＤＣＩフォーマットを検出するに際して、ＵＥ  １１４は、それぞれの動作がＦＤＤ  ＰＣｅｌｌのためのものであるか、ＴＤＤ  ＰＣｅｌｌのためのものであるかを考慮する（１５１０）。ＵＥ  １１４がＦＤＤ  ＰＣｅｌｌと動作する場合、ＤＡＩフィールドは、ＵＥ  １１４のためのＵＬ  ＤＣＩフォーマットに含まれない（１５２０）。ＵＥ  １１４がＴＤＤ  ＰＣｅｌｌと動作する場合、ＤＡＩフィールドは、前記ＵＬ  ＤＣＩフォーマットに含まれる（１５３０）。
【０３０７】
ＴＤＤ  ＰＣｅｌｌがＴＤＤ  ＵＬ−ＤＬ構成０を利用する場合、ＦＤＤ  ＳＣｅｌｌからのＨＡＲＱ−ＡＣＫのためのＤＡＩは、ＴＤＤ  ＤＬ−ＵＬ構成０による単一ＴＤＤセル動作の場合には含まれないとしても、ＴＤＤ  ＰＣｅｌｌで伝送されるＵＬ  ＤＣＩフォーマットには含まれることができる。これは、ＰＤＳＣＨ受信に対応するＨＡＲＱ−ＡＣＫタイミングがＴＤＤとＦＤＤで異なることができるからである（例えば、表５で、表２とは異なって、ＦＤＤ  ＳＣｅｌｌの１つ以上のＴＴＩに対するＨＡＲＱ−ＡＣＫ情報がＴＤＤ  ＰＣｅｌｌの同一のＵＬ  ＴＴＩで伝送される）。
【０３０８】
ＦＤＤ  ＳＣｅｌｌの場合、（ＴＴＩが表２によるＵＬ  ＴＴＩの場合にのみ、ＰＵＳＣＨが伝送されることができるＴＤＤ  ＰＣｅｌｌの場合とは異なるように）ＰＵＳＣＨは、すべてのＴＴＩで伝送されることができる。これによって、伝送中のＨＡＲＱ−ＡＣＫ情報に対してＦＤＤ  ＳＣｅｌｌで伝送されるＰＵＳＣＨでのマルチプレキシングが行われる。しかし、ＵＥ  １１４からのＨＡＲＱ−ＡＣＫ伝送及びｅＮＢ  １０２による受信が複雑になることができる。例えば、伝送中のＨＡＲＱ−ＡＣＫ情報がＨＡＲＱ−ＡＣＫ情報を運ぶＰＵＣＣＨ伝送がＴＤＤ  ＰＣｅｌｌで起きるＵＬ  ＴＴＩ以前のＴＴＩでＦＤＤ  ＳＣｅｌｌで伝送されるＰＵＳＣＨでマルチプレキシングされれば、例えば表５によって前記伝送中のＨＡＲＱ−ＡＣＫ情報は、ＰＵＣＣＨ伝送に含まれないか、ＰＵＳＣＨ伝送とＰＵＣＣＨ伝送の両方で複製されることができる。このような理由で、ＰＵＳＣＨが例えば表２または表５のようなＴＤＤ  ＰＣｅｌｌでのＨＡＲＱ−ＡＣＫ情報の伝送を支援するＴＴＩで伝送されなければ、ＵＥ  １１４は、どんなＨＡＲＱ−ＡＣＫ情報も前記ＰＵＳＣＨでマルチプレキシングしなくてもよい。ＵＥ  １１４が同一のＵＬ  ＴＴＩでのＰＵＳＣＨとＰＵＣＣＨの伝送のために構成される場合、ＵＥ  １１４はＰＵＣＣＨでＨＡＲＱ−ＡＣＫを伝送するように構成されることができる。
【０３０９】
図１６は、本発明によってＵＥがＦＤＤ  ＳＣｅｌｌでＰＵＳＣＨ伝送時に使用可能なＨＡＲＱ−ＡＣＫ情報をマルチプレキシングするか否かを決定する例示的な方法を示す。図１６に示された決定方法の実施例は、例示的にので、本発明の範囲を逸脱することなく、他の実施例を利用することができる。
【０３１０】
図１６を参照すれば、ＵＥ  １１４は、ＴＤＤ  ＰＣｅｌｌ  １６１０とＦＤＤ  ＳＣｅｌｌ  １６２０によって構成される。ＵＬ  ＴＴＩ＃１２  １６３０で、ＵＥ  １１４は、ＴＤＤ  ＰＣｅｌｌでＨＡＲＱ−ＡＣＫ情報を伝送する（１６３０）。ＵＥ  １１４がＴＴＩ＃８  １６５４でＦＤＤ  ＳＣｅｌｌ上でＰＵＳＣＨを伝送し、ＴＤＤ  ＰＣｅｌｌ  １６４０またはＦＤＤ  ＳＣｅｌｌ  １６５０に対してＴＴＩ＃４でＴＤＤ  ＰＣｅｌｌに対するＤＬ  ＤＣＩフォーマットを検出した場合、それぞれのＨＡＲＱ−ＡＣＫ情報をＵＥ  １１４がＰＵＳＣＨでマルチプレキシングすることができる。しかし、ＴＴＩ＃８  １６５４（ＴＴＩ＃８は、ＴＤＤ  ＰＣｅｌｌでＤＬ  ＴＴＩである）で、ＵＥ  １１４は、ＴＤＤ  ＰＣｅｌｌでＨＡＲＱ−ＡＣＫ情報を伝送しないので、ＵＥ  １１４は、ＴＴＩ＃８  １６５４でＦＤＤ  ＳＣｅｌｌ上で伝送されるＰＵＳＣＨで使用可能なＨＡＲＱ−ＡＣＫ情報をマルチプレキシングしない。これと同様に、ＵＥ  １１４がＴＴＩ＃９  １６５５でＦＤＤ  ＳＣｅｌｌでＰＵＳＣＨを伝送し、ＴＤＤ  ＰＣｅｌｌ（１６４０または１６４１）またはＦＤＤ  ＳＣｅｌｌ（１６５０または１６５１）に対してＴＴＩ＃４またはＴＴＩ＃５でＴＤＤ  ＰＣｅｌｌのためのＤＬ  ＤＣＩフォーマットを検出した場合、ＵＥ  １１４は、ＴＴＩ＃９  １６５５でＦＤＤ  ＳＣｅｌｌで伝送されるＰＵＳＣＨで使用可能なＨＡＲＱ−ＡＣＫ情報をマルチプレキシングせず、これは、前記ＴＴＩがＴＤＤ  ＰＣｅｌｌでＤＬ  ＴＴＩだからである。同様に、ＵＥ  １１４は、ＦＤＤ  ＳＣｅｌｌでＵＥ  １１４がＴＴＩ＃１０  １６５６またはＴＴＩ＃１１  １６５７で伝送するＰＵＳＣＨで使用可能なＨＡＲＱ−ＡＣＫ情報をマルチプレキシングしない。しかし、ＴＴＩ＃１２  １６５８は、ＵＥ  １１４がＴＤＤ  ＰＣｅｌｌでＨＡＲＱ−ＡＣＫを伝送することができるＵＬ  ＴＴＩ  １６３０なので、ＵＥ  １１４は、ＴＴＩ＃１２  １６５８で伝送するＰＵＳＣＨで利用可能なＨＡＲＱ−ＡＣＫ情報をマルチプレキシングする。
【０３１１】
前述したように、ＵＬ  ＤＣＩフォーマットがＦＤＤ  ＳＣｅｌｌのためのものなら、ＵＥ  １１４は、ＰＵＳＣＨがＴＤＤ  ＰＣｅｌｌでＵＬ  ＴＴＩに該当するＴＴＩで伝送される場合にのみ、ＰＵＳＣＨでＨＡＲＱ−ＡＣＫ情報をマルチプレキシングし、そうではなければ、ＵＥ  １１４は、ＰＵＳＣＨでＨＡＲＱ−ＡＣＫ情報をマルチプレキシングしない。ＵＥ  １１４が（ＴＤＤ  ＰＣｅｌｌに対して）ＦＤＤ  ＳＣｅｌｌで伝送するＰＵＳＣＨでＨＡＲＱ−ＡＣＫ情報をマルチプレキシングするための前記ＴＴＩに基づく制限を考慮すれば、ＵＥ  １１４がＴＤＤ  ＰＣｅｌｌでＨＡＲＱ−ＡＣＫ情報を伝送することができるＴＴＩではないＴＴＩで、ＦＤＤ  ＳＣｅｌｌでＰＵＳＣＨをスケジューリングするＵＬ  ＤＣＩフォーマットにＤＡＩフィールドが含まれる場合、ＤＡＩフィールドは、どんな情報も伝送する必要がない。この場合、２つの代案が存在する。すなわちＤＡＩフィールドは、ＦＤＤ  ＳＣｅｌｌでのＰＵＳＣＨ伝送をスケジューリングするＵＬ  ＤＣＩフォーマットに含まれないか（ＰＵＳＣＨがＵＥ  １１４がＴＤＤ  ＰＣｅｌｌでＰＵＣＣＨを介してＨＡＲＱ−ＡＣＫを伝送することができるＴＴＩではないＴＴＩで伝送される場合）、ＤＡＩフィールドは、ｅＮＢ  １０２によって所定の値に設定されることができる（例えば、‘００’は、ＵＥ  １１４が検出されたＵＬ  ＤＣＩフォーマットを認証するのに使用することができるＰＵＳＣＨでＨＡＲＱ−ＡＣＫマルチプレキシングが起きないことを示す）。
【０３１２】
図１７は、本発明によるＦＤＤ  ＳＣｅｌｌでＰＵＳＣＨ伝送をスケジューリングするＵＬ  ＤＣＩフォーマットのＤＡＩフィールドの利用を決定する例示的な方法は示す。図１７の流れ図が一連の順次な段階を示しているが、明白に言及しない限り、特定の実行手順に関するシーケンス、その段階または部分の同時的やオーバーラップされない順次な実行、または介在される段階や中間段階なしに排他的に示された段階の実行を類推しない。図示された例のプロセスは、例えば移動局の伝送装置チェーンによって具現される。
【０３１３】
図１７に示されたように、ＵＥ  １１４に対するＰＣｅｌｌのタイプによって（１７１０）前記ＰＣｅｌｌがＦＤＤ  ＰＣｅｌｌの場合には、ＳＣｅｌｌでＰＵＳＣＨをスケジューリングするためのＵＬ  ＤＣＩフォーマットにＤＡＩフィールドが含まれない（１７２０）。前記ＰＣｅｌｌがＴＤＤ  ＰＣｅｌｌなら、ＳＣｅｌｌのためのＵＬ  ＤＣＩフォーマット内のＤＡＩフィールドの存在またはその値は、ＵＥ  １１４からのそれぞれのＰＵＳＣＨ伝送がＴＤＤ  ＰＣｅｌｌでＵＥ  １１４がＨＡＲＱ−ＡＣＫを伝送することができるＴＴＩでスケジューリングされるか否かに依存することができる（１７３０）。ＵＥ  １１４がＴＤＤ  ＰＣｅｌｌでＨＡＲＱ−ＡＣＫを伝送することができるＴＴＩでＰＵＳＣＨを伝送すれば、ＰＵＳＣＨ伝送をスケジューリングするＵＬ  ＤＣＩフォーマットにＤＡＩフィールドが含まれ、ＵＥ  １１４は、前記ＤＡＩフィールドの値に基づいてＰＵＳＣＨでマルチプレキシングするＨＡＲＱ−ＡＣＫペイロードを決定する（１７４０）。ＵＥ  １１４がＴＤＤ  ＰＣｅｌｌでＨＡＲＱ−ＡＣＫを伝送することができないＴＴＩでＰＵＳＣＨを伝送すれば、ＵＥ  １１４は、ＰＵＳＣＨで利用可能な伝送されないどんなＨＡＲＱ−ＡＣＫ情報もマルチプレキシングしない。それでは、ＤＡＩフィールドは、ＰＵＳＣＨ伝送をスケジューリングするＵＬ  ＤＣＩフォーマットに含まれないか、ＵＥ  １１４がＤＡＩフィールドが固定された値、例えば‘００’（この値は、ＰＵＳＣＨでＨＡＲＱ−ＡＣＫマルチプレキシングが起きないことを示す）を有することで推定することができる。
【０３１４】
【数８５】
2018207541.tif 000094
【０３１５】
の値を有するＤＡＩフィールドを含み、ＵＥ  １１４がＰＵＣＣＨでＨＡＲＱ−ＡＣＫ情報をマルチプレキシングすることができるＴＴＩでＴＤＤ  ＰＣｅｌｌまたはＦＤＤ  ＳＣｅｌｌでＰＵＳＣＨをスケジューリングするＵＬ  ＤＣＩフォーマットが検出されれば、
【０３１６】
【数８６】
2018207541.tif 000095
【０３１７】
の場合（これは、ＴＤＤ  ＰＣｅｌｌが表１のＴＤＤ  ＵＬ−ＤＬ構成５を使用しないことを意味する）、ＵＥ  １１４は、ＰＵＳＣＨでＴＤＤ  ＰＣｅｌｌのための
【０３１８】
【数８７】
2018207541.tif 000096
【０３１９】
個のＨＡＲＱ−ＡＣＫ情報ビットとＦＤＤ  ＳＣｅｌｌのための
【０３２０】
【数８８】
2018207541.tif 000097
【０３２１】
個のＨＡＲＱ−ＡＣＫ情報ビットをマルチプレキシングする（
【０３２２】
【数８９】
2018207541.tif 000098
【０３２３】
は、構成されたＰＤＳＣＨ  ＴＭによって１または２になる）。ＴＤＤ  ＰＣｅｌｌが表１のＴＤＤ  ＵＬ−ＤＬ構成５を利用せず、
【０３２４】
【数９０】
2018207541.tif 000099
【０３２５】
の場合、ＵＥ  １１４は、ＰＵＳＣＨでＴＤＤ  ＰＣｅｌｌのための
【０３２６】
【数９１】
2018207541.tif 000100
【０３２７】
個のＨＡＲＱ−ＡＣＫ情報ビットとＦＤＤ  ＳＣｅｌｌのための
【０３２８】
【数９２】
2018207541.tif 000101
【０３２９】
個のＨＡＲＱ−ＡＣＫ情報ビットをマルチプレキシングする。ここで、Ｕは、ＵＥ  １１４がＦＤＤ  ＳＣｅｌｌでＰＤＳＣＨをスケジューリングするために検出するＤＬ  ＤＣＩフォーマットの個数である。ＴＤＤ  ＰＣｅｌｌがＴＤＤ  ＵＬ−ＤＬ構成５を利用する場合（そして
【０３３０】
【数９３】
2018207541.tif 000102
【０３３１】
であるとき）、ＵＥ  １１４は、ＰＵＳＣＨでＴＤＤ  ＰＣｅｌｌのための
【０３３２】
【数９４】
2018207541.tif 000103
【０３３３】
個のＨＡＲＱ−ＡＣＫ情報ビットとＦＤＤ  ＳＣｅｌｌのための
【０３３４】
【数９５】
2018207541.tif 000104
【０３３５】
個のＨＡＲＱ−ＡＣＫ情報ビットをマルチプレキシングする。ここで、Ｕは、ＵＥ  １１４がＴＤＤ  ＰＣｅｌｌのために検出するＤＬ  ＤＣＩフォーマットの個数とＦＤＤ  ＳＣｅｌｌのために検出するＤＬ  ＤＣＩフォーマットの個数のうちさらに大きい数を示す。ＵＥ  １１４は、例えばＲＥＦ３に説明されたようなそれぞれの検出されたＤＬ  ＤＣＩフォーマットのＤＡＩフィールドの値からＤＬ  ＴＴＩとそれぞれのＨＡＲＱ−ＡＣＫ情報の連携を決定することができる。
【０３３６】
または、
【０３３７】
【数９６】
2018207541.tif 000105
【０３３８】
なので、ＵＥ  １１４は、ＴＤＤ  ＰＣｅｌｌとＦＤＤ  ＳＣｅｌｌでの
【０３３９】
【数９７】
2018207541.tif 000106
【０３４０】
番のＰＤＳＣＨ受信（またはＳＰＳ  ＰＤＳＣＨリリース受信）と同一の数のＨＡＲＱ−ＡＣＫビットをＰＵＳＣＨでマルチプレキシングする。ここで、
【０３４１】
【数９８】
2018207541.tif 000107
【０３４２】
は、前述したように
【０３４３】
【数９９】
2018207541.tif 000108
【０３４４】
によって決定される。すなわち、
【０３４５】
【数１００】
2018207541.tif 000109
【０３４６】
であり、
【０３４７】
【数１０１】
2018207541.tif 000110
【０３４８】
である。
【０３４９】
【数１０２】
2018207541.tif 000111
【０３５０】
なら、ＴＤＤ  ＰＣｅｌｌのための追加的な
【０３５１】
【数１０３】
2018207541.tif 000112
【０３５２】
個のＨＡＲＱ−ＡＣＫ情報ビットがＮＡＣＫ／ＤＴＸ値のような所定の値に設定されることができる。
【０３５３】
ＳＰＳ  ＰＵＳＣＨまたはＵＬ  ＤＣＩフォーマットによらず、ｅＮＢからのＮＡＣＫ信号伝送によってトリゴリングされるＰＵＳＣＨ再伝送のために、ＵＥ  １１４は、ＴＤＤ  ＰＣｅｌｌのための
【０３５４】
【数１０４】
2018207541.tif 000113
【０３５５】
個のＨＡＲＱ−ＡＣＫ情報ビットとＦＤＤ  ＳＣｅｌｌのための
【０３５６】
【数１０５】
2018207541.tif 000114
【０３５７】
個のＨＡＲＱ−ＡＣＫ情報ビットをＰＵＳＣＨでマルチプレキシングする。または、ＵＥ  １１４は、ＴＤＤ  ＰＣｅｌｌのための
【０３５８】
【数１０６】
2018207541.tif 000115
【０３５９】
個のＨＡＲＱ−ＡＣＫ情報ビットとＦＤＤ  ＳＣｅｌｌのための
【０３６０】
【数１０７】
2018207541.tif 000116
【０３６１】
個のＨＡＲＱ−ＡＣＫ情報ビットをマルチプレキシングする。
【０３６２】
ＴＤＤ  ＰＣｅｌｌまたはＦＤＤ  ＳＣｅｌｌでＰＵＣＣＨを介したＨＡＲＱ−ＡＣＫ情報の伝送
【０３６３】
特定実施例において、ＳＣｅｌｌでのＰＵＣＣＨ伝送が多数のセルの集成によって構成されるＵＥ  １１４のために構成されることができる。ＴＤＤ  ＰＣｅｌｌとＦＤＤ  ＳＣｅｌｌの場合、そしてＵＥ  １１４からのＨＡＲＱ−ＡＣＫ伝送と関連した機能に関して、ＨＡＲＱ−ＡＣＫ伝送のためのＰＵＣＣＨがＦＤＤ  ＳＣｅｌｌに存在したら、ＤＬ  ＤＣＩフォーマットのＤＬ  ＨＡＲＱプロセス個数フィールド、ＤＡＩフィールド及びＡＲＯフィールドと、ＵＬ  ＤＣＩフォーマットのＤＡＩフィールドまたはＵＬインデックスフィールドに対する範囲は、ＴＤＤ  ＰＣｅｌｌまたはＦＤＤ  ＳＣｅｌｌに対して再定義されることができる。
【０３６４】
ＵＥ  １１４は、ＴＤＤセルと初期接続を設定した後、ＦＤＤ  ＳＣｅｌｌとの追加的な通信のためにｅＮＢ  １０２によって構成されることができる。例えば、スペクトル利用可能性または既存の配置によってＴＤＤ  ＰＣｅｌｌは、第１周波数を使用し、ＵＥ−共通のＤＬ制御信号の伝送を支援することができる一方で、ＦＤＤ  ＳＣｅｌｌは、第２周波数を利用して干渉または信号電波条件によってＵＥ−共通のＤＬ制御信号を支援することができない。
【０３６５】
ＴＤＤ  ＰＣｅｌｌとＦＤＤ  ＳＣｅｌｌと関連したＵＥ  １１４がＦＤＤ  ＳＣｅｌｌでの少なくともＰＤＳＣＨ受信のためのＨＡＲＱ−ＡＣＫ情報をＰＵＣＣＨで伝送するように構成されたら、ＵＥ  １１４からのＨＡＲＱ−ＡＣＫ情報を伝送するために、ＦＤＤ  ＳＣｅｌｌは、ＦＤＤ  ＰＣｅｌｌであり、ＴＤＤ  ＰＣｅｌｌは、ＴＤＤ  ＳＣｅｌｌであったように動作が行われる。この場合、前述したように、ＴＤＤセルでのＰＤＳＣＨ受信のためのＨＡＲＱ−ＡＣＫ情報がＦＤＤセルで伝送されれば、ＴＤＤ  ＰＣｅｌｌのためのＤＬ  ＤＣＩフォーマット内のＤＬ  ＨＡＲＱプロセス個数フィールドは、４ビットから３ビットに減少することができ、ＴＤＤ  ＰＣｅｌｌのためのＤＬ  ＤＣＩフォーマット内のＤＡＩフィールドは除去されることができ、ＡＲＯフィールドのマッピングは再定義されることができ、ＴＤＤ  ＰＣｅｌｌのためのＵＬ  ＤＣＩフォーマット内のＤＡＩフィールドも除去されることができる。また、ＦＤＤ単一セル動作に関してＦＤＤ  ＳＣｅｌｌのためのＤＬ  ＤＣＩフォーマットまたはＵＬ  ＤＣＩフォーマットを変化させる必要がない（ＤＡＩフィールドは、ＤＬ  ＤＣＩフォーマットまたはＵＬ  ＤＣＩフォーマットに導入されず、ＤＬ  ＨＡＲＱプロセス個数フィールドのビット数は増加しない）。
【０３６６】
図１８は、本発明によってＦＤＤ  ＳＣｅｌｌでのＰＵＳＣＨ伝送をスケジューリングするＵＬ  ＤＣＩフォーマット内のＤＡＩフィールドの使用を決定する例示的な方法を示す。図１８の流れ図が一連の順次な段階を示しているが、明白に言及しない限り、特定の実行手順に関するシーケンス、その段階または部分の同時的やオーバーラップされない順次な実行、または介在される段階や中間段階なしに排他的に示された段階の実行を類推しない。図示された例のプロセスは、例えば移動局の伝送装置チェーンによって具現される。
【０３６７】
図１８に示されたように、ＵＥ  １１４は、ＴＤＤ  ＰＣｅｌｌとＦＤＤ  ＳＣｅｌｌで構成される（１８１０）。ＴＤＤセルの場合、従来のＤＬ  ＤＣＩフォーマットは、ＤＡＩフィールドと４ビットのＤＬ  ＨＡＲＱプロセス個数フィールドを含み、従来のＵＬ  ＤＣＩフォーマットは、ＤＡＩフィールドを含む。ＦＤＤセルの場合、従来のＤＬ  ＤＣＩフォーマットは、ＤＡＩフィールドを含まず、３ビットのＤＬ  ＨＡＲＱプロセス個数フィールドを含み、従来のＵＬ  ＤＣＩフォーマットは、ＤＡＩフィールドを含まない。ＵＥ  １１４がＴＤＤ  ＰＣｅｌｌでＰＵＣＣＨを介してＨＡＲＱ−ＡＣＫを伝送すれば（１８２０）、ＦＤＤ  ＳＣｅｌｌのためのＤＬ  ＤＣＩフォーマットは、ＤＡＩフィールドと４ビットのＤＬ  ＨＡＲＱプロセス個数フィールドを含むように変更され、ＦＤＤ  ＳＣｅｌｌのためのＵＬ  ＤＣＩフォーマットは、ＤＡＩフィールドを含むように変更される（１８３０）。または、ＵＥ  １１４がＴＤＤ  ＰＣｅｌｌでＰＵＣＣＨを介してＨＡＲＱ−ＡＣＫを伝送しなければ（代わりにＦＤＤ  ＳＣｅｌｌでＰＵＣＣＨを伝送すれば）、ＦＤＤ  ＳＣｅｌｌのためのＤＬ  ＤＣＩフォーマットは、ＤＡＩフィールドまたは４ビットのＤＬ  ＨＡＲＱプロセス個数フィールドを含むように変更されず、ＦＤＤ  ＳＣｅｌｌのためのＵＬ  ＤＣＩフォーマットは、ＤＡＩフィールドを含むように変更されない（１８４０）。
【０３６８】
一般的に、ＵＥ  １１４がＴＤＤセルでの１つ以上のＰＤＳＣＨ受信に該当するＨＡＲＱ−ＡＣＫ情報をＦＤＤセルのＰＵＣＣＨで伝送すれば、ＴＤＤセル上でＰＤＳＣＨをスケジューリングするＤＬ  ＤＣＩフォーマットは、ＤＡＩフィールドを含まず、３ビット（４ビットではない）ＤＬ  ＨＡＲＱプロセス個数フィールドを含み、ＴＤＤセル上でＰＵＳＣＨをスケジューリングするＵＬ  ＤＣＩフォーマットは、ＤＡＩフィールドを含まない。これと反対に、ＵＥ  １１４がＦＤＤセルでの１つ以上のＰＤＳＣＨ受信に該当するＨＡＲＱ−ＡＣＫ情報をＴＤＤセルのＰＵＣＣＨで伝送すれば、ＦＤＤセル上でＰＤＳＣＨをスケジューリングするＤＬ  ＤＣＩフォーマットは、ＤＡＩフィールドを含み、４ビット（３ビットではない）ＤＬ  ＨＡＲＱプロセス個数フィールドを含み、ＴＤＤセル上でＰＵＳＣＨをスケジューリングするＵＬ  ＤＣＩフォーマットは、ＤＡＩフィールドを含む。
【０３６９】
ＵＥ  １１４がＴＤＤ  ＰＣｅｌｌとの連結を維持しながらＦＤＤ  ＳＣｅｌｌとの連結を断絶するようにすることができるシステム動作を向上させるために、ＵＥ  １１４は、ＴＤＤ  ＰＣｅｌｌでのＵＬ  ＴＴＩに該当するＴＴＩでＦＤＤ  ＳＣｅｌｌのＰＵＣＣＨを介してＨＡＲＱ−ＡＣＫ情報を伝送しなくてもよい。代わりに、ＴＤＤ  ＰＣｅｌｌでのＵＬ  ＴＴＩに該当するＴＴＩでＵＥ  １１４は、ＴＤＤ  ＰＣｅｌｌのＰＵＣＣＨを介してＨＡＲＱ−ＡＣＫ情報を伝送することができる。ＵＥ  １１４は、ＴＤＤ  ＰＣｅｌｌでのＵＬ  ＴＴＩに相当しないＴＴＩでは、ＦＤＤ  ＳＣｅｌｌのＰＵＣＣＨでＨＡＲＱ−ＡＣＫ情報を伝送する。
【０３７０】
ＦＤＤセルでＴＤＤセルへのクロスキャリアスケジューリング
【０３７１】
特定実施例において、ＰＣｅｌｌのようなＦＤＤセルからのＤＣＩフォーマットは、ＵＥ  １１４に対して同一のＴＴＩでのＰＤＳＣＨ受信またはＦＤＤセルでの４個のＴＴＩ以後またはＴＤＤセルでの少なくとも４個のＴＴＩ以後の第１ＵＬ  ＴＴＩでのＰＵＳＣＨ伝送をスケジューリングするようにどんなＴＴＩでも伝送されることができる。ＦＤＤセルからクロススケジューリングされたＴＤＤセルの場合、ＴＤＤセルでのＴＴＩがＤＬ  ＴＴＩではなければ、ＦＤＤセルでのＤＣＩフォーマット伝送のためのＴＴＩと同一のＴＴＩでのＰＤＳＣＨ受信は不可能である。
【０３７２】
第１方法において、ＦＤＤセルのＴＴＩがＴＤＤセルでのＵＬ  ＴＴＩなら、前記ＦＤＤセルのＴＴＩでｅＮＢ  １０２は、ＴＤＤセルでのＰＤＳＣＨスケジューリングのためのＤＬ  ＤＣＩフォーマットを伝送せず、ＵＥ  １１４は、前記ＤＬ  ＤＣＩフォーマットをデコーディングしない。一般的に、（ＦＤＤまたはＴＤＤ）第１セルからのＴＤＤ第２セルのスケジューリングのために、第１セルのＴＴＩが第２セルのＵＬ  ＴＴＩに該当すれば、前記第１セルのＴＴＩでｅＮＢ  １０２は、第２セルでのＰＤＳＣＨスケジューリングのためのＤＣＩフォーマットを伝送せず、ＵＥ  １１４は、前記ＤＣＩフォーマットをデコーディングしない。同様に、ＴＴＩ  ｎ＋４がＴＤＤセルのＤＬ  ＴＴＩなら、ＴＴＩ  ｎでＴＤＤセルでのＰＵＳＣＨ伝送のためのどんなＵＬ  ＤＣＩフォーマットもＦＤＤセルでｅＮＢ  １０２は伝送せず、ＵＥ  １１４はデコーディングしない。例えば、ＵＥ  １１４は、以前ＤＬ  ＤＣＩフォーマットまたはＵＬ  ＤＣＩフォーマットをデコーディングしないことによって利用可能なデコーディング動作を割当して、他のセルでのスケジューリングまたはＴＤＤセルでのスケジューリングのためのＵＬ  ＤＣＩフォーマットまたはＤＬ  ＤＣＩフォーマットのために行われるデコーディング動作の個数を増加させることができる。
【０３７３】
図１９は、本発明によってＴＴＩがＴＤＤセルでのＵＬ  ＴＴＩの場合にＴＤＤセルでＰＤＳＣＨをスケジューリングするＤＬ  ＤＣＩフォーマットのためのＴＴＩでのＵＥのデコーディング動作の例を示す。図１９の流れ図が一連の順次な段階を示しているが、明白に言及しない限り、特定の実行手順に関するシーケンス、その段階または部分の同時的やオーバーラップされない順次な実行、または介在される段階や中間段階なしに排他的に示された段階の実行を類推しない。図示された例のプロセスは、例えば移動局の伝送装置チェーンによって具現される。
【０３７４】
図１９に示されたように、ＵＥ  １１４は、２つのセルでのＰＤＳＣＨ受信のためにｅＮＢ  １０２によって構成されるところ、第２セルは、ＴＤＤを利用し、それぞれのセルでのＰＤＳＣＨ受信は、第１セルで伝送され、それぞれのＤＬ  ＤＣＩフォーマットを伝送するＰＤＣＣＨによってスケジューリングされる（１９１０）。第１セルのＤＬ  ＴＴＩで、ＵＥ  １１４は、ＴＤＤ第２セルでのＴＴＩの通信方向を考慮する（１９２０）。前記ＴＴＩがＤＬ  ＴＴＩなら、ＵＥ  １１４は、デコーディング動作を行い、ＴＤＤ第２セルでのＰＤＳＣＨ受信のためのＤＬ  ＤＣＩフォーマットを運ぶＰＤＣＣＨを検出する（１９３０）。前記ＴＴＩがＵＬ  ＴＴＩなら、ＵＥ  １１４は、ＴＤＤ第２セルでのＰＤＳＣＨ受信のためのＤＬ  ＤＣＩフォーマットの伝送と関連したＰＤＣＣＨに対するすべてのデコーディング動作を省略する（１９４０）。
【０３７５】
全体的なシステム動作を向上させるために、前記制限を利用する２つのオプションが存在する。第１オプションは、ＵＥ  １１４がＴＴＩで実際にデコーディングするＤＣＩフォーマットのためのデコーディング動作の回数を増加させるための前述したＤＣＩフォーマットをデコーディングしない場合、利用可能な多数のデコーディング動作を利用するものである。例えば、ＵＥ  １１４がＴＤＤセルのためのＤＬ  ＤＣＩフォーマットをデコーディングしないＴＴＩでＵＥ−特定検索領域でセルごとにＴＴＩ当たりＤＬ  ＤＣＩフォーマットのための１６番のデコーディング動作とＵＬ  ＤＣＩフォーマットのための１６番のデコーディング動作を行ったら、ＵＥ  １１４は、それぞれの１６番のデコーディング動作を利用してＦＤＤセルのためのＤＬ  ＤＣＩフォーマットまたはＦＤＤセルまたはＴＤＤセルのためのＵＬ  ＤＣＩフォーマットのために行うデコーディング動作の回数を増加させることができる。これは、ＰＤＣＣＨ伝送のための共通検索領域（ＣＳＳ）が第１セル及び第２セルで支援され、ＵＥ  １１４がただ１つのＣＳＳでＰＤＣＣＨデコーディング動作を支援するために名目上のＰＤＣＣＨデコーディング能力を有する場合に有用であることができる。
【０３７６】
図２０は、本発明によってＴＴＩでＵＥがＴＤＤセルのためのＤＬ  ＤＣＩフォーマットをモニタリングするか否かによってＴＴＩで第１セル上で伝送されるＰＤＣＣＨのためのＵＥでのデコーディング動作を割当する例を示す。図２０の流れ図が一連の順次な段階を示しているが、明白に言及しない限り、特定の実行手順に関するシーケンス、その段階または部分の同時的やオーバーラップされない順次な実行、または介在される段階や中間段階なしに排他的に示された段階の実行を類推しない。図示された例のプロセスは、例えば移動局の伝送装置チェーンによって具現される。
【０３７７】
図２０に示されたように、ＵＥ  １１４は、２つのセルでのＰＤＳＣＨ受信のために構成されるところ、ＳＣｅｌｌは、ＴＤＤを利用し、それぞれのセルでのＰＤＳＣＨ受信は、第１セルで伝送されるＰＤＣＣＨによってスケジューリングされる（２０１０）。ＵＥ  １１４は、それぞれのセルでＰＤＳＣＨ  ＴＭとＰＵＳＣＨＴＭで構成され、ＴＤＤセルでそれぞれのＤＬ  ＤＣＩフォーマットのための多数のＤ２デコーディング動作を行うことができる。第１セルのＤＬ  ＴＴＩで、ＵＥ  １１４は、ＴＤＤセルでのＴＴＩの通信方向を考慮する（２０２０）。前記ＴＴＩがＤＬ  ＴＴＩなら、ＵＥ  １１４は、ＴＤＤセルでＰＤＳＣＨをスケジューリングするＤＬ  ＤＣＩフォーマット（またはＴＤＤセルでのＣＳＳ）のための最大Ｄ２番のデコーディング動作を行う（２０３０）。前記ＴＴＩがＵＬ  ＴＴＩなら、ＵＥ  １１４は、ＴＤＤセルでＰＤＳＣＨをスケジューリングするＤＬ  ＤＣＩフォーマットのためのどんなデコーディング動作も行わず、第１セルでＰＤＳＣＨをスケジューリングするＤＬ  ＤＣＩフォーマットのための追加的なＤ２１デコーディング動作と、第１セルでＰＵＳＣＨをスケジューリングするＵＬ  ＤＣＩフォーマットのための追加的なＤ２２デコーディング動作と、ＴＤＤセルでＰＵＳＣＨをスケジューリングするＵＬ  ＤＣＩフォーマットのための追加的なＤ２３デコーディング動作を行う（２０４０）。ここで、Ｄ２１＋Ｄ２２＋Ｄ２３≦Ｄ２である。
【０３７８】
第１方法に対する第２オプションは、ＵＥ  １１４がＦＤＤセルまたはＴＤＤ単一セル動作のためのデコーディング動作の回数と比較して、クロスキャリアスケジューリングされたＴＤＤセルのためのデコーディング動作の回数の半分のみを支援するようにするものである。例えば、ＵＥ  １１４は、ＦＤＤセルまたはＴＤＤ  ＰＣｅｌｌまたはＴＤＤ単一セル動作に対してＴＴＩ当たりＤＬ  ＤＣＩフォーマットのための１６番のデコーディング動作とＵＬ  ＤＣＩフォーマットのための１６番のデコーディング動作を行うことができる。しかし、クロスキャリアスケジューリングされたＴＤＤセルに対しては、ＤＬ  ＤＣＩフォーマットまたはＵＬ  ＤＣＩフォーマットのために１６番のデコーディング動作のみを行うことができる。
【０３７９】
図２１は、本発明によって第１セルとＴＤＤ第２セルでのスケジューリングのために第１セルで伝送されるＰＤＣＣＨのためのＵＥでのデコーディング動作を割当する例を示す。図２１の流れ図が一連の順次な段階を示しているが、明白に言及しない限り、特定の実行手順に関するシーケンス、その段階または部分の同時的やオーバーラップされない順次な実行、または介在される段階や中間段階なしに排他的に示された段階の実行を類推しない。図示された例のプロセスは、例えば移動局の伝送装置チェーンによって具現される。
【０３８０】
図２１を参照すれば、ＵＥ  １１４は、２つのセルでのＰＤＳＣＨ受信のために構成される（２１１０）。この際、第２セルは、ＴＤＤを利用し、それぞれのセルでのＰＤＳＣＨ受信は、第１セルで伝送されるＰＤＣＣＨによってスケジューリングされる。第１セルでＰＤＳＣＨまたはＰＵＳＣＨをスケジューリングするＤＣＩフォーマットの検出のために（２１２０）、ＵＥ  １１４は、最大Ｄ１番のデコーディング動作を行う（２１３０）。ＴＤＤ第２セルでＰＤＳＣＨまたはＰＵＳＣＨをスケジューリングするＤＣＩフォーマットの検出のために、ＵＥ  １１４は、最大Ｄ２番のデコーディング動作を行う。ここでＤ２＜Ｄ１であり、ＵＥ  １１４は、ＴＴＩでＤＬ  ＤＣＩフォーマットまたはＵＬ  ＤＣＩフォーマット（両方共ではない）をモニタリングする（２１４０）。
【０３８１】
第２方法において、ＴＤＤ  ＳＣｅｌｌのＵＬ  ＴＴＩに該当するＴＴＩで、ＰＤＳＣＨスケジューリングのためのＤＣＩフォーマットをＦＤＤセルでｅＮＢ  １０２は伝送し、ＵＥ  １１４はデコーディングする。ＴＴＩ  ｎ＋４がＴＤＤ  ＳＣｅｌｌのＵＬ  ＴＴＩの場合、ＴＴＩ  ｎで、ＴＤＤ  ＳＣｅｌｌでのＰＵＳＣＨ伝送のためのＤＣＩフォーマットをＦＤＤセルでｅＮＢ  １０２は伝送し、ＵＥ  １１４はデコーディングする。ＰＵＳＣＨ伝送のＴＴＩを決定するために、ＦＤＤセルでのセルフスケジューリングのためのタイムライン（ｔｉｍｅｌｉｎｅ）のようなタイムラインを適用することができる。例えば、ＵＬ  ＤＣＩフォーマット検出に対応するＰＵＳＣＨ伝送のためのＴＴＩは、ＵＬ  ＤＣＩフォーマット検出のためのＴＴＩから４個のＴＴＩ以後の一番目ＵＬ  ＴＴＩであることができる。または、同一のＴＤＤ  ＵＬ−ＤＬ構成を有する単一セルＴＤＤ動作のための既存のタイムラインがＦＤＤセルで伝送されるＤＣＩフォーマットのために適用されることができ、ＴＤＤ  ＳＣｅｌｌでＰＤＳＣＨまたはＰＵＳＣＨをスケジューリングすることができる。
【０３８２】
ＰＤＳＣＨ受信のためのＴＴＩを決定するために、ＰＤＳＣＨ受信のためのＴＴＩがＤＬ  ＤＣＩフォーマット検出のためのＴＴＩと同一のすべての他の場合のように新しいスケジューリングタイムラインが有利であることができる。ＴＤＤ  ＳＣｅｌｌのＵＬ  ＴＴＩに該当するＴＴＩでＤＣＩフォーマットを介してＦＤＤセルからＰＤＳＣＨ受信をクロスキャリアスケジューリングするＴＤＤ  ＳＣｅｌｌにおいて、ＰＤＳＣＨ受信のためのＴＴＩは、ＵＬ  ＴＴＩ以後の一番目のＤＬ  ＴＴＩであることができる。これによって、新しいタイムラインを使用し、ＴＴＩがＵＬ  ＴＴＩの場合、ＴＤＤ  ＳＣｅｌｌでのＰＤＳＣＨスケジューリングのためにｅＮＢ  １０２がＤＬ  ＤＣＩフォーマットをＵＥ  １１４に伝送するようにするために、他の場合ならどんな信号伝送にも使用されないＰＤＳＣＨ資源を利用し、ＴＤＤ  ＳＣｅｌｌでのＰＤＳＣＨスケジューリングのために、以後のＴＴＩで可能ならさらに少ない数のＰＤＣＣＨ資源を利用する。
【０３８３】
図２２は、本発明によるＴＤＤ単一セル動作とクロススケジューリングされたＴＤＤ  ＳＣｅｌｌのための例示的なＰＤＳＣＨスケジューリングを示す。図２２に示されたＰＤＳＣＨスケジューリングの実施例は、例示的なものであって、本発明の範囲を逸脱することなく、他の実施例を利用することができる。
【０３８４】
図２２に示されたように、単一セルＴＤＤ動作のために、ＤＬ  ＤＣＩフォーマット２２１０，２２１２を伝達するＰＤＣＣＨ受信のＴＴＩと同一のＴＴＩでＵＥ  １１４は、常にＰＤＳＣＨを受信する。クロスキャリアスケジューリングされたＴＤＤ  ＳＣｅｌｌ動作のために、ＤＬ  ＤＣＩフォーマットを伝達するＰＤＣＣＨ受信のＴＴＩと同一のＴＴＩがＴＤＤ  ＳＣｅｌｌのＤＬ  ＴＴＩなら、ＵＥ  １１４は、前記ＴＴＩでＰＤＳＣＨを受信する（２２２０）。クロスキャリアスケジューリングされたＴＤＤ  ＳＣｅｌｌ動作のために、ＤＬ  ＤＣＩフォーマットを伝達するＰＤＣＣＨ受信のＴＴＩ以後の一番目ＤＬ  ＴＴＩがＴＤＤ  ＳＣｅｌｌのＵＬ  ＴＴＩまたはスペシャルＴＴＩの場合、ＵＥ  １１４は、前記一番目ＴＴＩでＰＤＳＣＨを受信する（２２３０）。ＵＥ  １１４が任意の時間にＤＬ  ＴＴＩより多いＤＬ  ＤＣＩフォーマットを受信することができる場合のエラーを防止するために、ＵＥ  １１４は、ＰＤＳＣＨ受信のための最も最近のＤＣＩフォーマットのみを考慮することができる。したがって、ＵＥ  １１４がＴＴＩ＃７  ２２４０でＤＬ  ＤＣＩフォーマットを検出し、ＴＴＩ＃８  ２２４２でＤＬ  ＤＣＩフォーマットを検出すれば、ＵＥ  １１４は、ＴＴＩ＃７のＤＬ  ＤＣＩフォーマットは無視し、ＴＴＩ＃８のＤＬ  ＤＣＩフォーマットによってＰＤＳＣＨを受信する（１つのＤＬ  ＤＣＩフォーマットがＳＰＳリリースをトリガリングし、他のＤＬ  ＤＣＩフォーマットがＰＤＳＣＨ受信をスケジューリングしなければ、ＵＥは、２つのＤＬ  ＤＣＩフォーマットをすべて考慮する）。
【０３８５】
ＴＤＤセルからＦＤＤセルへのクロスキャリアスケジューリング
【０３８６】
特定実施例において、他のセルで伝送されるＰＤＣＣＨによって伝達されるＤＣＩフォーマットを利用してＳＣｅｌｌでＰＤＳＣＨまたはＰＵＳＣＨをスケジューリングすることが好ましい。ＴＤＤセルでＰＤＣＣＨを介して伝送されるＤＣＩフォーマットによるＰＤＳＣＨまたはＰＵＳＣＨスケジューリングのために、ＤＬ  ＴＴＩにのみスケジューリング能力を制限する。単一セルＴＤＤ動作とＤＬ  ＴＴＩよりＵＬ  ＴＴＩがさらに多いＴＤＤ  ＵＬ−ＤＬ構成０の場合、ＵＬ  ＤＣＩフォーマットにＵＬインデックスフィールドを含ませて、すべてのＵＬ  ＴＴＩでのスケジューリングの制限を回避する。前記ＵＬインデックスフィールドは、ＵＬ  ＤＣＩフォーマットによってスケジューリングされるＰＵＳＣＨ伝送のための１つ以上のＵＬ  ＴＴＩを示す。
【０３８７】
従来の単一セルＴＤＤ動作のためのもののような類似なスケジューリング制限は、ＴＤＤ  ＰＣｅｌｌがＦＤＤ  ＳＣｅｌｌでクロスキャリアスケジューリングを行う場合に起きて、ＴＤＤ  ＰＣｅｌｌのＤＬ  ＴＴＩの個数がＦＤＤ  ＳＣｅｌｌのＤＬ  ＴＴＩの個数より常に小さいので、すべてのＴＤＤ  ＵＬ−ＤＬ構成とＰＤＳＣＨスケジューリング及びＰＵＳＣＨスケジューリングに適用されることができる。したがって、ＴＤＤ  ＰＣｅｌｌで単一ＤＬ  ＴＴＩではなく、多数のＴＴＩでＰＤＳＣＨまたはＰＵＳＣＨスケジューリングをするためにＴＤＤ  ＰＣｅｌｌからＦＤＤ  ＳＣｅｌｌでのスケジューリングのためのＤＬ  ＤＣＩフォーマットまたはＵＬ  ＤＣＩフォーマットにＤＬインデックスフィールドまたはＵＬインデックスフィールドを導入することができる。ＴＤＤ  ＵＬ−ＤＬ構成０を除いたＴＤＤ  ＵＬ−ＤＬ構成のためのＤＬインデックスフィールドまたはＵＬインデックスフィールドは、ＴＤＤ  ＰＣｅｌｌでのスケジューリングのためのＤＬ  ＤＣＩフォーマットまたはＵＬ  ＤＣＩフォーマットに導入される必要がない。したがって、ＦＤＤ  ＳＣｅｌｌでのＰＤＳＣＨまたはＰＵＳＣＨスケジューリングが多数のＴＴＩで行われることができる場合にのみ、ＤＬインデックスフィールドまたはＵＬインデックスフィールドが必要であり、ＦＤＤ  ＳＣｅｌｌでのＰＤＳＣＨまたはＰＵＳＣＨスケジューリングが単一ＴＴＩに制限される場合には、ＤＬ  ＤＣＩフォーマットまたはＵＬ  ＤＣＩフォーマットでＤＬインデックスフィールドまたはＵＬインデックスフィールドが必要ない。
【０３８８】
単一ＤＬ  ＤＣＩフォーマットを使用するＴＤＤ  ＰＣｅｌｌからのＦＤＤ  ＳＣｅｌｌの多数のＴＴＩでのＰＤＳＣＨ伝送のスケジューリングのための第１制限は、ＤＬ  ＤＣＩフォーマットを多数のＰＤＳＣＨ伝送（これは、すべて同一のバンドリングウィンドウ内で行われるものと仮定する）のＴＴＩと同一のバンドリングウィンドウのＤＬ  ＴＴＩに伝送するものである。これによって（前述したように、ＵＥ  １１４がＴＤＤ  ＰＣｅｌｌでＨＡＲＱ−ＡＣＫ情報を伝送する場合に）ＤＬ  ＤＣＩフォーマットのＤＡＩフィールドの解釈における混同が防止され、同一のバンドリングウィンドウに対するＨＡＲＱ−ＡＣＫ情報が同一のＰＵＣＣＨまたはＰＵＳＣＨで伝送されることができる。例えば、ＴＤＤ  ＵＬ−ＤＬ構成２がＴＤＤ  ＰＣｅｌｌで使用される場合、ＦＤＤ  ＳＣｅｌｌのＴＴＩ＃７でのＰＤＳＣＨ伝送は、ＴＤＤ  ＰＣｅｌｌのＤＬ  ＴＴＩ＃４，ＤＬ  ＴＴＩ＃５またはＤＬ  ＴＴＩ＃６で伝送されるＤＬ  ＤＣＩフォーマットによってスケジューリングされることができる。
【０３８９】
ＴＤＤ  ＰＣｅｌｌの二番目のＴＴＩで伝送されるＤＬ  ＤＣＩフォーマットによってＦＤＤ  ＳＣｅｌｌの一番目のＤＬ  ＴＴＩでのＰＤＳＣＨ伝送のスケジューリングをさらに簡略化するために、ＤＬ  ＤＣＩフォーマットのＤＬインデックスを使用すれば、前記スケジューリングを単一ＴＴＩスケジューリング及びＴＤＤ  ＰＣｅｌｌのＵＬ  ＴＴＩで制限することができる。例えば、ＴＤＤ  ＵＬ−ＤＬ構成２がＴＤＤ  ＰＣｅｌｌで使用される場合、ＤＬ  ＤＣＩフォーマットは、常に単一ＤＬ  ＴＴＩでＰＤＳＣＨをスケジューリングし、ＦＤＤ  ＳＣｅｌｌのＴＴＩ＃７のみで行われるＰＤＳＣＨ伝送は、ＴＤＤ  ＰＣｅｌｌで伝送されるＤＬ  ＤＣＩフォーマットによってスケジューリングされることができる一方で、ＦＤＤ  ＳＣｅｌｌのための同一のバンドリングウィンドウの他のＴＴＩ、例えばＴＴＩ＃６でのＰＤＳＣＨ伝送は、ＴＤＤ  ＰＣｅｌｌの同一のＴＴＩで伝送されるＤＬ  ＤＣＩフォーマットによってスケジューリングされる。表１のＴＤＤ  ＵＬ−ＤＬ構成において、ＦＤＤ  ＳＣｅｌｌのための同一のバンドリングウィンドウには、最大３個のＵＬ  ＴＴＩが存在し、前記制限を利用する場合、ＤＬ  ＤＣＩフォーマット内のＤＬインデックスは、２ビットを含むことができ、ＤＬ  ＤＣＩフォーマットがＰＤＳＣＨ伝送をスケジューリングするＦＤＤ  ＳＣｅｌｌのＴＴＩを示すことができる。
【０３９０】
例えば、ＴＤＤ  ＵＬ−ＤＬ構成２がＴＤＤ  ＰＣｅｌｌで使用される場合、ＤＬインデックス値‘００’は、ＤＬ  ＤＣＩフォーマットが伝送されるＴＴＩと同一のＴＴＩで前記ＤＬ  ＤＣＩフォーマットがＦＤＤ  ＳＣｅｌｌでＰＤＳＣＨをスケジューリングすることを示すことができ、ＤＬインデックス値‘０１’は、ＴＴＩ＃７でのＰＤＳＣＨスケジューリングを示すことができる。この場合、ＵＥ  １１４は、ＤＬインデックスの他の２つの可能な値である‘１０’と‘１１’は有効ではないものと見做し、関連したＤＬ  ＤＣＩフォーマットの検出を無視することができる（または、この場合に１ビットのＤＬインデックスを使用することができる）。例えば、ＴＤＤ  ＵＬ−ＤＬ構成０がＴＤＤ  ＰＣｅｌｌで利用される場合、ＤＬインデックス値‘００’は、ＤＬ  ＤＣＩフォーマットが伝送されるＴＴＩと同一のＴＴＩ、例えばＴＴＩ＃５またはＴＴＩ＃６で前記ＤＬ  ＤＣＩフォーマットがＦＤＤ  ＳＣｅｌｌでＰＤＳＣＨをスケジューリングすることを示すことができ、ＤＬインデックス値‘０１’、‘１０’または‘１１’は、それぞれＴＴＩ＃７，ＴＴＩ＃８またはＴＴＩ＃９でのＰＤＳＣＨスケジューリングを示すことができる。
【０３９１】
クロス−ＴＴＩスケジューリングの場合、ＨＡＲＱ−ＡＣＫ情報ビットの手順配列は、ＴＴＩ手順ではなく、スケジューリング手順に従う。例えば、スケジューリング手順は、ＰＤＳＣＨ伝送をスケジューリングするＤＬ  ＤＣＩフォーマットに含まれたＤＡＩフィールドの値によって決定されることができる。したがって、同一のバンドリングウィンドウでの以前ＰＤＳＣＨ伝送に該当する第２ＨＡＲＱ−ＡＣＫ情報ビット以前に配置される第１ＨＡＲＱ−ＡＣＫ情報ビットが第２ＨＡＲＱ−ＡＣＫ情報ビット以後にＵＥ  １１４で利用可能であっても、クロス−ＴＴＩスケジューリングによってスケジューリングされるＰＤＳＣＨ伝送は、第１ＨＡＲＱ−ＡＣＫ情報ビットを有することができる。例えば、ＴＤＤ  ＵＬ−ＤＬ構成２がＴＤＤ  ＰＣｅｌｌで利用される場合、ＦＤＤ  ＳＣｅｌｌのＴＴＩ＃７でのＰＤＳＣＨ伝送は、ＴＤＤ  ＰＣｅｌｌのＤＬ  ＴＴＩ＃４で伝送されるＤＣＩフォーマットによってクロス−ＴＴＩスケジューリングされることができる。したがって、ＦＤＤ  ＳＣｅｌｌでのＰＤＳＣＨ伝送がＴＴＩ＃５，ＴＴＩ＃６またはＴＴＩ＃８でスケジューリングされれば、それぞれのＨＡＲＱ−ＡＣＫ情報ビットは、ＴＴＩ＃７でのＰＤＳＣＨ伝送に該当するＨＡＲＱ−ＡＣＫ情報ビット以後に位置する。
【０３９２】
図２３は、本発明によってＴＤＤ  ＰＣｅｌｌの以前ＴＴＩで伝送されるＤＬ  ＤＣＩフォーマットによってＦＤＤ  ＳＣｅｌｌのＴＴＩでＰＤＳＣＨをスケジューリングし、それぞれのＨＡＲＱ−ＡＣＫ情報ビットを生成する例示的な方法を示す。図２３に示されたＰＤＳＣＨスケジューリングの実施例は、例示的なものであって、本発明の範囲を逸脱することなく、他の実施例を利用することができる。
【０３９３】
図２３に示されたように、ＵＥ  １１４は、ＴＤＤ  ＰＣｅｌｌ  ２３１０とＦＤＤ  ＳＣｅｌｌ  ２３２０によって構成される。ＴＤＤスケジューリングセル上のＴＤＤ  ＰＣｅｌｌは、ＴＤＤ  ＵＬ−ＤＬ構成２を利用し、ＦＤＤ  ＳＣｅｌｌにおけるＰＤＳＣＨは、ＴＤＤ  ＰＣｅｌｌ（または一般的にＴＤＤスケジューリングセル）で伝送されるＤＬ  ＤＣＩフォーマットによってスケジューリングされる。ＦＤＤ  ＳＣｅｌｌの場合、ＴＴＩ＃４  ２３４０、ＴＴＩ＃５  ２３４２、ＴＴＩ＃６  ２３４４、ＴＴＩ＃７  ２３４６及びＴＴＩ＃８  ２３４８は、同一のバンドリングウィンドウに属し、これらのうち任意のＴＴＩでＦＤＤ  ＳＣｅｌｌのためのＤＬ  ＤＣＩフォーマット検出に対応するＨＡＲＱ−ＡＣＫ情報は、ＵＬ  ＴＴＩ＃１２  ２３５０で伝送される。ＦＤＤ  ＳＣｅｌｌとＴＴＩ＃４のための第１ＤＬ  ＤＣＩフォーマットは、ＴＤＤ  ＰＣｅｌｌのＴＴＩ＃４で伝送され、１にマッピングされるＤＡＩフィールドと０にマッピングされるＤＬインデックスフィールドを含む（２３６０）。ＦＤＤ  ＳＣｅｌｌとＴＴＩ＃７のための第２ＤＬ  ＤＣＩフォーマットは、ＴＤＤ  ＰＣｅｌｌのＴＴＩ＃４で伝送され、２にマッピングされるＤＡＩフィールドと１にマッピングされるＤＬインデックスフィールドを含む（２３６２）。第２ＤＬ  ＤＣＩフォーマットが１にマッピングされるＤＬインデックスフィールドを含むが、ＴＤＤ  ＰＣｅｌｌのＤＬ  ＴＴＩに該当するＴＴＩでは、クロス−ＴＴＩスケジューリングを行わないという制限によって第２ＤＬ  ＤＣＩフォーマットがＦＤＤ  ＳＣｅｌｌのＴＴＩ＃７のためのものことであることが明白である。ＦＤＤ  ＳＣｅｌｌとＴＴＩ＃６のための第３ＤＬ  ＤＣＩフォーマットは、ＴＤＤ  ＰＣｅｌｌのＴＴＩ＃６で伝送され、３にマッピングされるＤＡＩフィールドと０にマッピングされるＤＬインデックスフィールドを含む（２３６４）（ＵＥ  １１４は、ＤＬインデックスフィールドが０にマッピングされなければ、第３ＤＬ  ＤＣＩフィールドを無視してもよい）。第１、第２、第３ＤＬ  ＤＣＩフォーマットのうち１つ以上が検出されれば、ＵＥ  １１４は、少なくともＨＡＲＱ−ＡＣＫ情報ビットＯ０２３７０、Ｏ１２３７２及びＯ２２３７４を生成し、ＵＥでＯ１がＯ２の次に生成されても、前記の手順で前記ＨＡＲＱ−ＡＣＫ情報ビットを伝送する（単純化すれば、図２３の例は、ＰＤＳＣＨ  ＴＭが１つのＨＡＲＱ−ＡＣＫ情報ビットと関連したものと仮定するが、ＰＤＳＣＨ  ＴＭが２つのＨＡＲＱ−ＡＣＫ情報ビットと関連する場合、ＨＡＲＱ−ＡＣＫ情報ビットの各対に対して同一の手順が適用される）。
【０３９４】
新しいＴＤＤ  ＵＬ−ＤＬ構成
【０３９５】
特定実施例において、ＴＤＤ  ＳＣｅｌｌが従来のＵＥを支援しない場合、新しいＴＤＤ  ＵＬ−ＤＬ構成を導入し、ＦＤＤ  ＰＣｅｌｌを有するＦＤＤ及びＴＤＤセルの間のＣＡの特性を利用することができる。このようなＴＤＤ  ＵＬ−ＤＬ構成は、ＤＬ  ＴＴＩのみを含む構成になり得る。このような新しいＴＤＤ  ＵＬ−ＤＬ構成は、ＦＤＤ  ＰＣｅｌｌでＰＵＣＣＨ伝送が常に起きるようにすることによって行われることができ、ＵＬトラフィックよりＤＬトラフィックがさらに多いシステム動作に起因する。それぞれのキャリア周波数がＴＤＤ動作に割当されなければ、スペクトルに含まれるということを除けば、ＤＬ  ＴＴＩのみを有するＴＤＤセルは、他のＦＤＤセルと共有するＵＬキャリアを有するＦＤＤセルと機能的に同一である。
【０３９６】
チャネル相互作用（ｃｈａｎｎｅｌ  ｒｅｃｉｐｒｏｃｉｔｙ）によってＳＲＳ伝送は、ＤＬＣＳＩを得るためのＴＤＤセルで有利であることができるので、ＴＤＤ  ＳＣｅｌｌは、ＵＬ  ＴＴＩを含まないことがあるが、少ない数または０個のＤＬシンボルとＰＲＡＣＨ伝送及びＳＲＳ伝送のために使用することができる可能な多数のＵＬシンボルとともに相変らずスペシャルＴＴＩを含むことができる。ＵＥ  １１４がＤＬ信号受信とＵＬ信号送信のために経験することができる異なる干渉条件に起因して、ｅＮＢ  １０２がＵＥ  １１４からのＳＲＳ伝送を介して他の形態のＣＳＩを得ることができる場合にも、ＣＱＩは、ＵＥ  １１４によって明示的に提供されることができる。したがって、他の新しいタイプのＴＤＤ  ＵＬ−ＤＬ構成は、ＤＬ  ＴＴＩのみを含むか、ＤＬ  ＴＴＩとスペシャルＴＴＩを含むことができる。
【０３９７】
図２４は、本発明によるＤＬ  ＴＴＩと１つのスペシャルＴＴＩを含み、ＵＬ  ＴＴＩは含まないＴＤＤ  ＵＬ−ＤＬ構成の一例を示す。図２４に示されたＴＤＤ  ＵＬ−ＤＬ構成の実施例は、例示的なものであって、本発明の範囲を逸脱することなく、他の実施例を利用することができる。
【０３９８】
図２４に示されたように、１０個のＴＴＩよりなるフレームは、１つのスペシャルＴＴＩ  ２４１０を含み、残りすべてのＴＴＩは、ＤＬ  ＴＴＩ  ２４２０である。前記スペシャルＴＴＩは、新しいタイプであってもよく、ＤｗＰＴＳシンボルを含まず、ＧＰと増加された個数のＵｐＰＴＳシンボルを含む。ＵｐＰＴＳシンボルは、ＳＲＳ伝送のために利用されることができ、例えばＴＤＤ  ＳＣｅｌｌがＦＤＤ  ＰＣｅｌｌと同期化されない場合には、ＰＲＡＣＨ伝送のために利用されることができる。
【０３９９】
本発明を例示的な実施例によって説明したが、多様な変更と修正が通常の技術を有する者に提示されることができる。本発明は、添付の請求項の範囲内でこのような変更と修正を含む。
【符号の説明】
【０４００】
１００  無線ネットワーク
１２０  カバレージ領域
１２５  カバレージ領域
１３０  ネットワーク
２０５  アンテナ
２１０  送受信機
２１５  処理回路
２２０  マイク
２２５  処理回路
２３０  スピーカー
２４０  メインプロセッサ
２４５  入出力インターフェース
２５０  キーパッド
２５５  ディスプレイ
２６０  メモリ
２６１  プログラム
２６２  アプリケーション
【図１】
2018207541.tif 000117
【図２】
2018207541.tif 000118
【図３】
2018207541.tif 000119
【図４】
2018207541.tif 000120
【図５】
2018207541.tif 000121
【図６】
2018207541.tif 000122
【図７】
2018207541.tif 000123
【図８】
2018207541.tif 000124
【図９】
2018207541.tif 000125
【図１０】
2018207541.tif 000126
【図１１】
2018207541.tif 000127
【図１２】
2018207541.tif 000128
【図１３】
2018207541.tif 000129
【図１４】
2018207541.tif 000130
【図１５】
2018207541.tif 000131
【図１６】
2018207541.tif 000132
【図１７】
2018207541.tif 000133
【図１８】
2018207541.tif 000134
【図１９】
2018207541.tif 000135
【図２０】
2018207541.tif 000136
【図２１】
2018207541.tif 000137
【図２２】
2018207541.tif 000138
【図２３】
2018207541.tif 000139
【図２４】
2018207541.tif 000140
【手続補正書】
【提出日】平成30年11月16日(2018.11.16)
【手続補正１】
【補正対象書類名】特許請求の範囲
【補正対象項目名】全文
【補正方法】変更
【補正の内容】
【特許請求の範囲】
【請求項１】
無線通信システムで受信確認情報を受信する方法において、
セカンダリーセルと通信を行うための設定情報をプライマリーセル上で伝送する段階と、
前記プライマリーセル及び前記セカンダリーセルのうちの少なくとも１つ以上のデータをスケジューリングする下向きリンク制御情報を第１ＴＴＩで伝送する段階と、
前記下向きリンク制御信号に基づいて、前記データを前記プライマリーセル及び前記セカンダリーセルのうちの少なくとも１つ以上の前記第１ＴＴＩで伝送する段階と、
前記データのための前記受信確認情報を第２ＴＴＩで受信する段階とを含み、
前記プライマリーセルは、ＦＤＤ（ｆｒｅｑｕｅｎｃｙ  ｄｉｖｉｓｉｏｎ  ｄｕｐｌｅｘｉｎｇ）を使用し、前記セカンダリーセルは、ＴＤＤ（ｔｉｍｅ  ｄｉｖｉｓｉｏｎ  ｄｕｐｌｅｘｉｎｇ）を使用し、
前記受信確認情報の情報ビット数は、前記セカンダリーセルの前記第１ＴＴＩが上向きリンクＴＴＩであるか又は下向きリンクＴＴＩであるかに基づいて決定される、受信確認情報の受信方法。
【請求項２】
前記セカンダリーセルの前記第１ＴＴＩが前記下向きリンクＴＴＩである場合、前記情報ビットは、前記プライマリーセルと前記セカンダリーセルの第１ＴＴＩのうちの少なくとも１つに対するＨＡＲＱ−ＡＣＫビットを含み、
前記セカンダリーセルの前記第１ＴＴＩが前記上向きリンクＴＴＩである場合、前記情報ビットは、前記プライマリーセルの第１ＴＴＩに対するＨＡＲＱ−ＡＣＫビットを含むことを特徴とする、請求項１に記載の受信確認情報の受信方法。
【請求項３】
前記セカンダリーセルのためのＴＤＤ上向きリンク−下向きリンク（ＵＬ−ＤＬ）設定が適応的に設定される場合、前記セカンダリーセルの前記第１ＴＴＩが前記上向きリンクＴＴＩであるか下向きリンクＴＴＩであるかは、上位階層シグナリングとして設定された参照ＴＤＤ ＵＬ−ＤＬ設定に基づいて決定され、
そうではない場合、前記セカンダリーセルの前記第１ＴＴＩが前記上向きリンクＴＴＩであるか下向きリンクＴＴＩであるかは、前記セカンダリーセルのために設定されたＴＤＤ ＵＬ−ＤＬ設定に基づいて決定されることを特徴とする、請求項１に記載の受信確認情報の受信方法。
【請求項４】
前記セカンダリーセル上のデータをスケジューリングする下向きリンク制御情報が向上したＰＤＣＣＨ（ｐｈｙｓｉｃａｌ  ｄｏｗｎｌｉｎｋ  ｃｏｎｔｒｏｌ  ｃｈａｎｎｅｌ）上で伝送される場合、前記下向きリンク制御情報は、ＡＲＯ（ａｃｋｎｏｗｌｅｄｇｅｍｅｎｔ  ｒｅｓｏｕｒｃｅ  ｏｆｆｓｅｔ）情報を含み、
前記ＡＲＯ情報が０である場合、ＡＲＯの値は０であり、前記ＡＲＯ情報が１である場合、ＡＲＯの値は−１であり、前記ＡＲＯ情報が２である場合、ＡＲＯの値は−２であり、前記ＡＲＯ情報が３である場合、ＡＲＯの値は２であることを特徴とする、請求項１に記載の受信確認情報の受信方法。
【請求項５】
ＤＡＩ（ｄｏｗｎｌｉｎｋ  ａｓｓｉｇｎｍｅｎｔ  ｉｎｄｅｘ）情報は、前記セカンダリーセル上のデータをスケジューリングする下向きリンク制御情報において省略されることを特徴とする、請求項１に記載の受信確認情報の受信方法。
【請求項６】
前記第１ＴＴＩと前記第２ＴＴＩとの間隔は、４ＴＴＩであることを特徴とする、請求項１に記載の受信確認情報の受信方法。
【請求項７】
無線通信システムで受信確認情報を伝送する方法において、
セカンダリーセルと通信を行うための設定情報をプライマリーセル上で受信する段階と、
前記プライマリーセル及び前記セカンダリーセルのうちの少なくとも１つ以上のデータをスケジューリングする下向きリンク制御情報を第１ＴＴＩで受信する段階と、
前記下向きリンク制御信号に基づいて、前記データを前記プライマリーセル及び前記セカンダリーセルのうちの少なくとも１つ以上の前記第１ＴＴＩで受信する段階と、
前記データのための前記受信確認情報を第２ＴＴＩで伝送する段階とを含み、
前記プライマリーセルは、ＦＤＤ（ｆｒｅｑｕｅｎｃｙ  ｄｉｖｉｓｉｏｎ  ｄｕｐｌｅｘｉｎｇ）を使用し、前記セカンダリーセルは、ＴＤＤ（ｔｉｍｅ  ｄｉｖｉｓｉｏｎ  ｄｕｐｌｅｘｉｎｇ）を使用し、
前記受信確認情報の情報ビット数は、前記セカンダリーセルの前記第１ＴＴＩが上向きリンクＴＴＩであるか又は下向きリンクＴＴＩであるかに基づいて決定される、受信確認情報の伝送方法。
【請求項８】
前記セカンダリーセルの前記第１ＴＴＩが前記下向きリンクＴＴＩである場合、前記情報ビットは、前記プライマリーセルと前記セカンダリーセルの第１ＴＴＩのうちの少なくとも１つに対するＨＡＲＱ−ＡＣＫビットを含み、
前記セカンダリーセルの前記第１ＴＴＩが前記上向きリンクＴＴＩである場合、前記情報ビットは、前記プライマリーセルの第１ＴＴＩに対するＨＡＲＱ−ＡＣＫビットを含むことを特徴とする、請求項７に記載の受信確認情報の伝送方法。
【請求項９】
前記セカンダリーセルのためのＴＤＤ上向きリンク−下向きリンク（ＵＬ−ＤＬ）設定が適応的に設定される場合、前記セカンダリーセルの前記第１ＴＴＩが前記上向きリンクＴＴＩであるか下向きリンクＴＴＩであるかは、上位階層シグナリングとして設定された参照ＴＤＤ  ＵＬ−ＤＬ設定に基づいて決定され、
そうではない場合、前記セカンダリーセルの前記第１ＴＴＩが前記上向きリンクＴＴＩであるか下向きリンクＴＴＩであるかは、前記セカンダリーセルのために設定されたＴＤＤ  ＵＬ−ＤＬ設定に基づいて決定されることを特徴とする、請求項７に記載の受信確認情報の伝送方法。
【請求項１０】
前記セカンダリーセル上のデータをスケジューリングする下向きリンク制御情報が向上したＰＤＣＣＨ（ｐｈｙｓｉｃａｌ  ｄｏｗｎｌｉｎｋ  ｃｏｎｔｒｏｌ  ｃｈａｎｎｅｌ）上で伝送される場合、前記下向きリンク制御情報は、ＡＲＯ（ａｃｋｎｏｗｌｅｄｇｅｍｅｎｔ  ｒｅｓｏｕｒｃｅ  ｏｆｆｓｅｔ）情報を含み、
前記ＡＲＯ情報が０である場合、ＡＲＯの値は０であり、前記ＡＲＯ情報が１である場合、ＡＲＯの値は−１であり、前記ＡＲＯ情報が２である場合、ＡＲＯの値は−２であり、前記ＡＲＯ情報が３である場合、ＡＲＯの値は２であることを特徴とする、請求項７に記載の受信確認情報の伝送方法。
【請求項１１】
ＤＡＩ（ｄｏｗｎｌｉｎｋ  ａｓｓｉｇｎｍｅｎｔ  ｉｎｄｅｘ）情報は、前記セカンダリーセル上のデータをスケジューリングする下向きリンク制御情報において省略されることを特徴とする、請求項７に記載の受信確認情報の伝送方法。
【請求項１２】
前記第１ＴＴＩと前記第２ＴＴＩとの間隔は、４ＴＴＩであることを特徴とする、請求項７に記載の受信確認情報の伝送方法。
【請求項１３】
無線通信システムで受信確認情報を受信する基地局において、
送受信部と、
セカンダリーセルと通信を行うための設定情報をプライマリーセル上で伝送し、前記プライマリーセルは、ＦＤＤ（ｆｒｅｑｕｅｎｃｙ  ｄｉｖｉｓｉｏｎ  ｄｕｐｌｅｘｉｎｇ）を使用し、前記セカンダリーセルはＴＤＤ（ｔｉｍｅ  ｄｉｖｉｓｉｏｎ  ｄｕｐｌｅｘｉｎｇ）を使用し、前記プライマリーセル及び前記セカンダリーセルのうちの少なくとも１つ以上のデータをスケジューリングする下向きリンク制御情報を第１ＴＴＩで伝送し、前記下向きリンク制御信号に基づいて、前記データを前記プライマリーセル及び前記セカンダリーセルのうちの少なくとも１つ以上の前記第１ＴＴＩで伝送し、前記データのための前記受信確認情報を第２ＴＴＩで受信するように制御する前記送受信部に接続された制御部とを含み、
前記受信確認情報の情報ビット数は、前記セカンダリーセルの前記第１ＴＴＩが上向きリンクＴＴＩであるか又は下向きリンクＴＴＩであるかに基づいて決定される基地局。
【請求項１４】
前記セカンダリーセルの前記第１ＴＴＩが前記下向きリンクＴＴＩである場合、前記情報ビットは、前記プライマリーセルと前記セカンダリーセルの第１ＴＴＩのうちの少なくとも１つに対するＨＡＲＱ−ＡＣＫビットを含み、
前記セカンダリーセルの前記第１ＴＴＩが前記上向きリンクＴＴＩである場合、前記情報ビットは、前記プライマリーセルの第１ＴＴＩに対するＨＡＲＱ−ＡＣＫビットを含むことを特徴とする、請求項１３に記載の基地局。
【請求項１５】
前記セカンダリーセルのためのＴＤＤ上向きリンク−下向きリンク（ＵＬ−ＤＬ）設定が適応的に設定される場合、前記セカンダリーセルの前記第１ＴＴＩが前記上向きリンクＴＴＩであるか下向きリンクＴＴＩであるかは、上位階層シグナリングとして設定された参照ＴＤＤ  ＵＬ−ＤＬ設定に基づいて決定され、
そうではない場合、前記セカンダリーセルの前記第１ＴＴＩが前記上向きリンクＴＴＩであるか下向きリンクＴＴＩであるかは、前記セカンダリーセルのために設定されたＴＤＤ  ＵＬ−ＤＬ設定に基づいて決定されることを特徴とする、請求項１３に記載の基地局。
【請求項１６】
前記セカンダリーセル上のデータをスケジューリングする下向きリンク制御情報が向上したＰＤＣＣＨ（ｐｈｙｓｉｃａｌ  ｄｏｗｎｌｉｎｋ  ｃｏｎｔｒｏｌ  ｃｈａｎｎｅｌ）上で伝送される場合、前記下向きリンク制御情報は、ＡＲＯ（ａｃｋｎｏｗｌｅｄｇｅｍｅｎｔ  ｒｅｓｏｕｒｃｅ  ｏｆｆｓｅｔ）情報を含み、
前記ＡＲＯ情報が０である場合、ＡＲＯの値は０であり、前記ＡＲＯ情報が１である場合、ＡＲＯの値は−１であり、前記ＡＲＯ情報が２である場合、ＡＲＯの値は−２であり、前記ＡＲＯ情報が３である場合、ＡＲＯの値は２であることを特徴とする、請求項１３に記載の基地局。
【請求項１７】
ＤＡＩ（ｄｏｗｎｌｉｎｋ  ａｓｓｉｇｎｍｅｎｔ  ｉｎｄｅｘ）情報は、前記セカンダリーセル上のデータをスケジューリングする下向きリンク制御情報において省略されることを特徴とする、請求項１３に記載の基地局。
【請求項１８】
前記第１ＴＴＩと前記第２ＴＴＩとの間隔は、４ＴＴＩであることを特徴とする、請求項１３に記載の基地局。
【請求項１９】
無線通信システムで受信確認情報を伝送する端末において、
送受信部と、
セカンダリーセルと通信を行うための設定情報をプライマリーセル上で受信し、前記プライマリーセルは、ＦＤＤ（ｆｒｅｑｕｅｎｃｙ  ｄｉｖｉｓｉｏｎ  ｄｕｐｌｅｘｉｎｇ）を使用し、前記セカンダリーセルは、ＴＤＤ（ｔｉｍｅ  ｄｉｖｉｓｉｏｎ  ｄｕｐｌｅｘｉｎｇ）を使用し、前記プライマリーセル及び前記セカンダリーセルのうちの少なくとも１つ以上のデータをスケジューリングする下向きリンク制御情報を第１ＴＴＩで受信し、前記下向きリンク制御信号に基づいて、前記データを前記プライマリーセル及び前記セカンダリーセルのうちの少なくとも１つ以上の前記第１ＴＴＩで受信し、前記データのための前記受信確認情報を第２ＴＴＩで伝送するように制御する前記送受信部に接続された制御部とを含み、
前記受信確認情報の情報ビット数は、前記セカンダリーセルの前記第１ＴＴＩが上向きリンクＴＴＩであるか又は下向きリンクＴＴＩであるかに基づいて決定される端末。
【請求項２０】
前記セカンダリーセルの前記第１ＴＴＩが前記下向きリンクＴＴＩである場合、前記情報ビットは、前記プライマリーセルと前記セカンダリーセルの第１ＴＴＩのうちの少なくとも１つに対するＨＡＲＱ−ＡＣＫビットを含み、
前記セカンダリーセルの前記第１ＴＴＩが前記上向きリンクＴＴＩである場合、前記情報ビットは、前記プライマリーセルの第１ＴＴＩに対するＨＡＲＱ−ＡＣＫビットを含むことを特徴とする、請求項１９に記載の端末。
【請求項２１】
前記セカンダリーセルのためのＴＤＤ上向きリンク−下向きリンク（ＵＬ−ＤＬ）設定が適応的に設定される場合、前記セカンダリーセルの前記第１ＴＴＩが前記上向きリンクＴＴＩであるか下向きリンクＴＴＩであるかは、上位階層シグナリングとして設定された参照ＴＤＤ  ＵＬ−ＤＬ設定に基づいて決定され、
そうではない場合、前記セカンダリーセルの前記第１ＴＴＩが前記上向きリンクＴＴＩであるか下向きリンクＴＴＩであるかは、前記セカンダリーセルのために設定されたＴＤＤ  ＵＬ−ＤＬ設定に基づいて決定されることを特徴とする、請求項１９に記載の端末。
【請求項２２】
前記セカンダリーセル上のデータをスケジューリングする下向きリンク制御情報が向上したＰＤＣＣＨ（ｐｈｙｓｉｃａｌ  ｄｏｗｎｌｉｎｋ  ｃｏｎｔｒｏｌ  ｃｈａｎｎｅｌ）上で伝送される場合、前記下向きリンク制御情報は、ＡＲＯ（ａｃｋｎｏｗｌｅｄｇｅｍｅｎｔ  ｒｅｓｏｕｒｃｅ  ｏｆｆｓｅｔ）情報を含み、
前記ＡＲＯ情報が０である場合、ＡＲＯの値は０であり、前記ＡＲＯ情報が１である場合、ＡＲＯの値は−１であり、前記ＡＲＯ情報が２である場合、ＡＲＯの値は−２であり、前記ＡＲＯ情報が３である場合、ＡＲＯの値は２であることを特徴とする、請求項１９に記載の端末。
【請求項２３】
ＤＡＩ（ｄｏｗｎｌｉｎｋ  ａｓｓｉｇｎｍｅｎｔ  ｉｎｄｅｘ）情報は、前記セカンダリーセル上のデータをスケジューリングする下向きリンク制御情報において省略されることを特徴とする、請求項１９に記載の端末。
【請求項２４】
前記第１ＴＴＩと前記第２ＴＴＩとの間隔は、４ＴＴＩであることを特徴とする、請求項１９に記載の端末。